(57)【要約】  本発明の実施形態は、通信分野に関し、キャリアのアクティブ状態又は非アクティブ状態を示す遅延を短縮し、キャリアのアクティブ状態又は非アクティブ状態を示す効率を向上させることができる、キャリア状況指示方法及びデバイスを開示する。具体的な解決策は、次の通りである。すなわち、基地局は、アクティブ状態又は非アクティブ状態であるキャリアのキャリア状況を決定し、ダウンリンク物理制御チャネルを使用して、キャリアのキャリア状況を含む第１のキャリア情報をユーザ機器に対して示す。第１のキャリア情報は、ユーザ機器がキャリア状況に従ってキャリア上で通信を実行できるようにするために使用される。本発明は、キャリア切替えプロセスに適用される。
2016526832.tif 000002
【特許請求の範囲】
【請求項１】
基地局が、キャリアのキャリア状況を決定するステップであり、前記キャリア状況が、アクティブ状態又は非アクティブ状態であるステップと、
前記基地局が、ダウンリンク物理制御チャネルを使用して第１のキャリア情報をユーザ機器に対して示すステップであり、前記第１のキャリア情報が、前記キャリアの前記キャリア状況を含み、前記第１のキャリア情報が、前記ユーザ機器が前記キャリア状況に従って前記キャリア上で通信を実行できるようにするために使用されるステップとを含む、キャリア状況指示方法。
【請求項２】
前記第１のキャリア情報に含まれる前記キャリアの前記キャリア状況が、前記基地局のキャリアのキャリア状況及び／又は別の基地局のキャリアのキャリア状況を含む、請求項１に記載の方法。
【請求項３】
前記基地局がダウンリンク物理制御チャネルを使用して第１のキャリア情報をユーザ機器に対して示す前記ステップが、
前記基地局が、前記ダウンリンク物理制御チャネルによって搬送されるダウンリンク制御情報を使用して、前記第１のキャリア情報を前記ユーザ機器に対して示すステップを含み、
前記ダウンリンク制御情報が、キャリアアクティブ化無線ネットワーク一時識別子ＲＮＴＩを使用して前記ダウンリンク物理制御チャネルの巡回冗長検査ＣＲＣをスクランブルすることによって得られるダウンリンク制御情報であり、前記キャリアアクティブ化ＲＮＴＩが、前記第１のキャリア情報を搬送する前記ダウンリンク物理制御チャネルを識別するために使用される、前記基地局によって前記ユーザ機器用に設定されたＲＮＴＩである、請求項１又は２に記載の方法。
【請求項４】
前記キャリアが、前記基地局及び／又は前記別の基地局のキャリア状況が変化する可能性がある全てのキャリアであり、
前記物理ダウンリンク制御チャネルを使用して前記第１のキャリア情報を前記ユーザ機器に対して示す前記ステップの前に、当該方法が、
前記基地局が、ブロードキャストによって前記全てのキャリア中での各キャリアのキャリアシーケンス番号を前記ユーザ機器に対して示すステップ、又は、
前記基地局が、専用シグナリングを使用して前記全てのキャリア中での各キャリアのキャリアシーケンス番号を前記ユーザ機器に送信するステップをさらに含み、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項１から３のいずれか一項に記載の方法。
【請求項５】
前記キャリアシーケンス番号が、前記キャリアシーケンス番号に対応するキャリアの中心周波数に従って識別される、及び／又は、
前記キャリアシーケンス番号が、前記キャリアシーケンス番号に対応するキャリアの物理識別子に従って識別される、請求項４に記載の方法。
【請求項６】
前記第１のキャリア情報に含まれる前記キャリアの前記キャリア状況が、前記全てのキャリアのキャリア状況である、請求項４又は５に記載の方法。
【請求項７】
前記ユーザ機器が、複数のユーザ機器であり、前記第１のキャリア情報に含まれる前記キャリアの前記キャリア状況が、キャリア状況が変化する可能性がある全てのキャリアのキャリア状況であり、キャリア状況が変化する可能性がある前記全てのキャリアが、前記基地局において、前記複数のユーザ機器中の各ユーザ機器に向けられる、請求項１から３のいずれか一項に記載の方法。
【請求項８】
前記基地局が物理ダウンリンク制御チャネルを使用して第１のキャリア情報をユーザ機器に対して示す前記ステップの前に、当該方法が、
前記基地局が、第２のシグナリングを使用して、キャリア状況が変化したキャリアの数を前記ユーザ機器に対して示すステップをさらに含み、
前記第１のキャリア情報に含まれる前記キャリアの前記キャリア状況が、キャリア状況が変化した前記キャリアの前記キャリア状況である、請求項３から５のいずれか一項に記載の方法。
【請求項９】
前記ダウンリンク制御情報が、ダウンリンク制御情報ＤＣＩ  ｆｏｒｍａｔ３又は３Ａであり、
前記ＤＣＩ  ｆｏｒｍａｔ３又は３Ａの送信電力制御ＴＰＣコマンドもまた、前記キャリアの前記キャリア状況を示すために使用される、請求項３に記載の方法。
【請求項１０】
前記基地局が前記物理ダウンリンク制御チャネルを使用して第１のキャリア情報をユーザ機器に対して示す前記ステップが、
前記基地局が、前記物理ダウンリンク制御チャネルによって搬送される前記ダウンリンク制御情報中の複数のＴＰＣコマンドを使用して、前記複数のユーザ機器中での各ユーザ機器の前記キャリアの前記第１のキャリア情報を前記複数のユーザ機器に対して示すステップを含む、請求項３から７のいずれか一項又は請求項９に記載の方法。
【請求項１１】
前記基地局が前記物理ダウンリンク制御チャネルを使用して第１のキャリア情報をユーザ機器に対して示す前記ステップの前に、当該方法が、
前記基地局が、第１のシグナリングを使用して各ユーザ機器にキャリアアクティブ化指標を通知するステップをさらに含み、前記キャリアアクティブ化指標が、前記ダウンリンク制御情報における、各ユーザ機器の前記キャリアの前記第１のキャリア情報の位置を示すために使用される、請求項７又は１０に記載の方法。
【請求項１２】
前記キャリアの前記キャリア状況が、ビットマップによって識別される、又は、
前記キャリアの前記キャリア状況が、統一符号化モードで符号化される、請求項１から１１のいずれか一項に記載の方法。
【請求項１３】
前記基地局が前記物理ダウンリンク制御チャネルを使用して前記第１のキャリア情報をユーザ機器に対して示す前記ステップの前に、当該方法が、
前記基地局が、上位レイヤシグナリングを使用して命令情報を前記ユーザ機器に送信するステップをさらに含み、前記命令情報が、前記第１のキャリア情報を示す前記物理ダウンリンク制御チャネルを検出によって決定するように前記ユーザ機器に命令するために使用される、請求項１から１２のいずれか一項に記載の方法。
【請求項１４】
前記基地局が物理ダウンリンク制御チャネルを使用して第１のキャリア情報をユーザ機器に対して示す前記ステップの前に、当該方法が、
前記基地局が、前記ダウンリンク制御情報を繰り返し符号化するステップ、又は、
前記基地局が、第１のコード化ビットレートを使用して前記ダウンリンク制御情報を符号化するステップであり、前記第１のコード化ビットレートが第２のコード化ビットレートより低く、前記第２のコード化ビットレートが通常のコード化ビットレートであるステップ、又は、
前記基地局が、符号化された前記ダウンリンク制御情報を前記ユーザ機器に繰り返し送信するステップをさらに含む、請求項１から１３のいずれか一項に記載の方法。
【請求項１５】
前記ダウンリンク物理制御チャネルが、物理ダウンリンク制御チャネルＰＤＣＣＨ又は拡張物理ダウンリンク制御チャネルＥ−ＰＤＣＣＨを含む、請求項１から１４のいずれか一項に記載の方法。
【請求項１６】
基地局がキャリアのキャリア状況を決定するステップであり、前記キャリア状況が、アクティブ状態又は非アクティブ状態であるステップと、
前記基地局が、物理ブロードキャストチャネルによって示される、又はダウンリンク制御情報によって示される物理ダウンリンク共有チャネルを使用して第１のキャリア情報をユーザ機器に対して示すステップであり、前記第１のキャリア情報が、前記キャリアの前記キャリア状況を含み、前記第１のキャリア情報が、前記ユーザ機器が前記キャリア状況に従って前記キャリア上で通信を実行できるようにするために使用されるステップとを含み、
前記ダウンリンク制御情報が、物理ダウンリンク制御チャネルによって搬送され、前記ダウンリンク制御情報が、キャリアアクティブ化無線ネットワーク一時識別子ＲＮＴＩを使用して前記物理ダウンリンク制御チャネルの巡回冗長検査ＣＲＣをスクランブルすることによって得られ、前記第１のキャリア情報が、前記キャリアアクティブ化ＲＮＴＩを使用したスクランブルによって得られ、前記キャリアアクティブ化ＲＮＴＩが、前記ダウンリンク制御情報を搬送する前記物理ダウンリンク制御チャネルを識別するために使用される、前記基地局によって前記ユーザ機器用に設定されたＲＮＴＩ、及び前記物理ダウンリンク共有チャネル上の前記第１のキャリア情報を識別するために使用される、前記基地局によって前記ユーザ機器用に設定されたＲＮＴＩである、キャリア状況指示方法。
【請求項１７】
前記第１のキャリア情報に含まれる前記キャリアの前記キャリア状況が、前記基地局のキャリアのキャリア状況及び／又は別の基地局のキャリアのキャリア状況を含む、請求項１６に記載の方法。
【請求項１８】
前記キャリアが、前記基地局及び／又は前記別の基地局のキャリア状況が変化する可能性がある全てのキャリアであり、
前記基地局が物理ブロードキャストチャネルによって示される、又はダウンリンク制御情報によって示される物理ダウンリンク共有チャネルを使用して第１のキャリア情報をユーザ機器に対して示す前記ステップの前に、当該方法が、
前記基地局が、ブロードキャストによって前記全てのキャリア中での各キャリアのキャリアシーケンス番号を前記ユーザ機器に対して示すステップ、又は、
前記基地局が、専用シグナリングを使用して前記全てのキャリア中での各キャリアのキャリアシーケンス番号を前記ユーザ機器に送信するステップをさらに含み、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項１６又は１７に記載の方法。
【請求項１９】
前記キャリアシーケンス番号が、前記キャリアシーケンス番号に対応するキャリアの中心周波数に従って識別される、及び／又は、
前記キャリアシーケンス番号が、前記キャリアシーケンス番号に対応するキャリアの物理識別子に従って識別される、請求項１８に記載の方法。
【請求項２０】
前記第１のキャリア情報に含まれる前記キャリアの前記キャリア状況が、前記全てのキャリアのキャリア状況である、請求項１６から１９のいずれか一項に記載の方法。
【請求項２１】
前記基地局が、物理ブロードキャストチャネルによって示される、又はダウンリンク制御情報によって示される物理ダウンリンク共有チャネルを使用して第１のキャリア情報をユーザ機器に対して示す前記ステップの前に、当該方法が、
前記基地局が、第１のシグナリングを使用して、キャリア状況が変化したキャリアの数を前記ユーザ機器に対して示すステップをさらに含み、
前記第１のキャリア情報に含まれる前記キャリアの前記キャリア状況が、キャリア状況が変化した前記キャリアの前記キャリア状況である、請求項１６から１９のいずれか一項に記載の方法。
【請求項２２】
前記基地局が物理ブロードキャストチャネルによって示される、又はダウンリンク制御情報によって示される物理ダウンリンク共有チャネルを使用して第１のキャリア情報をユーザ機器に対して示す前記ステップの前に、当該方法が、
前記基地局が、上位レイヤシグナリングを使用して命令情報を前記ユーザ機器に送信するステップをさらに含み、前記命令情報が、前記第１のキャリア情報を示す前記物理ダウンリンク共有チャネルを検出によって検出するように前記ユーザ機器に命令するために使用される、請求項１６から２１のいずれか一項に記載の方法。
【請求項２３】
前記基地局がダウンリンク制御情報によって示される物理ダウンリンク共有チャネルを使用して第１のキャリア情報をユーザ機器に対して示す前記ステップの前に、当該方法が、
前記基地局が、前記ダウンリンク制御情報を繰り返し符号化するステップ、又は、
前記基地局が、第１のコード化ビットレートを使用して前記ダウンリンク制御情報を符号化するステップであり、前記第１のコード化ビットレートが第２のコード化ビットレートより低く、前記第２のコード化ビットレートが通常のコード化ビットレートであるステップ、又は、
前記基地局が、符号化された前記ダウンリンク制御情報を前記ユーザ機器に繰り返し送信するステップをさらに含む、請求項１６から２２のいずれか一項に記載の方法。
【請求項２４】
前記物理ダウンリンク制御チャネルが、物理ダウンリンク制御チャネルＰＤＣＣＨ又は拡張物理ダウンリンク制御チャネルＥ−ＰＤＣＣＨを含む、請求項１６から２３のいずれか一項に記載の方法。
【請求項２５】
ユーザ機器が、基地局から送信されたダウンリンク物理制御チャネルを受信するステップであり、前記ダウンリンク物理制御チャネルが、第１のキャリア情報を含み、前記第１のキャリア情報が、キャリアのキャリア状況を含み、前記キャリア状況が、アクティブ状態又は非アクティブ状態であるステップと、
前記ユーザ機器が、前記第１のキャリア情報に従って前記キャリア上で通信を実行するステップとを含む、キャリア状況指示方法。
【請求項２６】
前記第１のキャリア情報に含まれる前記キャリアの前記キャリア状況が、前記基地局のキャリアのキャリア状況及び／又は別の基地局のキャリアのキャリア状況を含む、請求項２５に記載の方法。
【請求項２７】
ユーザ機器が基地局から送信されたとともに第１のキャリア情報を含むダウンリンク物理制御チャネルを受信する前記ステップが、
前記ユーザ機器が、キャリアアクティブ化無線ネットワーク一時識別子ＲＮＴＩを使用して前記ダウンリンク物理制御チャネルの巡回冗長検査ＣＲＣをスクランブル解除して、前記第１のキャリア情報を搬送する前記ダウンリンク物理制御チャネルを識別するステップと、
前記ユーザ機器が、前記識別したダウンリンク物理制御チャネルによって搬送される前記ダウンリンク制御情報を取得するステップであり、前記ダウンリンク制御情報が前記第１のキャリア情報を含むステップとを含み、
前記キャリアアクティブ化ＲＮＴＩが、前記第１のキャリア情報を搬送する前記ダウンリンク物理制御チャネルを識別するために使用される、前記基地局によって前記ユーザ機器用に設定されたＲＮＴＩである、請求項２５又は２６に記載の方法。
【請求項２８】
前記キャリアが、前記基地局及び／又は前記別の基地局のキャリア状況が変化する可能性がある全てのキャリアであり、
ユーザ機器が基地局から送信された物理ダウンリンク制御チャネルを受信する前記ステップの前に、当該方法が、
前記ユーザ機器が、前記基地局によってブロードキャストにより前記ユーザ機器に対して示される、前記全てのキャリア中での各キャリアのキャリアシーケンス番号を取得するステップ、又は、
前記ユーザ機器が、前記基地局から送信された専用シグナリングを受信するステップであり、前記専用シグナリングが前記全てのキャリア中での各キャリアのキャリアシーケンス番号を搬送するステップをさらに含み、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項２５から２７のいずれか一項に記載の方法。
【請求項２９】
前記キャリアシーケンス番号が、前記キャリアシーケンス番号に対応するキャリアの中心周波数に従って識別される、及び／又は、
前記キャリアシーケンス番号が、前記キャリアシーケンス番号に対応するキャリアの物理識別子に従って識別される、請求項２８に記載の方法。
【請求項３０】
前記第１のキャリア情報に含まれる前記キャリアの前記キャリア状況が、前記全てのキャリアのキャリア状況である、請求項２５から２７のいずれか一項に記載の方法。
【請求項３１】
前記第１のキャリア情報に含まれる前記キャリアの前記キャリア状況が、キャリア状況が変化する可能性がある全てのキャリアのうち、前記ユーザ機器に向けられた、キャリア状況が変化する可能性がある全てのキャリアのキャリア状況である、請求項２５から２７のいずれか一項に記載の方法。
【請求項３２】
ユーザ機器が基地局から送信されたとともに第１のキャリア情報を含む物理ダウンリンク制御チャネルを受信する前記ステップの前に、当該方法が、
前記ユーザ機器が、前記基地局から送信された第２のシグナリングを受信するステップであり、前記第２のシグナリングが、キャリア状況が変化したキャリアの数を搬送するステップをさらに含み、
前記第１のキャリア情報に含まれる前記キャリアの前記キャリア状況が、キャリア状況が変化した前記キャリアの前記キャリア状況である、請求項２７から２９のいずれか一項に記載の方法。
【請求項３３】
前記ダウンリンク制御情報が、ダウンリンク制御情報ＤＣＩ  ｆｏｒｍａｔ３又は３Ａであり、
前記ＤＣＩ  ｆｏｒｍａｔ３又は３Ａの送信電力制御ＴＰＣコマンドもまた、前記キャリアの前記キャリア状況を示すために使用される、請求項２７に記載の方法。
【請求項３４】
ユーザ機器が基地局から送信されたとともに第１のキャリア情報を含む物理ダウンリンク制御チャネルを受信する前記ステップが、
前記ユーザ機器が、前記物理ダウンリンク制御チャネルによって搬送される前記ダウンリンク制御情報を受信し、前記ダウンリンク制御情報中の前記ＴＰＣコマンドを取得するステップを含み、前記ＴＰＣコマンドが、前記ユーザ機器の前記キャリアの前記第１のキャリア情報を示すために使用される、請求項２７から３１のいずれか一項又は請求項３３に記載の方法。
【請求項３５】
ユーザ機器が基地局から送信されたとともに第１のキャリア情報を含む物理ダウンリンク制御チャネルを受信する前記ステップの前に、当該方法が、
前記ユーザ機器が、前記基地局から送信された第１のシグナリングを受信するステップであり、前記第１のシグナリングがキャリアアクティブ化指標を搬送するステップと、
前記ユーザ機器が、前記キャリアアクティブ化指標の指示に従って、前記ダウンリンク制御情報における、前記ユーザ機器のキャリアの第１のキャリア情報の位置を決定するステップとをさらに含む、請求項３１又は３４に記載の方法。
【請求項３６】
ユーザ機器が基地局から送信されたとともに第１のキャリア情報を含む物理ダウンリンク制御チャネルを受信した前記ステップの後で、
前記キャリアの前記キャリア状況を前記基地局がビットマップによって識別する場合には、前記ユーザ機器が、前記キャリアの前記キャリア状況を、ビットマップによって決定するステップ、又は、
前記キャリアの前記キャリア状況を前記基地局が統一復号モードに対応する統一符号化モードで符号化する場合には、前記ユーザ機器が、前記キャリアの前記キャリア状況を、前記統一復号モードで決定するステップをさらに含み、
前記キャリア状況が、前記アクティブ状態又は前記非アクティブ状態である、請求項２５から３５に記載の方法。
【請求項３７】
ユーザ機器が前記基地局から送信された物理ダウンリンク制御チャネルを受信する前記ステップの前に、当該方法が、
前記ユーザ機器が、上位レイヤシグナリングを使用して前記基地局から送信された命令情報を受信するステップと、
前記ユーザ機器が、前記命令情報に従って物理ダウンリンク制御チャネルを検出して、前記第１のキャリア情報を示す前記物理ダウンリンク制御チャネルを決定するステップとをさらに含み、
前記命令情報が、前記第１のキャリア情報を示す前記物理ダウンリンク制御チャネルを検出によって決定するように前記ユーザ機器に命令するために使用される、請求項２５から３６に記載の方法。
【請求項３８】
ユーザ機器が基地局から送信された物理ダウンリンク制御チャネルを受信する前記ステップが、
前記ユーザ機器が、前記物理ダウンリンク制御チャネル上で繰り返し符号化された前記ダウンリンク制御情報を受信するステップ、又は、
前記ユーザ機器が、前記物理ダウンリンク制御チャネル上で第１のコード化ビットレートを使用して符号化された前記ダウンリンク制御情報を受信するステップであり、前記第１のコード化ビットレートが第２のコード化ビットレートより低く、前記第２のコード化ビットレートが通常のコード化ビットレートであるステップ、又は、
前記ユーザ機器が、符号化された複数個のダウンリンク制御情報を前記基地局から受信するステップを含む、請求項２５から３７に記載の方法。
【請求項３９】
前記ダウンリンク物理制御チャネルが、物理ダウンリンク制御チャネルＰＤＣＣＨ又は拡張物理ダウンリンク制御チャネルＥ−ＰＤＣＣＨを含む、請求項２５から３８に記載の方法。
【請求項４０】
前記キャリア状況が、前記アクティブ状態又は前記非アクティブ状態であり、
前記キャリア状況が前記アクティブ状態である場合には、前記ユーザ機器が前記第１のキャリア情報に従って前記キャリア上で通信を実行する前記ステップが、
前記ユーザ機器が、前記キャリア上でサウンディング参照信号ＳＲＳを伝送するステップであり、前記ＳＲＳがチャネル状態検出に使用されるステップ、
及び／又は、前記ユーザ機器が、前記キャリア上でチャネル状態情報ＣＳＩ報告を生成するステップであり、前記ＣＳＩが、少なくともチャネル品質指標ＣＱＩ、プリコード化マトリクス指標ＰＭＩ及びランク指示ＲＩを含むステップ、
及び／又は、前記ユーザ機器が、前記キャリアのダウンリンク物理制御チャネルを検出するステップ、
及び／又は、前記ユーザ機器が、前記キャリア上のスケジューリング結果を示すダウンリンク物理制御チャネルを検出するステップを含む、請求項２５に記載の方法。
【請求項４１】
前記キャリア状況が、前記アクティブ状態又は前記非アクティブ状態であり、
前記キャリア状況が前記非アクティブ状態である場合には、前記ユーザ機器が前記第１のキャリア情報に従って前記キャリア上で通信を実行する前記ステップが、
前記ユーザ機器が、前記キャリア上でのＳＲＳの伝送を停止するステップ、
及び／又は、前記ユーザ機器が、前記キャリア上でのＣＳＩ報告の生成を停止するステップであり、前記ＣＳＩが、少なくともＣＱＩ、ＰＭＩ及びＲＩを含むステップ、
及び／又は、前記ユーザ機器が、前記キャリアのダウンリンク物理制御チャネルの検出を停止するステップ、
及び／又は、前記ユーザ機器が、前記キャリア上のスケジューリング結果を示すダウンリンク物理制御チャネルの検出を停止するステップ、
及び／又は、前記ユーザ機器が、前記キャリア上でのランダムアクセスチャネルＲＡＣＨ信号の伝送を停止するステップ、
及び／又は、前記ユーザ機器が、前記キャリア上でのアップリンク共有チャネルの伝送を停止するステップを含む、請求項２５に記載の方法。
【請求項４２】
ユーザ機器が、物理ダウンリンク共有チャネルを受信し、第１のキャリア情報を搬送する物理ダウンリンク共有チャネルを決定するステップと、
前記ユーザ機器が、前記決定した物理ダウンリンク共有チャネルから前記第１のキャリア情報を取得するステップであり、前記第１のキャリア情報が、前記キャリアの前記キャリア状況を含み、前記キャリア状況が、アクティブ状態又は非アクティブ状態であるステップと、
前記ユーザ機器が、前記第１のキャリア情報に従って前記キャリア上で通信を実行するステップとを含む、キャリア状況指示方法。
【請求項４３】
前記第１のキャリア情報に含まれる前記キャリアの前記キャリア状況が、前記基地局のキャリアのキャリア状況及び／又は別の基地局のキャリアのキャリア状況を含む、請求項４２に記載の方法。
【請求項４４】
前記ユーザ機器が第１のキャリア情報を搬送する物理ダウンリンク共有チャネルを決定する前記ステップが、
前記ユーザ機器が、キャリアアクティブ化無線ネットワーク一時識別子ＲＮＴＩを使用して物理ダウンリンク制御チャネルの巡回冗長検査ＣＲＣをスクランブル解除して、ダウンリンク制御情報を搬送する前記物理ダウンリンク制御チャネルを識別するステップと、
前記ユーザ機器が、前記識別した物理ダウンリンク制御チャネルが搬送する前記ダウンリンク制御情報を取得し、前記ダウンリンク制御情報に従って、前記第１のキャリア情報を搬送する前記物理ダウンリンク共有チャネルを決定するステップとを含み、
前記ダウンリンク制御情報が、前記第１のキャリア情報を搬送する前記物理ダウンリンク共有チャネルを示すために使用される、請求項４２又は４３に記載の方法。
【請求項４５】
前記ユーザ機器が第１のキャリア情報を搬送する物理ダウンリンク共有チャネルを決定する前記ステップが、
前記ユーザ機器が、物理ブロードキャストチャネルを受信し、前記物理ブロードキャストチャネルに従って、前記第１のキャリア情報を搬送する前記物理ダウンリンク共有チャネルを決定するステップを含み、
前記物理ブロードキャストチャネルが、前記第１のキャリア情報を搬送する前記物理ダウンリンク共有チャネルを示すために使用される、請求項４２に記載の方法。
【請求項４６】
前記ユーザ機器が前記決定した物理ダウンリンク共有チャネルから前記第１のキャリア情報を取得する前記ステップが、
前記ユーザ機器が、前記キャリアアクティブ化ＲＮＴＩを使用して前記決定した物理ダウンリンク共有チャネルをスクランブル解除して、前記第１のキャリア情報を取得するステップを含む、請求項４２から４５のいずれか一項に記載の方法。
【請求項４７】
前記キャリアが、前記基地局及び／又は前記別の基地局のキャリア状況が変化する可能性がある全てのキャリアであり、
前記ユーザ機器が前記第１のキャリア情報に従って前記キャリア上で通信を実行する前記ステップの前に、当該方法が、
前記ユーザ機器が、前記基地局によってブロードキャストにより前記ユーザ機器に対して示される、前記全てのキャリア中での各キャリアのキャリアシーケンス番号を取得するステップ、又は、
前記ユーザ機器が、前記基地局から送信された専用シグナリングを受信するステップであり、前記専用シグナリングが前記全てのキャリア中での各キャリアのキャリアシーケンス番号を搬送するステップをさらに含み、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項４２又は４３に記載の方法。
【請求項４８】
前記キャリアシーケンス番号が、前記キャリアシーケンス番号に対応するキャリアの中心周波数に従って識別される、及び／又は、
前記キャリアシーケンス番号が、前記キャリアシーケンス番号に対応するキャリアの物理識別子に従って識別される、請求項４７に記載の方法。
【請求項４９】
前記第１のキャリア情報に含まれる前記キャリアの前記キャリア状況が、前記全てのキャリアのキャリア状況である、請求項４２から４５のいずれか一項に記載の方法。
【請求項５０】
前記ユーザ機器が前記第１のキャリア情報に従って前記キャリア上で通信を実行する前記ステップの前に、当該方法が、
前記ユーザ機器が、前記基地局から送信された第１のシグナリングを受信するステップであり、前記第１のシグナリングが、キャリア状況が変化したキャリアの数を搬送するステップをさらに含み、
前記第１のキャリア情報に含まれる前記キャリアの前記キャリア状況が、キャリア状況が変化した前記キャリアの前記キャリア状況である、請求項４２から４５のいずれか一項に記載の方法。
【請求項５１】
前記ユーザ機器が第１のキャリア情報を搬送する前記物理ダウンリンク共有チャネルを決定する前記ステップの前に、当該方法が、
前記ユーザ機器が、上位レイヤシグナリングを使用して前記基地局から送信された命令情報を受信するステップであり、前記命令情報が、前記物理ダウンリンク共有チャネルを示す前記物理ダウンリンク制御チャネル又は前記物理ダウンリンク共有チャネルを示す前記物理ブロードキャストチャネルを検出するように前記ユーザ機器に命令するために使用されるステップと、
前記命令情報に従って前記物理ダウンリンク制御チャネル又は前記物理ブロードキャストチャネルを検出して、前記第１のキャリア情報を搬送する前記物理ダウンリンク共有チャネルを決定するステップとをさらに含む、請求項４４から５０のいずれか一項に記載の方法。
【請求項５２】
ユーザ機器が物理ダウンリンク共有チャネルを受信する前記ステップの前に、当該方法が、
前記ユーザ機器が、前記物理ダウンリンク制御チャネル上で繰り返し符号化された前記ダウンリンク制御情報を受信するステップ、又は、
前記ユーザ機器が、前記物理ダウンリンク制御チャネル上で第１のコード化ビットレートを使用して符号化された前記ダウンリンク制御情報を受信するステップであり、前記第１のコード化ビットレートが第２のコード化ビットレートより低く、前記第２のコード化ビットレートが通常のコード化ビットレートであるステップ、又は、
前記ユーザ機器が、符号化された複数個のダウンリンク制御情報を前記基地局から受信するステップをさらに含む、請求項４１又は４４に記載の方法。
【請求項５３】
前記物理ダウンリンク制御チャネルが、物理ダウンリンク制御チャネルＰＤＣＣＨ又は拡張物理ダウンリンク制御チャネルＥ−ＰＤＣＣＨを含む、請求項４２又は４４に記載の方法。
【請求項５４】
前記キャリア状況が、前記アクティブ状態又は前記非アクティブ状態であり、
前記キャリア状況が前記アクティブ状態である場合には、前記ユーザ機器が前記第１のキャリア情報に従って前記キャリア上で通信を実行する前記ステップが、
前記ユーザ機器が、前記キャリア上でサウンディング参照信号ＳＲＳを伝送するステップであり、前記ＳＲＳがチャネル状態検出に使用されるステップ、
及び／又は、前記ユーザ機器が、前記キャリア上でチャネル状態情報ＣＳＩ報告を生成するステップであり、前記ＣＳＩが、少なくともチャネル品質指標ＣＱＩ、プリコード化マトリクス指標ＰＭＩ及びランク指示ＲＩを含むステップ、
及び／又は、前記ユーザ機器が、前記キャリアの物理ダウンリンク制御チャネルを検出するステップ、
及び／又は、前記ユーザ機器が、前記キャリア上のスケジューリング結果を示す物理ダウンリンク制御チャネルを検出するステップを含む、請求項４２に記載の方法。
【請求項５５】
前記キャリア状況が、前記アクティブ状態又は前記非アクティブ状態であり、
前記キャリア状況が前記非アクティブ状態である場合には、前記ユーザ機器が前記第１のキャリア情報に従って前記キャリア上で通信を実行する前記ステップが、
前記ユーザ機器が、前記キャリア上でのＳＲＳの伝送を停止するステップ、
及び／又は、前記ユーザ機器が、前記キャリア上でのＣＳＩ報告の生成を停止するステップであり、前記ＣＳＩが、少なくともＣＱＩ、ＰＭＩ及びＲＩを含むステップ、
及び／又は、前記ユーザ機器が、前記キャリアの物理ダウンリンク制御チャネルの検出を停止するステップ、
及び／又は、前記ユーザ機器が、前記キャリア上のスケジューリング結果を示す物理ダウンリンク制御チャネルの検出を停止するステップ、
及び／又は、前記ユーザ機器が、前記キャリア上でのランダムアクセスチャネルＲＡＣＨ信号の伝送を停止するステップ、
及び／又は、前記ユーザ機器が、前記キャリア上でのアップリンク共有チャネルの伝送を停止するステップを含む、請求項４２に記載の方法。
【請求項５６】
キャリアのキャリア状況を決定するように構成された決定ユニットであり、前記キャリア状況が、アクティブ状態又は非アクティブ状態である決定ユニットと、
ダウンリンク物理制御チャネルを使用して第１のキャリア情報をユーザ機器に対して示すように構成された送信ユニットであり、前記第１のキャリア情報が、前記決定ユニットによって決定された前記キャリアの前記キャリア状況を含み、前記第１のキャリア情報が、前記ユーザ機器が前記キャリア状況に従って前記キャリア上で通信を実行できるようにするために使用される送信ユニットとを含む、基地局。
【請求項５７】
前記第１のキャリア情報に含まれる前記キャリアの前記キャリア状況が、当該基地局のキャリアのキャリア状況及び／又は別の基地局のキャリアのキャリア状況を含む、請求項５６に記載の基地局。
【請求項５８】
前記送信ユニットが、前記ダウンリンク物理制御チャネルによって搬送されるダウンリンク制御情報を使用して前記第１のキャリア情報を前記ユーザ機器に対して示すようにさらに構成され、
前記ダウンリンク制御情報が、キャリアアクティブ化無線ネットワーク一時識別子ＲＮＴＩを使用して前記ダウンリンク物理制御チャネルの巡回冗長検査ＣＲＣをスクランブルすることによって得られるダウンリンク制御情報であり、前記キャリアアクティブ化ＲＮＴＩが、前記第１のキャリア情報を搬送する前記ダウンリンク物理制御チャネルを識別するために使用される、当該基地局によって前記ユーザ機器用に設定されたＲＮＴＩである、請求項５６又は５７に記載の基地局。
【請求項５９】
前記キャリアが、当該基地局及び／又は前記別の基地局のキャリア状況が変化する可能性がある全てのキャリアであり、
前記送信ユニットが、前記物理ダウンリンク制御チャネルを使用して前記第１のキャリア情報を前記ユーザ機器に対して示す前に、ブロードキャストによって前記全てのキャリア中での各キャリアのキャリアシーケンス番号を前記ユーザ機器に対して示すようにさらに構成され、又は、
前記送信ユニットが、前記物理ダウンリンク制御チャネルを使用して前記第１のキャリア情報を前記ユーザ機器に対して示す前に、専用シグナリングを使用して前記全てのキャリア中での各キャリアのキャリアシーケンス番号を前記ユーザ機器に送信するようにさらに構成され、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、当該基地局によってサービスされる全てのユーザ機器で一様である、請求項５６から５８のいずれか一項に記載の基地局。
【請求項６０】
前記送信ユニットによって送信される前記キャリアシーケンス番号が、前記キャリアシーケンス番号に対応するキャリアの中心周波数に従って識別される、及び／又は、
前記送信ユニットによって送信される前記キャリアシーケンス番号が、前記キャリアシーケンス番号に対応するキャリアの物理識別子に従って識別される、請求項５９に記載の基地局。
【請求項６１】
前記送信ユニットによって示される前記第１のキャリア情報に含まれる前記キャリアの前記キャリア状況が、全てのキャリアのキャリア状況である、請求項５９又は６０に記載の基地局。
【請求項６２】
前記ユーザ機器が、複数のユーザ機器であり、前記送信ユニットによって示される前記第１のキャリア情報に含まれる前記キャリアの前記キャリア状況が、キャリア状況が変化する可能性がある全てのキャリアのキャリア状況であり、キャリア状況が変化する可能性がある前記全てのキャリアが、当該基地局において、前記複数のユーザ機器中の各ユーザ機器に向けられる、請求項５６又は５８に記載の基地局。
【請求項６３】
前記送信ユニットが、前記物理ダウンリンク制御チャネルを使用して前記第１のキャリア情報を前記ユーザ機器に対して示す前に、第２のシグナリングを使用して、キャリア状況が変化したキャリアの数を前記ユーザ機器に対して示すようにさらに構成され、
前記第１のキャリア情報に含まれる前記キャリアの前記キャリア状況が、キャリア状況が変化した前記キャリアの前記キャリア状況である、請求項５８から６０のいずれか一項に記載の基地局。
【請求項６４】
前記送信ユニットによって示される前記物理ダウンリンク制御チャネルによって搬送される前記ダウンリンク制御情報が、ダウンリンク制御情報ＤＣＩ  ｆｏｒｍａｔ３又は３Ａであり、
前記ＤＣＩ  ｆｏｒｍａｔ３又は３Ａの送信電力制御ＴＰＣコマンドもまた、前記キャリアの前記キャリア状況を示すために使用される、請求項５８に記載の基地局。
【請求項６５】
前記送信ユニットが、前記物理ダウンリンク制御チャネルによって搬送される前記ダウンリンク制御情報中の複数のＴＰＣコマンドを使用して、前記複数のユーザ機器中での各ユーザ機器の前記キャリアの前記第１のキャリア情報を前記複数のユーザ機器に対して示すようにさらに構成される、請求項５８から６２のいずれか一項又は請求項６４に記載の基地局。
【請求項６６】
前記送信ユニットが、前記物理ダウンリンク制御チャネルを使用して前記第１のキャリア情報を前記ユーザ機器に対して示す前に、第１のシグナリングを使用して各ユーザ機器にキャリアアクティブ化指標を通知するようにさらに構成され、前記キャリアアクティブ化指標が、前記ダウンリンク制御情報における、各ユーザ機器の前記キャリアの前記第１のキャリア情報の位置を示すために使用される、請求項６２又は６５に記載の基地局。
【請求項６７】
前記送信ユニットによって示される前記第１のキャリア情報に含まれる前記キャリアの前記キャリア状況が、ビットマップによって識別される、又は、
前記送信ユニットによって示される前記第１のキャリア情報に含まれる前記キャリアの前記キャリア状況が、統一符号化モードで符号化される、請求項５６から６６のいずれか一項に記載の基地局。
【請求項６８】
前記送信ユニットが、前記物理ダウンリンク制御チャネルを使用して前記第１のキャリア情報を前記ユーザ機器に対して示す前に、上位レイヤシグナリングを使用して命令情報を前記ユーザ機器に送信するようにさらに構成され、前記命令情報が、前記第１のキャリア情報を示す前記物理ダウンリンク制御チャネルを検出によって決定するように前記ユーザ機器に命令するために使用される、請求項５６から６７のいずれか一項に記載の基地局。
【請求項６９】
前記送信ユニットが前記物理ダウンリンク制御チャネルを使用して前記第１のキャリア情報を前記ユーザ機器に対して示す前に、前記ダウンリンク制御情報を符号化するように構成された符号化ユニットをさらに含み、
前記符号化ユニットが、前記ダウンリンク制御情報を繰り返し符号化するようにさらに構成される、又は、
前記符号化ユニットが、第１のコード化ビットレートを使用して前記ダウンリンク制御情報を符号化するようにさらに構成され、前記第１のコード化ビットレートが第２のコード化ビットレートより低く、前記第２のコード化ビットレートが通常のコード化ビットレートである、又は、
前記送信ユニットが、前記符号化ユニットによって符号化された前記ダウンリンク制御情報を前記ユーザ機器に繰り返し送信するようにさらに構成される、請求項５６から６８のいずれか一項に記載の基地局。
【請求項７０】
前記送信ユニットによって送信される前記物理ダウンリンク制御チャネルが、物理ダウンリンク制御チャネルＰＤＣＣＨ又は拡張物理ダウンリンク制御チャネルＥ−ＰＤＣＣＨを含む、請求項５６から６９のいずれか一項に記載の基地局。
【請求項７１】
キャリアのキャリア状況を決定するように構成された決定ユニットであり、前記キャリア状況が、アクティブ状態又は非アクティブ状態である決定ユニットと、
物理ブロードキャストチャネルによって示される、又はダウンリンク制御情報によって示される物理ダウンリンク共有チャネルを使用して第１のキャリア情報をユーザ機器に対して示すように構成された送信ユニットであり、前記第１のキャリア情報が、前記決定ユニットによって決定された前記キャリアの前記キャリア状況を含み、前記第１のキャリア情報が、前記ユーザ機器が前記キャリア状況に従って前記キャリア上で通信を実行できるようにするために使用される送信ユニットとを含み、
前記ダウンリンク制御情報が、物理ダウンリンク制御チャネルによって搬送され、前記ダウンリンク制御情報が、キャリアアクティブ化無線ネットワーク一時識別子ＲＮＴＩを使用して前記物理ダウンリンク制御チャネルの巡回冗長検査ＣＲＣをスクランブルすることによって得られ、前記第１のキャリア情報が、前記キャリアアクティブ化ＲＮＴＩを使用したスクランブルによって得られ、前記キャリアアクティブ化ＲＮＴＩが、前記ダウンリンク制御情報を搬送する前記物理ダウンリンク制御チャネルを識別するために使用される、当該基地局によって前記ユーザ機器用に設定されたＲＮＴＩ、及び前記物理ダウンリンク共有チャネル上の前記第１のキャリア情報を識別するために使用される、当該基地局によって前記ユーザ機器用に設定されたＲＮＴＩである、基地局。
【請求項７２】
前記第１のキャリア情報に含まれる前記キャリアの前記キャリア状況が、当該基地局のキャリアのキャリア状況及び／又は別の基地局のキャリアのキャリア状況を含む、請求項７１に記載の基地局。
【請求項７３】
前記キャリアが、当該基地局及び／又は前記別の基地局のキャリア状況が変化する可能性がある全てのキャリアであり、
前記送信ユニットが、前記物理ブロードキャストチャネルによって示される、又は前記ダウンリンク制御情報によって示される前記物理ダウンリンク共有チャネルを使用して前記第１のキャリア情報を前記ユーザ機器に対して示す前に、ブロードキャストによって前記全てのキャリア中での各キャリアのキャリアシーケンス番号を前記ユーザ機器に対して示すようにさらに構成され、又は、
前記送信ユニットが、前記物理ブロードキャストチャネルによって示される、又は前記ダウンリンク制御情報によって示される前記物理ダウンリンク共有チャネルを使用して前記第１のキャリア情報を前記ユーザ機器に対して示す前に、専用シグナリングを使用して前記全てのキャリア中での各キャリアのキャリアシーケンス番号を前記ユーザ機器に送信するようにさらに構成され、
前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、当該基地局によってサービスされる全てのユーザ機器で一様である、請求項７１又は７２に記載の基地局。
【請求項７４】
前記送信ユニットによって送信される前記キャリアシーケンス番号が、前記キャリアシーケンス番号に対応するキャリアの中心周波数に従って識別される、及び／又は、
前記送信ユニットによって送信される前記キャリアシーケンス番号が、前記キャリアシーケンス番号に対応するキャリアの物理識別子に従って識別される、請求項７１に記載の基地局。
【請求項７５】
前記送信ユニットによって示される前記第１のキャリア情報に含まれる前記キャリアの前記キャリア状況が、前記全てのキャリアのキャリア状況である、請求項７１から７４のいずれか一項に記載の基地局。
【請求項７６】
前記送信ユニットが、前記物理ブロードキャストチャネルによって示される、又は前記ダウンリンク制御情報によって示される前記物理ダウンリンク共有チャネルを使用して前記第１のキャリア情報を前記ユーザ機器に対して示す前に、第１のシグナリングを使用して、キャリア状況が変化したキャリアの数を前記ユーザ機器に対して示すようにさらに構成され、
前記第１のキャリア情報に含まれる前記キャリアの前記キャリア状況が、キャリア状況が変化した前記キャリアの前記キャリア状況である、請求項７１から７４のいずれか一項に記載の基地局。
【請求項７７】
前記送信ユニットが、前記物理ブロードキャストチャネルによって示される、又は前記ダウンリンク制御情報によって示される前記物理ダウンリンク共有チャネルを使用して前記第１のキャリア情報を前記ユーザ機器に対して示す前に、上位レイヤシグナリングを使用して命令情報を前記ユーザ機器に送信するようにさらに構成され、前記命令情報が、前記第１のキャリア情報を示す前記物理ダウンリンク共有チャネルを検出によって決定するように前記ユーザ機器に命令するために使用される、請求項７１から７６のいずれか一項に記載の基地局。
【請求項７８】
前記送信ユニットが前記ダウンリンク制御情報によって示される前記物理ダウンリンク共有チャネルを使用して前記第１のキャリア情報を前記ユーザ機器に対して示す前に、前記ダウンリンク制御情報を符号化するように構成された符号化ユニットをさらに含み、
前記符号化ユニットが、前記ダウンリンク制御情報を繰り返し符号化するようにさらに構成される、又は、
前記符号化ユニットが、第１のコード化ビットレートを使用して前記ダウンリンク制御情報を符号化するようにさらに構成され、前記第１のコード化ビットレートが第２のコード化ビットレートより低く、前記第２のコード化ビットレートが通常のコード化ビットレートである、又は、
前記送信ユニットが、前記符号化ユニットによって符号化された前記ダウンリンク制御情報を前記ユーザ機器に繰り返し送信するようにさらに構成される、請求項７１から７７のいずれか一項に記載の基地局。
【請求項７９】
前記物理ダウンリンク制御チャネルが、物理ダウンリンク制御チャネルＰＤＣＣＨ又は拡張物理ダウンリンク制御チャネルＥ−ＰＤＣＣＨを含む、請求項７１から７８のいずれか一項に記載の基地局。
【請求項８０】
基地局から送信されたダウンリンク物理制御チャネルを受信するように構成された受信ユニットであり、前記ダウンリンク物理制御チャネルが、第１のキャリア情報を含み、前記第１のキャリア情報が、キャリアのキャリア状況を含み、前記キャリア状況が、アクティブ状態又は非アクティブ状態である受信ユニットと、
前記受信ユニットが受信した前記第１のキャリア情報に従って前記キャリア上で通信を実行するように構成された通信ユニットとを含む、ユーザ機器。
【請求項８１】
前記第１のキャリア情報に含まれる前記キャリアの前記キャリア状況が、前記基地局のキャリアのキャリア状況及び／又は別の基地局のキャリアのキャリア状況を含む、請求項８０に記載のユーザ機器。
【請求項８２】
前記受信ユニットが、
キャリアアクティブ化無線ネットワーク一時識別子ＲＮＴＩを使用して前記ダウンリンク物理制御チャネルの巡回冗長検査ＣＲＣをスクランブル解除して、前記第１のキャリア情報を搬送する前記ダウンリンク物理制御チャネルを識別するように構成された識別モジュールと、
前記識別モジュールによって識別された前記ダウンリンク物理制御チャネルによって搬送されるダウンリンク制御情報を取得するように構成された取得モジュールであり、前記ダウンリンク制御情報が前記第１のキャリア情報を含む取得モジュールとを含み、
前記キャリアアクティブ化ＲＮＴＩが、前記第１のキャリア情報を搬送する前記ダウンリンク物理制御チャネルを識別するために使用される、前記基地局によって当該ユーザ機器用に設定されたＲＮＴＩである、請求項８０又は８１に記載のユーザ機器。
【請求項８３】
前記受信ユニットが受信する前記キャリアが、前記基地局及び／又は前記別の基地局のキャリア状況が変化する可能性がある全てのキャリアであり、
前記受信ユニットが、前記基地局から送信された前記物理ダウンリンク制御チャネルを受信する前に、前記基地局によってブロードキャストにより当該ユーザ機器に対して示される、前記全てのキャリア中での各キャリアのキャリアシーケンス番号を取得するようにさらに構成され、又は
前記受信ユニットが、前記基地局から送信された前記物理ダウンリンク制御チャネルを受信する前に、前記基地局から送信された専用シグナリングを受信するようにさらに構成され、前記専用シグナリングが前記全てのキャリア中での各キャリアのキャリアシーケンス番号を搬送し、
前記受信ユニットが受信する前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項８０から８２のいずれか一項に記載のユーザ機器。
【請求項８４】
前記受信ユニットが受信する前記キャリアシーケンス番号が、前記キャリアシーケンス番号に対応するキャリアの中心周波数に従って識別される、及び／又は、
前記受信ユニットが受信する前記キャリアシーケンス番号が、前記キャリアシーケンス番号に対応するキャリアの物理識別子に従って識別される、請求項８３に記載のユーザ機器。
【請求項８５】
前記受信ユニットが受信する前記第１のキャリア情報に含まれる前記キャリアの前記キャリア状況が、前記全てのキャリアのキャリア状況である、請求項８２から８４のいずれか一項に記載のユーザ機器。
【請求項８６】
前記受信ユニットが受信する前記第１のキャリア情報に含まれる前記キャリアの前記キャリア状況が、キャリア状況が変化する可能性がある全てのキャリアのうち、当該ユーザ機器に向けられた、キャリア状況が変化する可能性がある全てのキャリアのキャリア状況である、請求項８２から８４のいずれか一項に記載のユーザ機器。
【請求項８７】
前記受信ユニットが、前記基地局から送信されたとともに前記第１のキャリア情報を含む前記物理ダウンリンク制御チャネルを受信する前に、前記基地局から送信された第２のシグナリングを受信するようにさらに構成され、前記受信ユニットによって受信された前記第２のシグナリングが、キャリア状況が変化したキャリアの数を搬送し、
前記第１のキャリア情報に含まれる前記キャリアの前記キャリア状況が、キャリア状況が変化した前記キャリアの前記キャリア状況である、請求項８２から８４のいずれか一項に記載のユーザ機器。
【請求項８８】
前記受信ユニットが受信する前記ダウンリンク制御情報が、ダウンリンク制御情報ＤＣＩ  ｆｏｒｍａｔ３又は３Ａであり、
前記受信ユニットが受信する前記ＤＣＩ  ｆｏｒｍａｔ３又は３Ａの送信電力制御ＴＰＣコマンドもまた、前記キャリアの前記キャリア状況を示すために使用される、請求項８２に記載のユーザ機器。
【請求項８９】
前記受信ユニットが、前記物理ダウンリンク制御チャネルによって搬送される前記ダウンリンク制御情報を受信し、前記ダウンリンク制御情報中の前記ＴＰＣコマンドを取得するようにさらに構成され、前記受信ユニットが取得する前記ＴＰＣコマンドが、当該ユーザ機器の前記キャリアの前記第１のキャリア情報を示すために使用される、請求項８２から８６のいずれか一項又は請求項８８に記載のユーザ機器。
【請求項９０】
前記受信ユニットが、前記基地局から送信されたとともに前記第１のキャリア情報を含む前記物理ダウンリンク制御チャネルを受信する前に、前記基地局から送信された第１のシグナリングを受信するようにさらに構成され、前記受信ユニットが受信した前記第１のシグナリングがキャリアアクティブ化指標を搬送し、
当該ユーザ機器が、前記受信ユニットが受信する前記キャリアアクティブ化指標の指示に従って、前記ダウンリンク制御情報における、当該ユーザ機器の前記キャリアの前記第１のキャリア情報の位置を決定するように構成された決定ユニットをさらに含む、請求項８６又は８９に記載のユーザ機器。
【請求項９１】
前記決定ユニットが、前記基地局から送信されたとともに前記第１のキャリア情報を含む前記物理ダウンリンク制御チャネルを受信した後で、前記受信ユニットが受信する前記キャリアの前記キャリア状況を前記基地局がビットマップによって識別する場合には、前記キャリアの前記キャリア状況を、ビットマップによって決定し、又は、
前記受信ユニットが受信する前記キャリアの前記キャリア状況を前記基地局が統一復号モードに対応する統一符号化モードで符号化する場合には、前記キャリアの前記キャリア状況を前記統一復号モードで決定するようにさらに構成され、
前記キャリア状況が、前記アクティブ状態又は前記非アクティブ状態である、請求項８０から９０に記載のユーザ機器。
【請求項９２】
前記受信ユニットが、前記基地局から送信された前記物理ダウンリンク制御チャネルを受信する前に、上位レイヤシグナリングを使用して前記基地局から送信された命令情報を受信するようにさらに構成され、
前記決定ユニットが、前記受信ユニットが受信する前記命令情報に従って物理ダウンリンク制御チャネルを検出して、前記第１のキャリア情報を示す前記物理ダウンリンク制御チャネルを決定するようにさらに構成され、
前記命令情報が、前記第１のキャリア情報を示す前記物理ダウンリンク制御チャネルを検出によって決定するように当該ユーザ機器に命令するために使用される、請求項８０から９１のいずれか一項に記載のユーザ機器。
【請求項９３】
前記受信ユニットが、前記物理ダウンリンク制御チャネル上で繰り返し符号化された前記ダウンリンク制御情報を受信する、又は、
前記物理ダウンリンク制御チャネル上で、通常のコード化ビットレートである第２のコード化ビットレートより低い第１のコード化ビットレートを使用して符号化された前記ダウンリンク制御情報を受信する、又は、
符号化された複数個のダウンリンク制御情報を前記基地局から受信するようにさらに構成される、請求項８０から９２のいずれか一項に記載のユーザ機器。
【請求項９４】
前記ダウンリンク物理制御チャネルが、物理ダウンリンク制御チャネルＰＤＣＣＨ又は拡張物理ダウンリンク制御チャネルＥ−ＰＤＣＣＨを含む、請求項８０から９３に記載のユーザ機器。
【請求項９５】
前記キャリア状況が、前記アクティブ状態又は前記非アクティブ状態であり、
前記通信ユニットが、前記キャリア状況が前記アクティブ状態である場合には、前記キャリア上で、チャネル状態検出に使用されるサウンディング参照信号ＳＲＳを伝送し、及び／又は、前記キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、前記キャリアのダウンリンク物理制御チャネルを検出し、及び／又は、前記キャリア上のスケジューリング結果を示すダウンリンク物理制御チャネルを検出するようにさらに構成される、請求項８０に記載のユーザ機器。
【請求項９６】
前記キャリア状況が、前記アクティブ状態又は前記非アクティブ状態であり、
前記通信ユニットが、前記キャリア状況が前記非アクティブ状態である場合には、前記キャリア上でのＳＲＳの伝送を停止し、及び／又は、ＣＳＩが少なくともＣＱＩ、ＰＭＩ及びＲＩを含む、前記キャリア上でのＣＳＩ報告の生成を停止し、及び／又は、前記キャリアのダウンリンク物理制御チャネルの検出を停止し、及び／又は、前記キャリア上のスケジューリング結果を示すダウンリンク物理制御チャネルの検出を停止し、及び／又は、前記キャリア上でのランダムアクセスチャネルＲＡＣＨ信号の伝送を停止し、及び／又は、前記キャリア上でのアップリンク共有チャネルの伝送を停止するように構成される、請求項８０に記載のユーザ機器。
【請求項９７】
物理ダウンリンク共有チャネルを受信するように構成された受信ユニットと、
前記受信ユニットが受信する前記物理ダウンリンク共有チャネルの中で、第１のキャリア情報を搬送する物理ダウンリンク共有チャネルを決定するように構成された決定ユニットと、
前記決定ユニットによって決定された前記物理ダウンリンク共有チャネルから前記第１のキャリア情報を取得するように構成された取得ユニットであり、前記取得ユニットが取得する前記第１のキャリア情報が、前記キャリアの前記キャリア状況を含み、前記キャリア状況が、アクティブ状態又は非アクティブ状態である取得ユニットと、
前記取得ユニットが取得する前記第１のキャリア情報に従って前記キャリア上で通信を実行するように構成された通信ユニットとを含む、ユーザ機器。
【請求項９８】
前記第１のキャリア情報に含まれる前記キャリアの前記キャリア状況が、前記基地局のキャリアのキャリア状況及び／又は別の基地局のキャリアのキャリア状況を含む、請求項９７に記載のユーザ機器。
【請求項９９】
前記決定ユニットが、
キャリアアクティブ化無線ネットワーク一時識別子ＲＮＴＩを使用して物理ダウンリンク制御チャネルの巡回冗長検査ＣＲＣをスクランブル解除して、ダウンリンク制御情報を搬送する前記物理ダウンリンク制御チャネルを識別するように構成された識別モジュールと、
前記識別モジュールによって識別された前記物理ダウンリンク制御チャネルによって搬送される前記ダウンリンク制御情報を取得し、前記ダウンリンク制御情報に従って、前記第１のキャリア情報を搬送する前記物理ダウンリンク共有チャネルを決定するように構成された取得モジュールとを含み、
前記取得モジュールが取得する前記ダウンリンク制御情報が、前記第１のキャリア情報を搬送する前記物理ダウンリンク共有チャネルを示すために使用される、請求項９７又は９８に記載のユーザ機器。
【請求項１００】
前記決定ユニットが、
物理ブロードキャストチャネルを受信するように構成された受信モジュールと、
前記受信モジュールが受信する前記物理ブロードキャストチャネルに従って、前記第１のキャリア情報を搬送する前記物理ダウンリンク共有チャネルを決定するように構成された決定モジュールとを含み、
前記受信モジュールが受信する前記物理ブロードキャストチャネルが、前記第１のキャリア情報を搬送する前記物理ダウンリンク共有チャネルを示すために使用される、請求項９７に記載のユーザ機器。
【請求項１０１】
前記取得ユニットが、前記キャリアアクティブ化ＲＮＴＩを使用して前記決定した物理ダウンリンク共有チャネルをスクランブル解除して、前記第１のキャリア情報を取得するようにさらに構成される、請求項９７から１００のいずれか一項に記載のユーザ機器。
【請求項１０２】
前記取得ユニットが取得する前記キャリアが、前記基地局及び／又は前記別の基地局のキャリア状況が変化する可能性がある全てのキャリアであり、
前記受信ユニットが、前記通信ユニットが前記第１のキャリア情報に従って前記キャリア上で通信を実行する前に、前記基地局によってブロードキャストにより当該ユーザ機器に対して示される、前記全てのキャリア中での各キャリアのキャリアシーケンス番号を取得する、又は、
基地局から送信された専用シグナリングを受信するようにさらに構成され、前記受信ユニットが受信する前記専用シグナリングが前記全てのキャリア中での各キャリアのキャリアシーケンス番号を搬送し、
前記受信ユニットが受信する前記キャリアシーケンス番号が、各キャリアに設定されたシーケンス番号であり、各キャリアが、異なるキャリアシーケンス番号を有し、前記キャリアシーケンス番号、及び前記キャリアシーケンス番号によって識別されるキャリアが、前記基地局によってサービスされる全てのユーザ機器で一様である、請求項９７又は９８に記載のユーザ機器。
【請求項１０３】
前記受信ユニットが受信する前記キャリアシーケンス番号が、前記キャリアシーケンス番号に対応するキャリアの中心周波数に従って識別される、及び／又は、
前記受信ユニットが受信する前記キャリアシーケンス番号が、前記キャリアシーケンス番号に対応するキャリアの物理識別子に従って識別される、請求項１０２に記載のユーザ機器。
【請求項１０４】
前記取得ユニットが取得する前記第１のキャリア情報に含まれる前記キャリアの前記キャリア状況が、前記全てのキャリアのキャリア状況である、請求項９７から１００のいずれか一項に記載のユーザ機器。
【請求項１０５】
前記受信ユニットが、前記通信ユニットが前記第１のキャリア情報に従って前記キャリア上で通信を実行する前に、前記基地局から送信された第１のシグナリングを受信するようにさらに構成され、前記受信ユニットが受信する前記第１のシグナリングが、キャリア状況が変化したキャリアの数を搬送し、
前記第１のキャリア情報に含まれる前記キャリアの前記キャリア状況が、キャリア状況が変化した前記キャリアの前記キャリア状況である、請求項９７から１００のいずれか一項に記載のユーザ機器。
【請求項１０６】
前記受信ユニットが、前記決定ユニットが前記第１のキャリア情報を搬送する前記物理ダウンリンク共有チャネルを決定する前に、上位レイヤシグナリングを使用して前記基地局から送信された命令情報を受信するようにさらに構成され、前記通信ユニットによって受信された前記命令情報が、前記物理ダウンリンク共有チャネルを示す前記物理ダウンリンク制御チャネル又は前記物理ダウンリンク共有チャネルを示す前記物理ブロードキャストチャネルを検出するように当該ユーザ機器に命令するために使用され、
前記決定ユニットが、前記受信ユニットが受信する前記命令情報に従って前記物理ダウンリンク制御チャネル又は前記物理ブロードキャストチャネルを検出して、前記第１のキャリア情報を示す前記物理ダウンリンク共有チャネルを決定するようにさらに構成される、請求項９９から１０５のいずれか一項に記載のユーザ機器。
【請求項１０７】
前記受信ユニットが、前記物理ダウンリンク共有チャネルを受信する前に、前記物理ダウンリンク制御チャネル上で繰り返し符号化された前記ダウンリンク制御情報を受信する、又は、
前記物理ダウンリンク制御チャネル上で、通常のコード化ビットレートである第２のコード化ビットレートより低い第１のコード化ビットレートを使用して符号化された前記ダウンリンク制御情報を受信する、又は、
符号化された複数個のダウンリンク制御情報を前記基地局から受信するようにさらに構成される、請求項９７又は９９に記載のユーザ機器。
【請求項１０８】
前記物理ダウンリンク制御チャネルが、物理ダウンリンク制御チャネルＰＤＣＣＨ又は拡張物理ダウンリンク制御チャネルＥ−ＰＤＣＣＨを含む、請求項９７又は９９に記載のユーザ機器。
【請求項１０９】
前記受信ユニットが受信する前記キャリア状況が、前記アクティブ状態又は前記非アクティブ状態であり、
前記通信ユニットが、前記キャリア状況が前記アクティブ状態である場合には、前記キャリア上で、チャネル状態検出に使用されるサウンディング参照信号ＳＲＳを伝送し、及び／又は、前記キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、前記キャリアの物理ダウンリンク制御チャネルを検出し、及び／又は、前記キャリア上のスケジューリング結果を示す物理ダウンリンク制御チャネルを検出するようにさらに構成される、請求項９７に記載のユーザ機器。
【請求項１１０】
前記受信ユニットが受信する前記キャリア状況が、前記アクティブ状態又は前記非アクティブ状態であり、
前記通信ユニットが、前記キャリア状況が前記非アクティブ状態である場合には、前記キャリア上でのＳＲＳの伝送を停止し、及び／又は、ＣＳＩが少なくともＣＱＩ、ＰＭＩ及びＲＩを含む、前記キャリア上でのＣＳＩ報告の生成を停止し、及び／又は、前記キャリアの物理ダウンリンク制御チャネルの検出を停止し、及び／又は、前記キャリア上のスケジューリング結果を示す物理ダウンリンク制御チャネルの検出を停止し、及び／又は、前記キャリア上でのランダムアクセスチャネルＲＡＣＨ信号の伝送を停止し、及び／又は、前記キャリア上でのアップリンク共有チャネルの伝送を停止するようにさらに構成される、請求項９７に記載のユーザ機器。
【発明の詳細な説明】
【技術分野】
【０００１】
本発明は、通信分野に関し、特に、キャリア状況指示方法及び装置に関する。
【０００２】
本出願は、参照によりその全体を本明細書に組み込む、２０１３年７月１日に中国特許庁に出願された「ＣＡＲＲＩＥＲ  ＳＴＡＴＥ  ＩＮＤＩＣＡＴＩＯＮ  ＭＥＴＨＯＤ  ＡＮＤ  ＤＥＶＩＣＥ」と題する中国特許出願第ＰＣＴ／ＣＮ２０１３／０７８５８８号の優先権を主張するものである。
【背景技術】
【０００３】
第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ，３ＧＰＰ）で導入されたキャリアアグリゲーション（ＣＡ，Ｃａｒｒｉｅｒ  Ａｇｇｒｅｇａｔｉｏｎ）技術では、ユーザ機器（Ｕｓｅｒ  Ｅｑｕｉｐｍｅｎｔ，ＵＥ）は、複数のコンポーネントキャリア（Ｃｏｍｐｏｎｅｎｔ  Ｃａｒｒｉｅｒ，ＣＣ）を同時に使用して、アップリンク及び／又はダウンリンクの通信を実行することができ、これにより、ネットワークの伝送レート及びサービスの品質を改善し、設定帯域幅を有意に増大させることなく一般ユーザのレートを保証し、一部のユーザにより高いスループットを提供することができる。
【０００４】
キャリアアグリゲーションにおけるＣＣは、ＣＣにおいて搬送される機能に従って、１次セル（Ｐｒｉｍａｒｙ  Ｃｅｌｌ，ＰＣｅｌｌ）及び２次セル（Ｓｅｃｏｎｄａｒｙ  Ｃｅｌｌ，ＳＣｅｌｌ）に分類される。ＰＣｅｌｌは、１次周波数帯域で作動するセルであり、ＵＥは、セルにおいて初期接続確立プロセスを実行する、又は接続再確立プロセスを開始し、セルは、セルハンドオーバプロセス中に１次セルとして示される。ＳＣｅｌｌは、２次周波数帯域で作動するセルであり、無線リソース制御（Ｒａｄｉｏ  Ｒｅｓｏｕｒｃｅ  Ｃｏｎｔｒｏｌ，ＲＲＣ）接続が確立されると、２次セルは、ＵＥに余分の無線リソースを提供するように設定されることができる。ＣＡが設定されない場合には、ＲＲＣ接続状態のＵＥは、１つのサービングセル、すなわちＰＣｅｌｌしか有していないが、ＣＡが設定された場合には、サービングセルセットは、ＰＣｅｌｌ及びＳＣｅｌｌを含む。さらに、ＰＣｅｌｌ及びＳＣｅｌｌに対応するキャリアは、同じ基地局のキャリアであってもよいし、異なる基地局のキャリアであってもよい。例えば、ＰＣｅｌｌ及びＳＣｅｌｌに対応するキャリアは、マクロセル基地局のキャリアであってもよいし、急速に高まるトラフィック要件を満たすように従来のマクロ基地局セルラネットワークに基づいてマクロセルのホットスポット領域内に密に展開されたスモールセル（Ｓｍａｌｌ  ｃｅｌｌ）基地局のキャリアであってもよい。ＰＣｅｌｌ及びＳＣｅｌｌに対応するキャリアが異なる基地局のキャリアであるときには、スモールセル基地局は、そのスモールセル基地局のキャリアのキャリア状況を、理想的なバックホール又は非理想的なバックホールによってマクロ基地局に対して示すことができる。
【０００５】
初期セキュリティアクティブ化手続きの後で、ＲＲＣ接続再構成メッセージを使用して、ＳＣｅｌｌセルをアクティブ化又は非アクティブ化することができる。ユーザ機器が比較的低いトラフィックを有するときには、いくつかのＣＣを解放（すなわち非アクティブ化）して、ＣＡ内のユーザ機器のキャリアリソース及び電気量の無駄を回避することができる。
【０００６】
従来技術では、メディアアクセス制御の制御要素（Ｍｅｄｉａ  Ａｃｃｅｓｓ  Ｃｏｎｔｒｏｌ  Ｃｏｎｔｒｏｌ  Ｅｌｅｍｅｎｔ，ＭＡＣ  ＣＥ）に基づくユーザ機器ＳＣｅｌｌのキャリアアクティブ化又は非アクティブ化機構と、非アクティブ化タイマ（Ｄｅａｃｔｉｖａｔｉｏｎ  Ｔｉｍｅｒｓ）の組合せが提供されている。ＭＡＣ  ＣＥに基づくＳＣｅｌｌアクティブ化又は非アクティブ化動作は、基地局によって制御され、ユーザ機器は、基地局から受信するアクティブ化指示に従って、アクティブ化情報又は非アクティブ化情報を取得することができる。
【０００７】
しかし、キャリアを実時間で動的に調整するためには、キャリアアクティブ化又は非アクティブ化中に、高速なキャリア選択（Ｆａｓｔ  Ｃａｒｒｉｅｒ  Ｓｅｌｅｃｔｉｏｎ，ＦＣＳ）を実施する必要がある。しかし、従来技術では、キャリアのアクティブ状態又は非アクティブ状態をＭＡＣ  ＣＥを使用してユーザ機器に対して示すときに、ＭＡＣシグナリングの伝送遅延を、ＦＣＳの要件に合わせることが困難であり、基地局のキャリアのアクティブ状態又は非アクティブ状態をユーザ機器に対して１つ１つ示すと、チャネルリソースを占有し、ネットワーク負荷を増大させ、キャリアのアクティブ化遅延又は非アクティブ化遅延をさらに増大させることになる。したがって、キャリアのアクティブ状態又は非アクティブ状態を示す効率は、比較的低い。
【発明の概要】
【０００８】
本発明の実施形態は、キャリアのアクティブ状態又は非アクティブ状態を示す遅延を短縮することができ、キャリアのアクティブ状態又は非アクティブ状態を示す効率を向上させることができる、キャリア状況指示方法及びデバイスを提供する。
【０００９】
第１の態様によれば、基地局が、キャリアのキャリア状況を決定するステップであり、キャリア状況が、アクティブ状態又は非アクティブ状態であるステップと、
基地局が、ダウンリンク物理制御チャネルを使用して第１のキャリア情報をユーザ機器に対して示すステップであり、第１のキャリア情報が、キャリアのキャリア状況を含み、第１のキャリア情報が、ユーザ機器がキャリア状況に従ってキャリア上で通信を実行できるようにするために使用されるステップとを含む、キャリア状況指示方法が提供される。
【００１０】
第１の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００１１】
第１の態様又は上記の第１の可能な実施方法に関連して、第２の可能な実施方法では、  基地局がダウンリンク物理制御チャネルを使用して第１のキャリア情報をユーザ機器に対して示すステップは、
基地局が、ダウンリンク物理制御チャネルによって搬送されるダウンリンク制御情報を使用して、第１のキャリア情報をユーザ機器に対して示すステップを含み、
ダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られるダウンリンク制御情報であり、キャリアアクティブ化ＲＮＴＩは、第１のキャリア情報を搬送するダウンリンク物理制御チャネルを識別するために使用される、基地局によってユーザ機器用に設定されたＲＮＴＩである。
【００１２】
第１の態様又は上記の可能な実施方法のいずれか１つに関連して、第３の可能な実施方法では、キャリアは、基地局及び／又は別の基地局のキャリア状況が変化する可能性がある全てのキャリアであり、
ダウンリンク物理制御チャネルを使用して第１のキャリア情報をユーザ機器に対して示すステップの前に、当該方法は、
基地局が、ブロードキャストによって全てのキャリア中での各キャリアのキャリアシーケンス番号をユーザ機器に対して示すステップ、又は、
基地局が、専用シグナリングを使用して全てのキャリア中での各キャリアのキャリアシーケンス番号をユーザ機器に送信するステップをさらに含み、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００１３】
第１の態様又は上記の可能な実施方法のいずれか１つに関連して、第４の可能な実施方法では、キャリアシーケンス番号は、キャリアシーケンス番号に対応するキャリアの中心周波数に従って識別される、及び／又は、
キャリアシーケンス番号は、キャリアシーケンス番号に対応するキャリアの物理識別子に従って識別される。
【００１４】
第１の態様又は上記の可能な実施方法のいずれか１つに関連して、第５の可能な実施方法では、第１のキャリア情報に含まれるキャリアのキャリア状況は、全てのキャリアのキャリア状況である。
【００１５】
第１の態様又は上記の可能な実施方法のいずれか１つに関連して、第６可能な実施方法では、ユーザ機器は、複数のユーザ機器であり、第１のキャリア情報に含まれるキャリアのキャリア状況は、キャリア状況が変化する可能性がある全てのキャリアのキャリア状況であり、キャリア状況が変化する可能性がある全てのキャリアは、基地局において、複数のユーザ機器中の各ユーザ機器に向けられる。
【００１６】
第１の態様又は上記の可能な実施方法のいずれか１つに関連して、第７の可能な実施方法では、基地局がダウンリンク物理制御チャネルを使用して第１のキャリア情報をユーザ機器に対して示すステップの前に、当該方法は、
基地局が、第２のシグナリングを使用して、キャリア状況が変化したキャリアの数をユーザ機器に対して示すステップをさらに含み、
第１のキャリア情報に含まれるキャリアのキャリア状況は、キャリア状況が変化したキャリアのキャリア状況である。
【００１７】
第１の態様又は上記の可能な実施方法のいずれか１つに関連して、第８の可能な実施方法では、ダウンリンク制御情報は、ダウンリンク制御情報ＤＣＩ  ｆｏｒｍａｔ３又は３Ａであり、
ＤＣＩ  ｆｏｒｍａｔ３又は３Ａの送信電力制御ＴＰＣコマンドもまた、キャリアのキャリア状況を示すために使用される。
【００１８】
第１の態様又は上記の可能な実施方法のいずれか１つに関連して、第９の可能な実施方法では、基地局がダウンリンク物理制御チャネルを使用して第１のキャリア情報をユーザ機器に対して示すステップは、
基地局が、ダウンリンク物理制御チャネルによって搬送されるダウンリンク制御情報中の複数のＴＰＣコマンドを使用して、複数のユーザ機器中での各ユーザ機器のキャリアの第１のキャリア情報を複数のユーザ機器に対して示すステップを含む。
【００１９】
第１の態様又は上記の可能な実施方法のいずれか１つに関連して、第１０の可能な実施方法では、基地局がダウンリンク物理制御チャネルを使用して第１のキャリア情報をユーザ機器に対して示すステップの前に、当該方法は、
基地局が、第１のシグナリングを使用して各ユーザ機器にキャリアアクティブ化指標を通知するステップをさらに含み、キャリアアクティブ化指標は、ダウンリンク制御情報における、各ユーザ機器のキャリアの第１のキャリア情報の位置を示すために使用される。
【００２０】
第１の態様又は上記の可能な実施方法のいずれか１つに関連して、第１１の可能な実施方法では、キャリアのキャリア状況は、ビットマップによって識別される、又は、
キャリアのキャリア状況は、統一符号化モードで符号化される。
【００２１】
第１の態様又は上記の可能な実施方法のいずれか１つに関連して、第１２の可能な実施方法では、基地局がダウンリンク物理制御チャネルを使用して第１のキャリア情報をユーザ機器に対して示すステップの前に、当該方法は、
基地局が、上位レイヤシグナリングを使用して命令情報をユーザ機器に送信するステップをさらに含み、命令情報は、第１のキャリア情報を示すダウンリンク物理制御チャネルを検出によって決定するようにユーザ機器に命令するために使用される。
【００２２】
第１の態様又は上記の可能な実施方法のいずれか１つに関連して、第１３の可能な実施方法では、基地局がダウンリンク物理制御チャネルを使用して第１のキャリア情報をユーザ機器に対して示すステップの前に、当該方法は、
基地局が、ダウンリンク制御情報を繰り返し符号化するステップ、又は、
基地局が、第１のコード化ビットレートを使用してダウンリンク制御情報を符号化するステップであり、第１のコード化ビットレートが第２のコード化ビットレートより低く、第２のコード化ビットレートが通常のコード化ビットレートであるステップ、又は、
基地局が、符号化されたダウンリンク制御情報をユーザ機器に繰り返し送信するステップをさらに含む。
【００２３】
第１の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００２４】
第２の態様によれば、さらに、
基地局がキャリアのキャリア状況を決定するステップであり、キャリア状況が、アクティブ状態又は非アクティブ状態であるステップと、
基地局が、物理ブロードキャストチャネルによって示される、又はダウンリンク制御情報によって示される物理ダウンリンク共有チャネルを使用して第１のキャリア情報をユーザ機器に対して示すステップであり、第１のキャリア情報が、キャリアのキャリア状況を含み、第１のキャリア情報が、ユーザ機器がキャリア状況に従ってキャリア上で通信を実行できるようにするために使用されるステップとを含むキャリア状況指示方法であって、
ダウンリンク制御情報が、ダウンリンク物理制御チャネルによって搬送され、ダウンリンク制御情報が、キャリアアクティブ化無線ネットワーク一時識別子ＲＮＴＩを使用してダウンリンク物理制御チャネルの巡回冗長検査ＣＲＣをスクランブルすることによって得られ、第１のキャリア情報が、キャリアアクティブ化ＲＮＴＩを使用したスクランブルによって得られ、キャリアアクティブ化ＲＮＴＩが、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである、キャリア状況指示方法が提供される。
【００２５】
第２の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００２６】
第２の態様又は上記の第１の可能な実施方法に関連して、第２の可能な実施方法では、キャリアは、基地局及び／又は別の基地局のキャリア状況が変化する可能性がある全てのキャリアであり、
基地局が物理ブロードキャストチャネルによって示される、又はダウンリンク制御情報によって示される物理ダウンリンク共有チャネルを使用して第１のキャリア情報をユーザ機器に対して示すステップの前に、当該方法は、
基地局が、ブロードキャストによって全てのキャリア中での各キャリアのキャリアシーケンス番号をユーザ機器に対して示すステップ、又は、
基地局が、専用シグナリングを使用して全てのキャリア中での各キャリアのキャリアシーケンス番号をユーザ機器に送信するステップをさらに含み、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００２７】
第２の態様又は上記の第２の可能な実施方法に関連して、第３の可能な実施方法では、キャリアシーケンス番号は、キャリアシーケンス番号に対応するキャリアの中心周波数に従って識別される、及び／又は、
キャリアシーケンス番号は、キャリアシーケンス番号に対応するキャリアの物理識別子に従って識別される。
【００２８】
第２の態様又は上記の可能な実施方法のいずれか１つに関連して、第４の可能な実施方法では、第１のキャリア情報に含まれるキャリアのキャリア状況は、全てのキャリアのキャリア状況である。
【００２９】
第２の態様又は上記の可能な実施方法のいずれか１つに関連して、第５の可能な実施方法では、基地局が、物理ブロードキャストチャネルによって示される、又はダウンリンク制御情報によって示される物理ダウンリンク共有チャネルを使用して第１のキャリア情報をユーザ機器に対して示すステップの前に、当該方法は、
基地局が、第１のシグナリングを使用して、キャリア状況が変化したキャリアの数をユーザ機器に対して示すステップをさらに含み、
第１のキャリア情報に含まれるキャリアのキャリア状況は、キャリア状況が変化したキャリアのキャリア状況である。
【００３０】
第２の態様又は上記の可能な実施方法のいずれか１つに関連して、第６の可能な実施方法では、基地局が物理ブロードキャストチャネルによって示される、又はダウンリンク制御情報によって示される物理ダウンリンク共有チャネルを使用して第１のキャリア情報をユーザ機器に対して示すステップの前に、当該方法は、
基地局が、上位レイヤシグナリングを使用して命令情報をユーザ機器に送信するステップをさらに含み、命令情報は、第１のキャリア情報を示す物理ダウンリンク共有チャネルを検出によって決定するようにユーザ機器に命令するために使用される。
【００３１】
第２の態様又は上記の可能な実施方法のいずれか１つに関連して、第７の可能な実施方法では、基地局がダウンリンク制御情報によって示される物理ダウンリンク共有チャネルを使用して第１のキャリア情報をユーザ機器に対して示すステップの前に、当該方法は、
基地局が、ダウンリンク制御情報を繰り返し符号化するステップ、又は、
基地局が、第１のコード化ビットレートを使用してダウンリンク制御情報を符号化するステップであり、第１のコード化ビットレートが第２のコード化ビットレートより低く、第２のコード化ビットレートが通常のコード化ビットレートであるステップ、又は、
基地局が、符号化されたダウンリンク制御情報をユーザ機器に繰り返し送信するステップをさらに含む。
【００３２】
第２の態様又は上記の可能な実施方法のいずれか１つに関連して、第８の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００３３】
第３の態様によれば、さらに、
ユーザ機器が、基地局から送信されたダウンリンク物理制御チャネルを受信するステップであり、ダウンリンク物理制御チャネルが、第１のキャリア情報を含み、第１のキャリア情報が、キャリアのキャリア状況を含み、キャリア状況が、アクティブ状態又は非アクティブ状態であるステップと、
ユーザ機器が、第１のキャリア情報に従ってキャリア上で通信を実行するステップとを含む、キャリア状況指示方法が提供される。
【００３４】
第３の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００３５】
第３の態様又は上記の第１の可能な実施方法に関連して、第２の可能な実施方法では、ユーザ機器が基地局から送信されたとともに第１のキャリア情報を含むダウンリンク物理制御チャネルを受信するステップは、
ユーザ機器が、キャリアアクティブ化無線ネットワーク一時識別子ＲＮＴＩを使用してダウンリンク物理制御チャネルの巡回冗長検査ＣＲＣをスクランブル解除して、第１のキャリア情報を搬送するダウンリンク物理制御チャネルを識別するステップと、
ユーザ機器が、識別したダウンリンク物理制御チャネルによって搬送されるダウンリンク制御情報を取得するステップであり、ダウンリンク制御情報が第１のキャリア情報を含むステップとを含み、
キャリアアクティブ化ＲＮＴＩは、第１のキャリア情報を搬送するダウンリンク物理制御チャネルを識別するために使用される、基地局によってユーザ機器用に設定されたＲＮＴＩである。
【００３６】
第３の態様又は上記の第１の可能な実施方法に関連して、第３の可能な実施方法では、キャリアは、基地局及び／又は別の基地局のキャリア状況が変化する可能性がある全てのキャリアであり、
ユーザ機器が基地局から送信されたダウンリンク物理制御チャネルを受信するステップの前に、当該方法は、
ユーザ機器が、基地局によってブロードキャストによりユーザ機器に対して示される、全てのキャリア中での各キャリアのキャリアシーケンス番号を取得するステップ、又は、
ユーザ機器が、基地局から送信された専用シグナリングを受信するステップであり、専用シグナリングが全てのキャリア中での各キャリアのキャリアシーケンス番号を搬送するステップをさらに含み、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００３７】
第３の態様又は上記の可能な実施方法のいずれか１つに関連して、第４の可能な実施方法では、キャリアシーケンス番号は、キャリアシーケンス番号に対応するキャリアの中心周波数に従って識別される、及び／又は、
キャリアシーケンス番号は、キャリアシーケンス番号に対応するキャリアの物理識別子に従って識別される。
【００３８】
第３の態様又は上記の可能な実施方法のいずれか１つに関連して、第５の可能な実施方法では、第１のキャリア情報に含まれるキャリアのキャリア状況は、全てのキャリアのキャリア状況である。
【００３９】
第３の態様又は上記の可能な実施方法のいずれか１つに関連して、第６の可能な実施方法では、第１のキャリア情報に含まれるキャリアのキャリア状況は、キャリア状況が変化する可能性がある全てのキャリアのうち、ユーザ機器に向けられた、キャリア状況が変化する可能性がある全てのキャリアのキャリア状況である。
【００４０】
第３の態様又は上記の可能な実施方法のいずれか１つに関連して、第７の可能な実施方法では、ユーザ機器が基地局から送信されたとともに第１のキャリア情報を含むダウンリンク物理制御チャネルを受信するステップの前に、当該方法は、
ユーザ機器が、基地局から送信された第２のシグナリングを受信するステップであり、第２のシグナリングが、キャリア状況が変化したキャリアの数を搬送するステップをさらに含み、
第１のキャリア情報に含まれるキャリアのキャリア状況は、キャリア状況が変化したキャリアのキャリア状況である。
【００４１】
第３の態様又は上記の可能な実施方法のいずれか１つに関連して、第８の可能な実施方法では、ダウンリンク制御情報は、ダウンリンク制御情報ＤＣＩ  ｆｏｒｍａｔ３又は３Ａであり、
ＤＣＩ  ｆｏｒｍａｔ３又は３Ａの送信電力制御ＴＰＣコマンドもまた、キャリアのキャリア状況を示すために使用される。
【００４２】
第３の態様又は上記の可能な実施方法のいずれか１つに関連して、第９の可能な実施方法では、ユーザ機器が基地局から送信されたとともに第１のキャリア情報を含むダウンリンク物理制御チャネルを受信するステップは、
ユーザ機器が、ダウンリンク物理制御チャネルによって搬送されるダウンリンク制御情報を受信し、ダウンリンク制御情報中のＴＰＣコマンドを取得するステップを含み、ＴＰＣコマンドは、ユーザ機器のキャリアの第１のキャリア情報を示すために使用される。
【００４３】
第３の態様又は上記の可能な実施方法のいずれか１つに関連して、第１０の可能な実施方法では、ユーザ機器が基地局から送信されたとともに第１のキャリア情報を含むダウンリンク物理制御チャネルを受信するステップの前に、当該方法は、
ユーザ機器が、基地局から送信された第１のシグナリングを受信するステップであり、第１のシグナリングがキャリアアクティブ化指標を搬送するステップと、
ユーザ機器が、キャリアアクティブ化指標の指示に従って、ダウンリンク制御情報における、ユーザ機器のキャリアの第１のキャリア情報の位置を決定するステップとをさらに含む。
【００４４】
第３の態様又は上記の可能な実施方法のいずれか１つに関連して、第１１の可能な実施方法では、ユーザ機器が基地局から送信されたとともに第１のキャリア情報を含むダウンリンク物理制御チャネルを受信した後で、当該方法は、
キャリアのキャリア状況を基地局がビットマップによって識別する場合には、ユーザ機器が、キャリアのキャリア状況を、ビットマップによって決定するステップ、又は、
キャリアのキャリア状況を基地局が統一復号モードに対応する統一符号化モードで符号化する場合には、ユーザ機器が、キャリアのキャリア状況を、統一復号モードで決定するステップをさらに含み、
キャリア状況は、アクティブ状態又は非アクティブ状態である。
【００４５】
第３の態様又は上記の可能な実施方法のいずれか１つに関連して、第１２の可能な実施方法では、ユーザ機器が基地局から送信されたダウンリンク物理制御チャネルを受信するステップの前に、当該方法は、
ユーザ機器が、上位レイヤシグナリングを使用して基地局から送信された命令情報を受信するステップと、
ユーザ機器が、命令情報に従ってダウンリンク物理制御チャネルを検出して、第１のキャリア情報を示すダウンリンク物理制御チャネルを決定するステップとをさらに含み、
命令情報は、第１のキャリア情報を示すダウンリンク物理制御チャネルを検出によって決定するようにユーザ機器に命令するために使用される。
【００４６】
第３の態様又は上記の可能な実施方法のいずれか１つに関連して、第１３の可能な実施方法では、ユーザ機器が基地局から送信されたダウンリンク物理制御チャネルを受信するステップは、
ユーザ機器が、ダウンリンク物理制御チャネル上で繰り返し符号化されたダウンリンク制御情報を受信するステップ、又は、
ユーザ機器が、ダウンリンク物理制御チャネル上で第１のコード化ビットレートを使用して符号化されたダウンリンク制御情報を受信するステップであり、第１のコード化ビットレートが第２のコード化ビットレートより低く、第２のコード化ビットレートが通常のコード化ビットレートであるステップ、又は、
ユーザ機器が、符号化された複数個のダウンリンク制御情報を基地局から受信するステップを含む。
【００４７】
第３の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００４８】
第３の態様又は上記の可能な実施方法のいずれか１つに関連して、第１５の可能な実施方法では、キャリア状況は、アクティブ状態又は非アクティブ状態であり、
キャリア状況がアクティブ状態である場合には、ユーザ機器が第１のキャリア情報に従ってキャリア上で通信を実行するステップは、
ユーザ機器が、キャリア上でサウンディング参照信号ＳＲＳを伝送するステップであり、ＳＲＳがチャネル状態検出に使用されるステップ、
及び／又は、ユーザ機器が、キャリア上でチャネル状態情報ＣＳＩ報告を生成するステップであり、ＣＳＩが、少なくともチャネル品質指標ＣＱＩ、プリコード化マトリクス指標ＰＭＩ及びランク指示ＲＩを含むステップ、
及び／又は、ユーザ機器が、キャリアのダウンリンク物理制御チャネルを検出するステップ、
及び／又は、ユーザ機器が、キャリア上のスケジューリング結果を示すダウンリンク物理制御チャネルを検出するステップを含む。
【００４９】
第３の態様又は上記の可能な実施方法のいずれか１つに関連して、第１６の可能な実施方法では、キャリア状況は、アクティブ状態又は非アクティブ状態であり、
キャリア状況が非アクティブ状態である場合には、ユーザ機器が第１のキャリア情報に従ってキャリア上で通信を実行するステップは、
ユーザ機器が、キャリア上でのＳＲＳの伝送を停止するステップ、
及び／又は、ユーザ機器が、キャリア上でのＣＳＩ報告の生成を停止するステップであり、ＣＳＩが、少なくともＣＱＩ、ＰＭＩ及びＲＩを含むステップ、
及び／又は、ユーザ機器が、キャリアのダウンリンク物理制御チャネルの検出を停止するステップ、
及び／又は、ユーザ機器が、キャリア上のスケジューリング結果を示すダウンリンク物理制御チャネルの検出を停止するステップ、
及び／又は、ユーザ機器が、キャリア上でのランダムアクセスチャネルＲＡＣＨ信号の伝送を停止するステップ、
及び／又は、ユーザ機器が、キャリア上でのアップリンク共有チャネルの伝送を停止するステップを含む。
【００５０】
第４の態様によれば、さらに、
ユーザ機器が、物理ダウンリンク共有チャネルを受信し、第１のキャリア情報を搬送する物理ダウンリンク共有チャネルを決定するステップと、
ユーザ機器が、決定した物理ダウンリンク共有チャネルから第１のキャリア情報を取得するステップであり、第１のキャリア情報が、キャリアのキャリア状況を含み、キャリア状況が、アクティブ状態又は非アクティブ状態であるステップと、
ユーザ機器が、第１のキャリア情報に従ってキャリア上で通信を実行するステップとを含む、キャリア状況指示方法が提供される。
【００５１】
第４の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００５２】
第４の態様又は上記の第１の可能な実施方法に関連して、第２の可能な実施方法では、ユーザ機器が第１のキャリア情報を搬送する物理ダウンリンク共有チャネルを決定するステップは、
ユーザ機器が、キャリアアクティブ化無線ネットワーク一時識別子ＲＮＴＩを使用してダウンリンク物理制御チャネルの巡回冗長検査ＣＲＣをスクランブル解除して、ダウンリンク制御情報を搬送するダウンリンク物理制御チャネルを識別するステップと、
ユーザ機器が、識別したダウンリンク物理制御チャネルが搬送するダウンリンク制御情報を取得し、ダウンリンク制御情報に従って、第１のキャリア情報を搬送する物理ダウンリンク共有チャネルを決定するステップとを含み、
ダウンリンク制御情報は、第１のキャリア情報を搬送する物理ダウンリンク共有チャネルを示すために使用される。
【００５３】
第４の態様又は上記の可能な実施方法のいずれか１つに関連して、第３の可能な実施方法では、ユーザ機器が第１のキャリア情報を搬送する物理ダウンリンク共有チャネルを決定するステップは、
ユーザ機器が、物理ブロードキャストチャネルを受信し、物理ブロードキャストチャネルに従って、第１のキャリア情報を搬送する物理ダウンリンク共有チャネルを決定するステップを含み、
物理ブロードキャストチャネルは、第１のキャリア情報を搬送する物理ダウンリンク共有チャネルを示すために使用される。
【００５４】
第４の態様又は上記の可能な実施方法のいずれか１つに関連して、第４の可能な実施方法では、ユーザ機器が決定した物理ダウンリンク共有チャネルから第１のキャリア情報を取得するステップは、
ユーザ機器が、キャリアアクティブ化ＲＮＴＩを使用して決定した物理ダウンリンク共有チャネルをスクランブル解除して、第１のキャリア情報を取得するステップを含む。
【００５５】
第１の態様又は上記の可能な実施方法のいずれか１つに関連して、第５の可能な実施方法では、キャリアは、基地局及び／又は別の基地局のキャリア状況が変化する可能性がある全てのキャリアであり、
ユーザ機器が第１のキャリア情報に従ってキャリア上で通信を実行するステップの前に、当該方法は、
ユーザ機器が、基地局によってブロードキャストによりユーザ機器に対して示される、全てのキャリア中での各キャリアのキャリアシーケンス番号を取得するステップ、又は、
ユーザ機器が、基地局から送信された専用シグナリングを受信するステップであり、専用シグナリングが全てのキャリア中での各キャリアのキャリアシーケンス番号を搬送するステップをさらに含み、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００５６】
第４の態様又は上記の可能な実施方法のいずれか１つに関連して、第６の可能な実施方法では、キャリアシーケンス番号は、キャリアシーケンス番号に対応するキャリアの中心周波数に従って識別される、及び／又は、
キャリアシーケンス番号は、キャリアシーケンス番号に対応するキャリアの物理識別子に従って識別される。
【００５７】
第４の態様又は上記の可能な実施方法のいずれか１つに関連して、第７の可能な実施方法では、第１のキャリア情報に含まれるキャリアのキャリア状況は、全てのキャリアのキャリア状況である。
【００５８】
第４の態様又は上記の可能な実施方法のいずれか１つに関連して、第８の可能な実施方法では、ユーザ機器が第１のキャリア情報に従ってキャリア上で通信を実行するステップの前に、当該方法は、
ユーザ機器が、基地局から送信された第１のシグナリングを受信するステップであり、第１のシグナリングが、キャリア状況が変化したキャリアの数を搬送するステップをさらに含み、
第１のキャリア情報に含まれるキャリアのキャリア状況は、キャリア状況が変化したキャリアのキャリア状況である。
【００５９】
第４の態様又は上記の可能な実施方法のいずれか１つに関連して、第９の可能な実施方法では、ユーザ機器が第１のキャリア情報を搬送する物理ダウンリンク共有チャネルを決定するステップの前に、当該方法は、
ユーザ機器が、上位レイヤシグナリングを使用して基地局から送信された命令情報を受信するステップであり、命令情報が、物理ダウンリンク共有チャネルを示すダウンリンク物理制御チャネル又は物理ダウンリンク共有チャネルを示す物理ブロードキャストチャネルを検出するようにユーザ機器に命令するために使用されるステップと、
命令情報に従ってダウンリンク物理制御チャネル又は物理ブロードキャストチャネルを検出して、第１のキャリア情報を搬送する物理ダウンリンク共有チャネルを決定するステップとをさらに含む。
【００６０】
第４の態様又は上記の可能な実施方法のいずれか１つに関連して、第１０の可能な実施方法では、ユーザ機器が物理ダウンリンク共有チャネルを受信するステップの前に、当該方法は、
ユーザ機器が、ダウンリンク物理制御チャネル上で繰り返し符号化されたダウンリンク制御情報を受信するステップ、又は、
ユーザ機器が、ダウンリンク物理制御チャネル上で第１のコード化ビットレートを使用して符号化されたダウンリンク制御情報を受信するステップであり、第１のコード化ビットレートが第２のコード化ビットレートより低く、第２のコード化ビットレートが通常のコード化ビットレートであるステップ、又は、
ユーザ機器が、符号化された複数個のダウンリンク制御情報を基地局から受信するステップをさらに含む。
【００６１】
第４の態様又は上記の可能な実施方法のいずれか１つに関連して、第１１の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００６２】
第４の態様又は上記の可能な実施方法のいずれか１つに関連して、第１２の可能な実施方法では、キャリア状況は、アクティブ状態又は非アクティブ状態であり、
キャリア状況がアクティブ状態である場合には、ユーザ機器が第１のキャリア情報に従ってキャリア上で通信を実行するステップは、
ユーザ機器が、キャリア上でサウンディング参照信号ＳＲＳを伝送するステップであり、ＳＲＳがチャネル状態検出に使用されるステップ、
及び／又は、ユーザ機器が、キャリア上でチャネル状態情報ＣＳＩ報告を生成するステップであり、ＣＳＩが、少なくともチャネル品質指標ＣＱＩ、プリコード化マトリクス指標ＰＭＩ及びランク指示ＲＩを含むステップ、
及び／又は、ユーザ機器が、キャリアのダウンリンク物理制御チャネルを検出するステップ、
及び／又は、ユーザ機器が、キャリア上のスケジューリング結果を示すダウンリンク物理制御チャネルを検出するステップを含む。
【００６３】
第４の態様又は上記の可能な実施方法のいずれか１つに関連して、第１３の可能な実施方法では、キャリア状況は、アクティブ状態又は非アクティブ状態であり、
キャリア状況が非アクティブ状態である場合には、ユーザ機器が第１のキャリア情報に従ってキャリア上で通信を実行するステップは、
ユーザ機器が、キャリア上でのＳＲＳの伝送を停止するステップ、
及び／又は、ユーザ機器が、キャリア上でのＣＳＩ報告の生成を停止するステップであり、ＣＳＩが、少なくともＣＱＩ、ＰＭＩ及びＲＩを含むステップ、
及び／又は、ユーザ機器が、キャリアのダウンリンク物理制御チャネルの検出を停止するステップ、
及び／又は、ユーザ機器が、キャリア上のスケジューリング結果を示すダウンリンク物理制御チャネルの検出を停止するステップ、
及び／又は、ユーザ機器が、キャリア上でのランダムアクセスチャネルＲＡＣＨ信号の伝送を停止するステップ、
及び／又は、ユーザ機器が、キャリア上でのアップリンク共有チャネルの伝送を停止するステップを含む。
【００６４】
第５の態様によれば、さらに、
キャリアのキャリア状況を決定するように構成された決定ユニットであり、キャリア状況が、アクティブ状態又は非アクティブ状態である決定ユニットと、
ダウンリンク物理制御チャネルを使用して第１のキャリア情報をユーザ機器に対して示すように構成された送信ユニットであり、第１のキャリア情報が、決定ユニットによって決定されたキャリアのキャリア状況を含み、第１のキャリア情報が、ユーザ機器がキャリア状況に従ってキャリア上で通信を実行できるようにするために使用される送信ユニットとを含む、基地局が提供される。
【００６５】
第５の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００６６】
第５の態様又は上記の第１の可能な実施方法に関連して、第２の可能な実施方法では、送信ユニットは、ダウンリンク物理制御チャネルによって搬送されるダウンリンク制御情報を使用して第１のキャリア情報をユーザ機器に対して示すようにさらに構成され、
ダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られるダウンリンク制御情報であり、キャリアアクティブ化ＲＮＴＩは、第１のキャリア情報を搬送するダウンリンク物理制御チャネルを識別するために使用される、基地局によってユーザ機器用に設定されたＲＮＴＩである。
【００６７】
第５の態様又は上記の可能な実施方法のいずれか１つに関連して、第３の可能な実施方法では、送信ユニットによって送信されるキャリアは、基地局及び／又は別の基地局のキャリア状況が変化する可能性がある全てのキャリアであり、
送信ユニットは、ダウンリンク物理制御チャネルを使用して第１のキャリア情報をユーザ機器に対して示す前に、ブロードキャストによって全てのキャリア中での各キャリアのキャリアシーケンス番号をユーザ機器に対して示すようにさらに構成され、又は、
送信ユニットは、ダウンリンク物理制御チャネルを使用して第１のキャリア情報をユーザ機器に対して示す前に、専用シグナリングを使用して全てのキャリア中での各キャリアのキャリアシーケンス番号をユーザ機器に送信するようにさらに構成され、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００６８】
第５の態様又は上記の可能な実施方法のいずれか１つに関連して、第４の可能な実施方法では、送信ユニットによって送信されるキャリアシーケンス番号は、キャリアシーケンス番号に対応するキャリアの中心周波数に従って識別される、及び／又は、
送信ユニットによって送信されるキャリアシーケンス番号は、キャリアシーケンス番号に対応するキャリアの物理識別子に従って識別される。
【００６９】
第５の態様又は上記の可能な実施方法のいずれか１つに関連して、第５の可能な実施方法では、送信ユニットによって送信される第１のキャリア情報に含まれるキャリアのキャリア状況は、全てのキャリアのキャリア状況である。
【００７０】
第５の態様又は上記の可能な実施方法のいずれか１つに関連して、第６の可能な実施方法では、ユーザ機器は、複数のユーザ機器であり、送信ユニットによって送信される第１のキャリア情報に含まれるキャリアのキャリア状況は、キャリア状況が変化する可能性がある全てのキャリアのキャリア状況であり、キャリア状況が変化する可能性がある全てのキャリアは、基地局において、複数のユーザ機器中の各ユーザ機器に向けられる。
【００７１】
第５の態様又は上記の可能な実施方法のいずれか１つに関連して、第７の可能な実施方法では、送信ユニットは、ダウンリンク物理制御チャネルを使用して第１のキャリア情報をユーザ機器に対して示す前に、第２のシグナリングを使用して、キャリア状況が変化したキャリアの数をユーザ機器に対して示すようにさらに構成され、
第１のキャリア情報に含まれるキャリアのキャリア状況は、キャリア状況が変化したキャリアのキャリア状況である。
【００７２】
第５の態様又は上記の可能な実施方法のいずれか１つに関連して、第８の可能な実施方法では、送信ユニットによって送信されるダウンリンク物理制御チャネルによって搬送されるダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【００７３】
第５の態様又は上記の可能な実施方法のいずれか１つに関連して、第９の可能な実施方法では、送信ユニットは、ダウンリンク物理制御チャネルによって搬送されるダウンリンク制御情報中の複数のＴＰＣコマンドを使用して、複数のユーザ機器中での各ユーザ機器のキャリアの第１のキャリア情報を複数のユーザ機器に対して示すようにさらに構成される。
【００７４】
第５の態様又は上記の可能な実施方法のいずれか１つに関連して、第１０の可能な実施方法では、送信ユニットは、ダウンリンク物理制御チャネルを使用して第１のキャリア情報をユーザ機器に対して示す前に、第１のシグナリングを使用して各ユーザ機器にキャリアアクティブ化指標を通知するようにさらに構成され、キャリアアクティブ化指標は、ダウンリンク制御情報における、各ユーザ機器のキャリアの第１のキャリア情報の位置を示すために使用される。
【００７５】
第５の態様又は上記の可能な実施方法のいずれか１つに関連して、第１１の可能な実施方法では、送信ユニットによって送信されるキャリアのキャリア状況は、ビットマップによって識別される、又は、
送信ユニットによって送信されるキャリアのキャリア状況は、統一符号化モードで符号化される。
【００７６】
第５の態様又は上記の可能な実施方法のいずれか１つに関連して、第１２の可能な実施方法では、送信ユニットは、ダウンリンク物理制御チャネルを使用して第１のキャリア情報をユーザ機器に対して示す前に、上位レイヤシグナリングを使用して命令情報をユーザ機器に送信するようにさらに構成され、命令情報は、第１のキャリア情報を示すダウンリンク物理制御チャネルを検出によって決定するようにユーザ機器に命令するために使用される。
【００７７】
第５の態様又は上記の可能な実施方法のいずれか１つに関連して、第１３の可能な実施方法では、当該基地局は、送信ユニットがダウンリンク物理制御チャネルを使用して第１のキャリア情報をユーザ機器に対して示す前に、ダウンリンク制御情報を符号化するように構成された符号化ユニットをさらに含み、
符号化ユニットは、ダウンリンク制御情報を繰り返し符号化するようにさらに構成される、又は、
符号化ユニットは、第１のコード化ビットレートを使用してダウンリンク制御情報を符号化するようにさらに構成され、第１のコード化ビットレートが第２のコード化ビットレートより低く、第２のコード化ビットレートが通常のコード化ビットレートである、又は、
送信ユニットは、符号化ユニットによって符号化されたダウンリンク制御情報をユーザ機器に繰り返し送信するようにさらに構成される。
【００７８】
第５の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００７９】
第６の態様によれば、さらに、
キャリアのキャリア状況を決定するように構成された決定ユニットであり、決定ユニットによって決定されたキャリア状況が、アクティブ状態又は非アクティブ状態である決定ユニットと、
物理ブロードキャストチャネルによって示される、又はダウンリンク制御情報によって示される物理ダウンリンク共有チャネルを使用して第１のキャリア情報をユーザ機器に対して示すように構成された送信ユニットであり、送信ユニットによって送信された第１のキャリア情報が、決定ユニットによって決定されたキャリアのキャリア状況を含み、第１のキャリア情報が、ユーザ機器がキャリア状況に従ってキャリア上で通信を実行できるようにするために使用される送信ユニットとを含み、
ダウンリンク制御情報が、ダウンリンク物理制御チャネルによって搬送され、送信ユニットによって送信されたダウンリンク制御情報が、キャリアアクティブ化無線ネットワーク一時識別子ＲＮＴＩを使用してダウンリンク物理制御チャネルの巡回冗長検査ＣＲＣをスクランブルすることによって得られ、送信ユニットによって送信された第１のキャリア情報が、キャリアアクティブ化ＲＮＴＩを使用したスクランブルによって得られ、キャリアアクティブ化ＲＮＴＩが、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである、基地局が提供される。
【００８０】
第６の態様に関連して、第１の可能な実施方法では、第１のキャリア情報に含まれるキャリアのキャリア状況は、基地局のキャリアのキャリア状況及び／又は別の基地局のキャリアのキャリア状況を含み、別の基地局のキャリアのキャリア情報は基地局によって別の基地局から受信される。
【００８１】
第６の態様又は上記の第１の可能な実施方法に関連して、第２の可能な実施方法では、キャリアは、基地局及び／又は別の基地局のキャリア状況が変化する可能性がある全てのキャリアであり、
送信ユニットは、物理ブロードキャストチャネルによって示される、又はダウンリンク制御情報によって示される物理ダウンリンク共有チャネルを使用して第１のキャリア情報をユーザ機器に対して示す前に、ブロードキャストによって全てのキャリア中での各キャリアのキャリアシーケンス番号をユーザ機器に対して示すようにさらに構成され、又は、
送信ユニットは、物理ブロードキャストチャネルによって示される、又はダウンリンク制御情報によって示される物理ダウンリンク共有チャネルを使用して第１のキャリア情報をユーザ機器に対して示す前に、専用シグナリングを使用して全てのキャリア中での各キャリアのキャリアシーケンス番号をユーザ機器に送信するようにさらに構成され、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００８２】
第６の態様又は上記の可能な実施方法のいずれか１つに関連して、第３の可能な実施方法では、送信ユニットによって送信されるキャリアシーケンス番号は、キャリアシーケンス番号に対応するキャリアの中心周波数に従って識別される、及び／又は、
送信ユニットによって送信されるキャリアシーケンス番号は、キャリアシーケンス番号に対応するキャリアの物理識別子に従って識別される。
【００８３】
第６の態様又は上記の可能な実施方法のいずれか１つに関連して、第４の可能な実施方法では、送信ユニットによって送信される第１のキャリア情報に含まれるキャリアのキャリア状況は、全てのキャリアのキャリア状況である。
【００８４】
第６の態様又は上記の可能な実施方法のいずれか１つに関連して、第５の可能な実施方法では、送信ユニットは、物理ブロードキャストチャネルによって示される、又はダウンリンク制御情報によって示される物理ダウンリンク共有チャネルを使用して第１のキャリア情報をユーザ機器に対して示す前に、第１のシグナリングを使用して、キャリア状況が変化したキャリアの数をユーザ機器に対して示すようにさらに構成され、
第１のキャリア情報に含まれるキャリアのキャリア状況は、キャリア状況が変化したキャリアのキャリア状況である。
【００８５】
第６の態様又は上記の可能な実施方法のいずれか１つに関連して、第６の可能な実施方法では、送信ユニットは、物理ブロードキャストチャネルによって示される、又はダウンリンク制御情報によって示される物理ダウンリンク共有チャネルを使用して第１のキャリア情報をユーザ機器に対して示す前に、上位レイヤシグナリングを使用して命令情報をユーザ機器に送信するようにさらに構成され、命令情報は、第１のキャリア情報を示す物理ダウンリンク共有チャネルを検出によって決定するようにユーザ機器に命令するために使用される。
【００８６】
第６の態様又は上記の可能な実施方法のいずれか１つに関連して、第７の可能な実施方法では、当該基地局は、送信ユニットがダウンリンク制御情報によって示される物理ダウンリンク共有チャネルを使用して第１のキャリア情報をユーザ機器に対して示す前に、ダウンリンク制御情報を符号化するように構成された符号化ユニットをさらに含み、
符号化ユニットは、ダウンリンク制御情報を繰り返し符号化するようにさらに構成される、又は、
符号化ユニットは、第１のコード化ビットレートを使用してダウンリンク制御情報を符号化するようにさらに構成され、第１のコード化ビットレートが第２のコード化ビットレートより低く、第２のコード化ビットレートが通常のコード化ビットレートである、又は、
送信ユニットは、符号化ユニットによって符号化されたダウンリンク制御情報をユーザ機器に繰り返し送信するようにさらに構成される。
【００８７】
第６の態様又は上記の可能な実施方法のいずれか１つに関連して、第８の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【００８８】
第７の態様によれば、さらに、
基地局から送信されたダウンリンク物理制御チャネルを受信するように構成された受信ユニットであり、受信ユニットが受信するダウンリンク物理制御チャネルが、第１のキャリア情報を含み、第１のキャリア情報が、キャリアのキャリア状況を含み、キャリア状況が、アクティブ状態又は非アクティブ状態である受信ユニットと、
受信ユニットが受信した第１のキャリア情報に従ってキャリア上で通信を実行するように構成された通信ユニットとを含む、ユーザ機器が提供される。
【００８９】
第７の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【００９０】
第７の態様又は第７の態様の上記の第１の可能な実施方法に関連して、第２の可能な実施方法では、受信ユニットは、
キャリアアクティブ化無線ネットワーク一時識別子ＲＮＴＩを使用してダウンリンク物理制御チャネルの巡回冗長検査ＣＲＣをスクランブル解除して、第１のキャリア情報を搬送するダウンリンク物理制御チャネルを識別するように構成された識別モジュールと、
識別モジュールによって識別されたダウンリンク物理制御チャネルによって搬送されるダウンリンク制御情報を取得するように構成された取得モジュールであり、ダウンリンク制御情報が第１のキャリア情報を含む取得モジュールとを含み、
キャリアアクティブ化ＲＮＴＩは、第１のキャリア情報を搬送するダウンリンク物理制御チャネルを識別するために使用される、基地局によってユーザ機器用に設定されたＲＮＴＩである。
【００９１】
第７の態様又は上記の第１の可能な実施方法に関連して、第３の可能な実施方法では、受信ユニットが受信するキャリアは、基地局及び／又は別の基地局のキャリア状況が変化する可能性がある全てのキャリアであり、
受信ユニットは、基地局から送信されたダウンリンク物理制御チャネルを受信する前に、基地局によってブロードキャストによりユーザ機器に対して示される、全てのキャリア中での各キャリアのキャリアシーケンス番号を取得する、又は、
基地局から送信された専用シグナリングを受信するようにさらに構成され、専用シグナリングが全てのキャリア中での各キャリアのキャリアシーケンス番号を搬送し、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【００９２】
第７の態様又は上記の可能な実施方法のいずれか１つに関連して、第４の可能な実施方法では、受信ユニットが受信するキャリアシーケンス番号は、キャリアシーケンス番号に対応するキャリアの中心周波数に従って識別される、及び／又は、
受信ユニットが受信するキャリアシーケンス番号は、キャリアシーケンス番号に対応するキャリアの物理識別子に従って識別される。
【００９３】
第７の態様又は上記の可能な実施方法のいずれか１つに関連して、第５の可能な実施方法では、第１のキャリア情報に含まれるキャリアのキャリア状況は、全てのキャリアのキャリア状況である。
【００９４】
第７の態様又は上記の可能な実施方法のいずれか１つに関連して、第６の可能な実施方法では、受信ユニットが受信する第１のキャリア情報に含まれるキャリアのキャリア状況は、キャリア状況が変化する可能性がある全てのキャリアのうち、ユーザ機器に向けられた、キャリア状況が変化する可能性がある全てのキャリアのキャリア状況である。
【００９５】
第７の態様又は上記の可能な実施方法のいずれか１つに関連して、第７の可能な実施方法では、受信ユニットは、基地局から送信されたとともに第１のキャリア情報を含むダウンリンク物理制御チャネルを受信する前に、基地局から送信された第２のシグナリングを受信するようにさらに構成され、第２のシグナリングは、キャリア状況が変化したキャリアの数を搬送し、
第１のキャリア情報に含まれるキャリアのキャリア状況は、キャリア状況が変化したキャリアのキャリア状況である。
【００９６】
第７の態様又は上記の可能な実施方法のいずれか１つに関連して、第８の可能な実施方法では、ダウンリンク物理制御チャネルによって搬送され受信ユニットが受信するダウンリンク制御情報は、ダウンリンク制御情報ＤＣＩ  ｆｏｒｍａｔ３又は３Ａであり、
ＤＣＩ  ｆｏｒｍａｔ３又は３Ａの送信電力制御ＴＰＣコマンドもまた、キャリアのキャリア状況を示すために使用される。
【００９７】
第７の態様又は上記の可能な実施方法のいずれか１つに関連して、第９の可能な実施方法では、受信ユニットは、ダウンリンク物理制御チャネルによって搬送されるダウンリンク制御情報を受信し、ダウンリンク制御情報中のＴＰＣコマンドを取得するようにさらに構成され、ＴＰＣコマンドは、ユーザ機器のキャリアの第１のキャリア情報を示すために使用される。
【００９８】
第７の態様又は上記の可能な実施方法のいずれか１つに関連して、第１０の可能な実施方法では、受信ユニットは、基地局から送信されたとともに第１のキャリア情報を含むダウンリンク物理制御チャネルを受信する前に、基地局から送信された第１のシグナリングを受信するようにさらに構成され、第１のシグナリングは、キャリアアクティブ化指標を搬送し、
ユーザ機器は、受信ユニットが受信するキャリアアクティブ化指標の指示に従って、ダウンリンク制御情報における、ユーザ機器のキャリアの第１のキャリア情報の位置を決定するように構成された決定ユニットをさらに含む。
【００９９】
第７の態様又は上記の可能な実施方法のいずれか１つに関連して、第１１の可能な実施方法では、決定ユニットは、受信ユニットが基地局から送信されたとともに第１のキャリア情報を含むダウンリンク物理制御チャネルを受信した後で、キャリアのキャリア状況を基地局がビットマップによって識別する場合には、キャリアのキャリア状況を、ビットマップによって決定し、又は、
キャリアのキャリア状況を基地局が統一復号モードに対応する統一符号化モードで符号化する場合には、キャリアのキャリア状況を統一復号モードで決定するようにさらに構成され、
受信ユニットが受信するキャリア状況は、アクティブ状態又は非アクティブ状態である。
【０１００】
第７の態様又は上記の可能な実施方法のいずれか１つに関連して、第１２の可能な実施方法では、受信ユニットは、基地局から送信されたダウンリンク物理制御チャネルを受信する前に、上位レイヤシグナリングを使用して基地局から送信された命令情報を受信するようにさらに構成され、
決定ユニットは、受信ユニットが受信する命令情報に従ってダウンリンク物理制御チャネルを検出して、第１のキャリア情報を示すダウンリンク物理制御チャネルを決定するようにさらに構成され、
受信ユニットが受信する命令情報は、第１のキャリア情報を示すダウンリンク物理制御チャネルを検出によって決定するようにユーザ機器に命令するために使用される。
【０１０１】
第７の態様又は上記の可能な実施方法のいずれか１つに関連して、第１３の可能な実施方法では、受信ユニットは、ダウンリンク物理制御チャネル上で繰り返し符号化されたダウンリンク制御情報を受信する、又は、
ダウンリンク物理制御チャネル上で、通常のコード化ビットレートである第２のコード化ビットレートより低い第１のコード化ビットレートを使用して符号化されたダウンリンク制御情報を受信する、又は、
符号化された複数個のダウンリンク制御情報を基地局から受信するようにさらに構成される。
【０１０２】
第７の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１０３】
第７の態様又は上記の可能な実施方法のいずれか１つに関連して、第１５の可能な実施方法では、受信ユニットが受信するキャリア状況は、アクティブ状態又は非アクティブ状態であり、
通信ユニットは、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０１０４】
第７の態様又は上記の可能な実施方法のいずれか１つに関連して、第１６の可能な実施方法では、受信ユニットが受信するキャリア状況は、アクティブ状態又は非アクティブ状態であり、
通信ユニットは、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するように構成される。
【０１０５】
第８の態様によれば、さらに、
物理ダウンリンク共有チャネルを受信するように構成された受信ユニットと、
受信ユニットが受信する物理ダウンリンク共有チャネルの中で、第１のキャリア情報を搬送する物理ダウンリンク共有チャネルを決定するように構成された決定ユニットと、
決定ユニットによって決定された物理ダウンリンク共有チャネルから第１のキャリア情報を取得するように構成された取得ユニットであり、取得ユニットが取得する第１のキャリア情報が、キャリアのキャリア状況を含み、キャリア状況が、アクティブ状態又は非アクティブ状態である取得ユニットと、
取得ユニットが取得する第１のキャリア情報に従ってキャリア上で通信を実行するように構成された通信ユニットとを含む、ユーザ機器が提供される。
【０１０６】
第８の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【０１０７】
第８の態様又は上記の第１の可能な実施方法に関連して、第２の可能な実施方法では、決定ユニットは、
キャリアアクティブ化無線ネットワーク一時識別子ＲＮＴＩを使用してダウンリンク物理制御チャネルの巡回冗長検査ＣＲＣをスクランブル解除して、ダウンリンク制御情報を搬送するダウンリンク物理制御チャネルを識別するように構成された識別モジュールと、
識別モジュールによって識別されたダウンリンク物理制御チャネルが搬送するダウンリンク制御情報を取得し、ダウンリンク制御情報に従って、第１のキャリア情報を搬送する物理ダウンリンク共有チャネルを決定するように構成された取得モジュールとを含み、
取得モジュールが取得するダウンリンク制御情報は、第１のキャリア情報を搬送する物理ダウンリンク共有チャネルを示すために使用される。
【０１０８】
第８の態様又は上記の可能な実施方法のいずれか１つに関連して、第３の可能な実施方法では、決定ユニットは、
物理ブロードキャストチャネルを受信するように構成された受信モジュールと、
受信モジュールが受信する物理ブロードキャストチャネルに従って、第１のキャリア情報を搬送する物理ダウンリンク共有チャネルを決定するように構成された決定モジュールとを含み、
受信モジュールが受信する物理ブロードキャストチャネルは、第１のキャリア情報を搬送する物理ダウンリンク共有チャネルを示すために使用される。
【０１０９】
第８の態様又は上記の可能な実施方法のいずれか１つに関連して、第４の可能な実施方法では、取得ユニットは、キャリアアクティブ化ＲＮＴＩを使用して決定した物理ダウンリンク共有チャネルをスクランブル解除して、第１のキャリア情報を取得するようにさらに構成される。
【０１１０】
第８の態様又は上記の可能な実施方法のいずれか１つに関連して、第５の可能な実施方法では、取得ユニットが取得するキャリアは、基地局及び／又は別の基地局のキャリア状況が変化する可能性がある全てのキャリアであり、
受信ユニットは、通信ユニットが第１のキャリア情報に従ってキャリア上で通信を実行する前に、基地局によってブロードキャストによりユーザ機器に対して示される、全てのキャリア中での各キャリアのキャリアシーケンス番号を取得する、又は、
基地局から送信された専用シグナリングを受信するようにさらに構成され、専用シグナリングが全てのキャリア中での各キャリアのキャリアシーケンス番号を搬送し、
受信ユニットが受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【０１１１】
第８の態様又は上記の可能な実施方法のいずれか１つに関連して、第６の可能な実施方法では、受信ユニットが受信するキャリアシーケンス番号は、キャリアシーケンス番号に対応するキャリアの中心周波数に従って識別される、及び／又は、
受信ユニットが受信するキャリアシーケンス番号は、キャリアシーケンス番号に対応するキャリアの物理識別子に従って識別される。
【０１１２】
第８の態様又は上記の可能な実施方法のいずれか１つに関連して、第７の可能な実施方法では、受信ユニットが受信する第１のキャリア情報に含まれるキャリアのキャリア状況は、全てのキャリアのキャリア状況である。
【０１１３】
第８の態様又は上記の可能な実施方法のいずれか１つに関連して、第８の可能な実施方法では、受信ユニットは、通信ユニットが第１のキャリア情報に従ってキャリア上で通信を実行する前に、基地局から送信された第１のシグナリングを受信するようにさらに構成され、第１のシグナリングは、キャリア状況が変化したキャリアの数を搬送し、
取得ユニットが取得する第１のキャリア情報に含まれるキャリアのキャリア状況は、キャリア状況が変化したキャリアのキャリア状況である。
【０１１４】
第８の態様又は上記の可能な実施方法のいずれか１つに関連して、第９の可能な実施方法では、受信ユニットは、決定ユニットが第１のキャリア情報を搬送する物理ダウンリンク共有チャネルを決定する前に、上位レイヤシグナリングを使用して基地局から送信された命令情報を受信するようにさらに構成され、受信ユニットが受信する命令情報は、物理ダウンリンク共有チャネルを示すダウンリンク物理制御チャネル又は物理ダウンリンク共有チャネルを示す物理ブロードキャストチャネルを検出するようにユーザ機器に命令するために使用され、
決定ユニットは、受信ユニットが受信する命令情報に従ってダウンリンク物理制御チャネル又は物理ブロードキャストチャネルを検出して、第１のキャリア情報を示す物理ダウンリンク共有チャネルを決定するようにさらに構成される。
【０１１５】
第８の態様又は上記の可能な実施方法のいずれか１つに関連して、第１０の可能な実施方法では、受信ユニットは、物理ダウンリンク共有チャネルを受信する前に、ダウンリンク物理制御チャネル上で繰り返し符号化されたダウンリンク制御情報を受信する、又は、
ダウンリンク物理制御チャネル上で、通常のコード化ビットレートである第２のコード化ビットレートより低い第１のコード化ビットレートを使用して符号化されたダウンリンク制御情報を受信する、又は、
符号化された複数個のダウンリンク制御情報を基地局から受信するようにさらに構成される。
【０１１６】
第８の態様又は上記の可能な実施方法のいずれか１つに関連して、第１１の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１１７】
第８の態様又は上記の可能な実施方法のいずれか１つに関連して、第１２の可能な実施方法では、受信ユニットが受信するキャリア状況は、アクティブ状態又は非アクティブ状態であり、
通信ユニットは、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０１１８】
第８の態様又は上記の可能な実施方法のいずれか１つに関連して、第１３の可能な実施方法では、受信ユニットが受信するキャリア状況は、アクティブ状態又は非アクティブ状態であり、
通信ユニットは、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するようにさらに構成される。
【０１１９】
第９の態様によれば、さらに、
キャリアのキャリア状況を決定するように構成されたプロセッサであり、プロセッサによって決定されたキャリア状況が、アクティブ状態又は非アクティブ状態であるプロセッサと、
ダウンリンク物理制御チャネルを使用して第１のキャリア情報をユーザ機器に対して示すように構成された送信機であり、第１のキャリア情報が、プロセッサによって決定されたキャリアのキャリア状況を含み、第１のキャリア情報が、ユーザ機器がキャリア状況に従ってキャリア上で通信を実行できるようにするために使用される送信機とを含む、基地局が提供される。
【０１２０】
第９の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【０１２１】
第９の態様又は上記の第１の可能な実施方法に関連して、第２の可能な実施方法では、送信機は、ダウンリンク物理制御チャネルによって搬送されるダウンリンク制御情報を使用して第１のキャリア情報をユーザ機器に対して示すようにさらに構成され、
送信機によって送信されるダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られるダウンリンク制御情報であり、キャリアアクティブ化ＲＮＴＩは、第１のキャリア情報を搬送するダウンリンク物理制御チャネルを識別するために使用される、基地局によってユーザ機器用に設定されたＲＮＴＩである。
【０１２２】
第９の態様又は上記の可能な実施方法のいずれか１つに関連して、第３の可能な実施方法では、送信機によって送信されるキャリアは、基地局及び／又は別の基地局のキャリア状況が変化する可能性がある全てのキャリアであり、
送信機は、ダウンリンク物理制御チャネルを使用して第１のキャリア情報をユーザ機器に対して示す前に、ブロードキャストによって全てのキャリア中での各キャリアのキャリアシーケンス番号をユーザ機器に対して示す、又は
専用シグナリングを使用して全てのキャリア中での各キャリアのキャリアシーケンス番号をユーザ機器に送信するようにさらに構成され、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【０１２３】
第９の態様又は上記の可能な実施方法のいずれか１つに関連して、第４の可能な実施方法では、送信機によって送信されるキャリアシーケンス番号は、キャリアシーケンス番号に対応するキャリアの中心周波数に従って識別される、及び／又は、
送信機によって送信されるキャリアシーケンス番号は、キャリアシーケンス番号に対応するキャリアの物理識別子に従って識別される。
【０１２４】
第９の態様又は上記の可能な実施方法のいずれか１つに関連して、第５の可能な実施方法では、送信機によって送信される第１のキャリア情報に含まれるキャリアのキャリア状況は、全てのキャリアのキャリア状況である。
【０１２５】
第９の態様又は上記の可能な実施方法のいずれか１つに関連して、第６の可能な実施方法では、ユーザ機器は、複数のユーザ機器であり、第１のキャリア情報に含まれるキャリアのキャリア状況は、キャリア状況が変化する可能性がある全てのキャリアのキャリア状況であり、キャリア状況が変化する可能性がある全てのキャリアは、基地局において、複数のユーザ機器中の各ユーザ機器に向けられる。
【０１２６】
第９の態様又は上記の可能な実施方法のいずれか１つに関連して、第７の可能な実施方法では、送信機は、ダウンリンク物理制御チャネルを使用して第１のキャリア情報をユーザ機器に対して示す前に、第２のシグナリングを使用して、キャリア状況が変化したキャリアの数をユーザ機器に対して示すようにさらに構成され、
第１のキャリア情報に含まれるキャリアのキャリア状況は、キャリア状況が変化したキャリアのキャリア状況である。
【０１２７】
第９の態様又は上記の可能な実施方法のいずれか１つに関連して、第８の可能な実施方法では、送信機によって送信されるダウンリンク物理制御チャネルによって搬送されるダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【０１２８】
第９の態様又は上記の可能な実施方法のいずれか１つに関連して、第９の可能な実施方法では、送信機は、ダウンリンク物理制御チャネルによって搬送されるダウンリンク制御情報中の複数のＴＰＣコマンドを使用して、複数のユーザ機器中での各ユーザ機器のキャリアの第１のキャリア情報を複数のユーザ機器に対して示すようにさらに構成される。
【０１２９】
第９の態様又は上記の可能な実施方法のいずれか１つに関連して、第１０の可能な実施方法では、送信機は、ダウンリンク物理制御チャネルを使用して第１のキャリア情報をユーザ機器に対して示す前に、第１のシグナリングを使用して各ユーザ機器にキャリアアクティブ化指標を通知するようにさらに構成され、キャリアアクティブ化指標は、ダウンリンク制御情報における、各ユーザ機器のキャリアの第１のキャリア情報の位置を示すために使用される。
【０１３０】
第９の態様又は上記の可能な実施方法のいずれか１つに関連して、第１１の可能な実施方法では、送信機によって送信される第１のキャリア情報に含まれるキャリアのキャリア状況は、ビットマップによって識別される、又は、
送信機によって送信されるキャリアのキャリア状況は、統一符号化モードで符号化される。
【０１３１】
第９の態様又は上記の可能な実施方法のいずれか１つに関連して、第１２の可能な実施方法では、送信機は、ダウンリンク物理制御チャネルを使用して第１のキャリア情報をユーザ機器に対して示す前に、上位レイヤシグナリングを使用して命令情報をユーザ機器に送信するようにさらに構成され、送信機が送信する命令情報は、第１のキャリア情報を示すダウンリンク物理制御チャネルを検出によって決定するようにユーザ機器に命令するために使用される。
【０１３２】
第９の態様又は上記の可能な実施方法のいずれか１つに関連して、第１３の可能な実施方法では、プロセッサは、送信機がダウンリンク物理制御チャネルを使用して第１のキャリア情報をユーザ機器に対して示す前に、ダウンリンク制御情報を符号化するようにさらに構成され、
プロセッサは、ダウンリンク制御情報を繰り返し符号化するようにさらに構成される、又は、
プロセッサは、第１のコード化ビットレートを使用してダウンリンク制御情報を符号化するようにさらに構成され、第１のコード化ビットレートが第２のコード化ビットレートより低く、第２のコード化ビットレートが通常のコード化ビットレートである、又は、
送信機は、プロセッサによって符号化されたダウンリンク制御情報をユーザ機器に繰り返し送信するようにさらに構成される。
【０１３３】
第９の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１３４】
第１０の態様によれば、さらに、
キャリアのキャリア状況を決定するように構成されたプロセッサであり、プロセッサによって決定されたキャリア状況が、アクティブ状態又は非アクティブ状態であるプロセッサと、
物理ブロードキャストチャネルによって示される、又はダウンリンク制御情報によって示される物理ダウンリンク共有チャネルを使用して第１のキャリア情報をユーザ機器に対して示すように構成された送信機であり、送信機によって送信される第１のキャリア情報が、プロセッサによって決定されたキャリアのキャリア状況を含み、第１のキャリア情報が、ユーザ機器がキャリア状況に従ってキャリア上で通信を実行できるようにするために使用される送信機とを含み、
送信機によって送信されるダウンリンク制御情報が、ダウンリンク物理制御チャネルによって搬送され、ダウンリンク制御情報が、キャリアアクティブ化無線ネットワーク一時識別子ＲＮＴＩを使用してダウンリンク物理制御チャネルの巡回冗長検査ＣＲＣをスクランブルすることによって得られ、第１のキャリア情報が、キャリアアクティブ化ＲＮＴＩを使用したスクランブルによって得られ、キャリアアクティブ化ＲＮＴＩが、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである、基地局が提供される。
【０１３５】
第１０に関連して、第１の可能な実施方法では、第１のキャリア情報に含まれるキャリアのキャリア状況は、基地局のキャリアのキャリア状況及び／又は別の基地局のキャリアのキャリア状況を含む。
【０１３６】
第１０の態様又は上記の可能な実施方法のいずれか１つに関連して、第２の可能な実施方法では、キャリアは、基地局及び／又は別の基地局のキャリア状況が変化する可能性がある全てのキャリアであり、
送信機は、物理ブロードキャストチャネルによって示される、又はダウンリンク制御情報によって示される物理ダウンリンク共有チャネルを使用して第１のキャリア情報をユーザ機器に対して示す前に、ブロードキャストによって全てのキャリア中での各キャリアのキャリアシーケンス番号をユーザ機器に対して示す、又は
専用シグナリングを使用して全てのキャリア中での各キャリアのキャリアシーケンス番号をユーザ機器に送信するようにさらに構成され、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【０１３７】
第１０の態様又は上記の可能な実施方法のいずれか１つに関連して、第３の可能な実施方法では、送信機によって送信されるキャリアシーケンス番号は、キャリアシーケンス番号に対応するキャリアの中心周波数に従って識別される、及び／又は、
送信機によって送信されるキャリアシーケンス番号は、キャリアシーケンス番号に対応するキャリアの物理識別子に従って識別される。
【０１３８】
第１０の態様又は上記の可能な実施方法のいずれか１つに関連して、第４の可能な実施方法では、送信機によって送信される第１のキャリア情報に含まれるキャリアのキャリア状況は、全てのキャリアのキャリア状況である。
【０１３９】
第１０の態様又は上記の可能な実施方法のいずれか１つに関連して、第５の可能な実施方法では、送信機は、物理ブロードキャストチャネルによって示される、又はダウンリンク制御情報によって示される物理ダウンリンク共有チャネルを使用して第１のキャリア情報をユーザ機器に対して示す前に、第１のシグナリングを使用して、キャリア状況が変化したキャリアの数をユーザ機器に対して示すようにさらに構成され、
送信機によって送信される第１のキャリア情報に含まれるキャリアのキャリア状況は、キャリア状況が変化したキャリアのキャリア状況である。
【０１４０】
第１０の態様又は上記の可能な実施方法のいずれか１つに関連して、第６の可能な実施方法では、送信機は、物理ブロードキャストチャネルによって示される、又はダウンリンク制御情報によって示される物理ダウンリンク共有チャネルを使用して第１のキャリア情報をユーザ機器に対して示す前に、上位レイヤシグナリングを使用して命令情報をユーザ機器に送信するようにさらに構成され、命令情報は、第１のキャリア情報を示す物理ダウンリンク共有チャネルを検出によって決定するようにユーザ機器に命令するために使用される。
【０１４１】
第１０の態様又は上記の可能な実施方法のいずれか１つに関連して、第７の可能な実施方法では、プロセッサは、送信機がダウンリンク制御情報によって示される物理ダウンリンク共有チャネルを使用して第１のキャリア情報をユーザ機器に対して示す前に、ダウンリンク制御情報を符号化するようにさらに構成され、
プロセッサは、ダウンリンク制御情報を繰り返し符号化するようにさらに構成される、又は、
プロセッサは、第１のコード化ビットレートを使用してダウンリンク制御情報を符号化するようにさらに構成され、第１のコード化ビットレートが第２のコード化ビットレートより低く、第２のコード化ビットレートが通常のコード化ビットレートである、又は、
送信機は、プロセッサによって符号化されたダウンリンク制御情報をユーザ機器に繰り返し送信するようにさらに構成される。
【０１４２】
第１０の態様又は上記の可能な実施方法のいずれか１つに関連して、第８の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１４３】
第１１の態様によれば、さらに、
基地局から送信されたダウンリンク物理制御チャネルを受信するように構成された受信機であり、受信機によって受信されたダウンリンク物理制御チャネルが、第１のキャリア情報を含み、第１のキャリア情報が、キャリアのキャリア状況を含み、キャリア状況が、アクティブ状態又は非アクティブ状態である受信機と、
受信機が受信した第１のキャリア情報に従ってキャリア上で通信を実行するように構成されたプロセッサとを含む、ユーザ機器が提供される。
【０１４４】
第１１の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【０１４５】
第１１の態様又は上記の可能な実施方法のいずれか１つに関連して、第２の可能な実施方法では、プロセッサは、キャリアアクティブ化無線ネットワーク一時識別子ＲＮＴＩを使用してダウンリンク物理制御チャネルの巡回冗長検査ＣＲＣをスクランブル解除して、第１のキャリア情報を搬送するダウンリンク物理制御チャネルを識別し、識別したダウンリンク物理制御チャネルによって搬送されるダウンリンク制御情報を取得するようにさらに構成され、ダウンリンク制御情報は第１のキャリア情報を含み、
キャリアアクティブ化ＲＮＴＩは、第１のキャリア情報を搬送するダウンリンク物理制御チャネルを識別するために使用される、基地局によってユーザ機器用に設定されたＲＮＴＩである。
【０１４６】
第１１の態様又は上記の可能な実施方法のいずれか１つに関連して、第３の可能な実施方法では、受信機が受信するキャリアは、基地局及び／又は別の基地局のキャリア状況が変化する可能性がある全てのキャリアであり、
受信機は、基地局から送信されたダウンリンク物理制御チャネルを受信する前に、基地局によってブロードキャストによりユーザ機器に対して示される、全てのキャリア中での各キャリアのキャリアシーケンス番号を取得する、又は、
基地局から送信された専用シグナリングを受信するようにさらに構成され、専用シグナリングは、全てのキャリア中での各キャリアのキャリアシーケンス番号を搬送し、
受信機が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【０１４７】
第１１の態様又は上記の可能な実施方法のいずれか１つに関連して、第４の可能な実施方法では、受信機が受信するキャリアシーケンス番号は、キャリアシーケンス番号に対応するキャリアの中心周波数に従って識別される、及び／又は、
受信機が受信するキャリアシーケンス番号は、キャリアシーケンス番号に対応するキャリアの物理識別子に従って識別される。
【０１４８】
第１１の態様又は上記の可能な実施方法のいずれか１つに関連して、第５の可能な実施方法では、受信機が受信する第１のキャリア情報に含まれるキャリアのキャリア状況は、全てのキャリアのキャリア状況である。
【０１４９】
第１１の態様又は上記の可能な実施方法のいずれか１つに関連して、第６の可能な実施方法では、受信機が受信する第１のキャリア情報に含まれるキャリアのキャリア状況は、キャリア状況が変化する可能性がある全てのキャリアのうち、ユーザ機器に向けられた、キャリア状況が変化する可能性がある全てのキャリアのキャリア状況である。
【０１５０】
第１１の態様又は上記の可能な実施方法のいずれか１つに関連して、第７の可能な実施方法では、受信機は、基地局から送信されたとともに第１のキャリア情報を含むダウンリンク物理制御チャネルを受信する前に、基地局から送信された第２のシグナリングを受信するようにさらに構成され、第２のシグナリングは、キャリア状況が変化したキャリアの数を搬送し、
受信機によって受信された第１のキャリア情報に含まれるキャリアのキャリア状況は、キャリア状況が変化したキャリアのキャリア状況である。
【０１５１】
第１１の態様又は上記の可能な実施方法のいずれか１つに関連して、第８の可能な実施方法では、受信機が受信するダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【０１５２】
第１１の態様又は上記の可能な実施方法のいずれか１つに関連して、第９の可能な実施方法では、受信機は、ダウンリンク物理制御チャネルによって搬送されるダウンリンク制御情報を受信し、ダウンリンク制御情報中のＴＰＣコマンドを取得するようにさらに構成され、ＴＰＣコマンドは、ユーザ機器のキャリアの第１のキャリア情報を示すために使用される。
【０１５３】
第１１の態様又は上記の可能な実施方法のいずれか１つに関連して、第１０の可能な実施方法では、受信機は、基地局から送信されたとともに第１のキャリア情報を含むダウンリンク物理制御チャネルを受信する前に、基地局から送信された第１のシグナリングを受信するようにさらに構成され、第１のシグナリングは、キャリアアクティブ化指標を搬送し、
プロセッサは、受信機が受信するキャリアアクティブ化指標の指示に従って、ダウンリンク制御情報における、ユーザ機器のキャリアの第１のキャリア情報の位置を決定するようにさらに構成される。
【０１５４】
第１１の態様又は上記の可能な実施方法のいずれか１つに関連して、第１１の可能な実施方法では、プロセッサは、受信機が基地局から送信されたとともに第１のキャリア情報を含むダウンリンク物理制御チャネルを受信した後で、キャリアのキャリア状況を基地局がビットマップによって識別する場合には、キャリアのキャリア状況を、ビットマップによって決定し、又は、
キャリアのキャリア状況を基地局が統一復号モードに対応する統一符号化モードで符号化する場合には、キャリアのキャリア状況を統一復号モードで決定するようにさらに構成され、
キャリア状況は、アクティブ状態又は非アクティブ状態である。
【０１５５】
第１１の態様又は上記の可能な実施方法のいずれか１つに関連して、第１２の可能な実施方法では、受信機は、基地局から送信されたダウンリンク物理制御チャネルを受信する前に、上位レイヤシグナリングを使用して基地局から送信された命令情報を受信するようにさらに構成され、
プロセッサは、受信機が受信する命令情報に従ってダウンリンク物理制御チャネルを検出して、第１のキャリア情報を示すダウンリンク物理制御チャネルを決定するようにさらに構成され、
命令情報は、第１のキャリア情報を示すダウンリンク物理制御チャネルを検出によって決定するようにユーザ機器に命令するために使用される。
【０１５６】
第１１の態様又は上記の可能な実施方法のいずれか１つに関連して、第１３の可能な実施方法では、受信機は、ダウンリンク物理制御チャネル上で繰り返し符号化されたダウンリンク制御情報を受信する、又は、
ダウンリンク物理制御チャネル上で、通常のコード化ビットレートである第２のコード化ビットレートより低い第１のコード化ビットレートを使用して符号化されたダウンリンク制御情報を受信する、又は、
符号化された複数個のダウンリンク制御情報を基地局から受信するようにさらに構成される。
【０１５７】
第１１の態様又は上記の可能な実施方法のいずれか１つに関連して、第１４の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１５８】
第１１の態様又は上記の可能な実施方法のいずれか１つに関連して、第１５の可能な実施方法では、受信機が受信するキャリア状況は、アクティブ状態又は非アクティブ状態であり、
プロセッサは、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０１５９】
第１１の態様又は上記の可能な実施方法のいずれか１つに関連して、第１６の可能な実施方法では、受信機が受信するキャリア状況は、アクティブ状態又は非アクティブ状態であり、
プロセッサは、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するように構成される。
【０１６０】
第１２の態様によれば、さらに、
物理ダウンリンク共有チャネルを受信するように構成された受信機と、
受信機が受信する物理ダウンリンク共有チャネルの中で、第１のキャリア情報を搬送する物理ダウンリンク共有チャネルを決定し、決定した物理ダウンリンク共有チャネルから、アクティブ状態又は非アクティブ状態であるキャリアのキャリア状況を含む第１のキャリア情報を取得し、第１のキャリア情報に従ってキャリア上で通信を実行するように構成されたプロセッサとを含む、ユーザ機器が提供される。
【０１６１】
第１２の態様に関連して、第１の可能な実施方法では、第１のキャリア情報に含まれるキャリアのキャリア状況は、基地局のキャリアのキャリア状況及び／又は別の基地局のキャリアのキャリア状況を含む。
【０１６２】
第１２の態様又は上記の可能な実施方法のいずれか１つに関連して、第２の可能な実施方法では、プロセッサは、キャリアアクティブ化無線ネットワーク一時識別子ＲＮＴＩを使用してダウンリンク物理制御チャネルの巡回冗長検査ＣＲＣをスクランブル解除して、ダウンリンク制御情報を搬送するダウンリンク物理制御チャネルを識別し、識別したダウンリンク物理制御チャネルが搬送するダウンリンク制御情報を取得し、ダウンリンク制御情報に従って、第１のキャリア情報を搬送する物理ダウンリンク共有チャネルを決定するようにさらに構成され、
プロセッサが取得するダウンリンク制御情報は、第１のキャリア情報を搬送する物理ダウンリンク共有チャネルを示すために使用される。
【０１６３】
第１２の態様又は上記の可能な実施方法のいずれか１つに関連して、第３の可能な実施方法では、受信機は、物理ブロードキャストチャネルを受信するようにさらに構成され、
プロセッサは、受信機が受信する物理ブロードキャストチャネルに従って、第１のキャリア情報を搬送する物理ダウンリンク共有チャネルを決定するようにさらに構成され、
受信機が受信する物理ブロードキャストチャネルは、第１のキャリア情報を搬送する物理ダウンリンク共有チャネルを示すために使用される。
【０１６４】
第１２の態様又は上記の可能な実施方法のいずれか１つに関連して、第４の可能な実施方法では、プロセッサは、キャリアアクティブ化ＲＮＴＩを使用して決定した物理ダウンリンク共有チャネルをスクランブル解除して、第１のキャリア情報を取得するようにさらに構成される。
【０１６５】
第１２の態様又は上記の可能な実施方法のいずれか１つに関連して、第５の可能な実施方法では、受信機が受信するキャリアは、基地局及び／又は別の基地局のキャリア状況が変化する可能性がある全てのキャリアであり、
受信機は、プロセッサが第１のキャリア情報に従ってキャリア上で通信を実行する前に、基地局によってブロードキャストによりユーザ機器に対して示される、全てのキャリア中での各キャリアのキャリアシーケンス番号を取得する、又は、
基地局から送信された専用シグナリングを受信するようにさらに構成され、専用シグナリングは、全てのキャリア中での各キャリアのキャリアシーケンス番号を搬送し、
受信機が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【０１６６】
第１２の態様又は上記の可能な実施方法のいずれか１つに関連して、第６の可能な実施方法では、受信機が受信するキャリアシーケンス番号は、キャリアシーケンス番号に対応するキャリアの中心周波数に従って識別される、及び／又は、
受信機が受信するキャリアシーケンス番号は、キャリアシーケンス番号に対応するキャリアの物理識別子に従って識別される。
【０１６７】
第１２の態様又は上記の可能な実施方法のいずれか１つに関連して、第７の可能な実施方法では、プロセッサが取得する第１のキャリア情報に含まれるキャリアのキャリア状況は、全てのキャリアのキャリア状況である。
【０１６８】
第１２の態様又は上記の可能な実施方法のいずれか１つに関連して、第８の可能な実施方法では、受信機は、プロセッサが第１のキャリア情報に従ってキャリア上で通信を実行する前に、基地局から送信された第１のシグナリングを受信するようにさらに構成され、第１のシグナリングは、キャリア状況が変化したキャリアの数を搬送し、
プロセッサが取得する第１のキャリア情報に含まれるキャリアのキャリア状況は、キャリア状況が変化したキャリアのキャリア状況である。
【０１６９】
第１２の態様又は上記の可能な実施方法のいずれか１つに関連して、第９の可能な実施方法では、受信機は、プロセッサが第１のキャリア情報を搬送する物理ダウンリンク共有チャネルを決定する前に、上位レイヤシグナリングを使用して基地局から送信された命令情報を受信するようにさらに構成され、
受信機が受信する命令情報は、物理ダウンリンク共有チャネルを示すダウンリンク物理制御チャネル又は物理ダウンリンク共有チャネルを示す物理ブロードキャストチャネルを検出するようにユーザ機器に命令するために使用され、
プロセッサは、受信機が受信する命令情報に従ってダウンリンク物理制御チャネル又は物理ブロードキャストチャネルを検出して、第１のキャリア情報を搬送する物理ダウンリンク共有チャネルを決定するようにさらに構成される。
【０１７０】
第１２の態様又は上記の可能な実施方法のいずれか１つに関連して、第１０の可能な実施方法では、受信機は、物理ダウンリンク共有チャネルを受信する前に、ダウンリンク物理制御チャネル上で繰り返し符号化されたダウンリンク制御情報を受信する、又は、
ダウンリンク物理制御チャネル上で、通常のコード化ビットレートである第２のコード化ビットレートより低い第１のコード化ビットレートを使用して符号化されたダウンリンク制御情報を受信する、又は、
符号化された複数個のダウンリンク制御情報を基地局から受信するようにさらに構成される。
【０１７１】
第１２の態様又は上記の可能な実施方法のいずれか１つに関連して、第１１の可能な実施方法では、ダウンリンク物理制御チャネルは、物理ダウンリンク制御チャネルＰＤＣＣＨ又は拡張物理ダウンリンク制御チャネルＥ−ＰＤＣＣＨを含む。
【０１７２】
第１２の態様又は上記の可能な実施方法のいずれか１つに関連して、第１２の可能な実施方法では、プロセッサが取得するキャリア状況は、アクティブ状態又は非アクティブ状態であり、
プロセッサは、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０１７３】
第１２の態様又は上記の可能な実施方法のいずれか１つに関連して、第１３の可能な実施方法では、プロセッサが取得するキャリア状況は、アクティブ状態又は非アクティブ状態であり、
プロセッサは、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するようにさらに構成される。
【０１７４】
上記の解決策を使用することにより、基地局は、ダウンリンク物理制御チャネル、物理ダウンリンク共有チャネル、又は物理ブロードキャストチャネルを使用して、キャリアのキャリア状況を含む第１のキャリア情報をユーザ機器に対して示して、ユーザ機器が、キャリアのキャリア状況に応じてそのキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低いダウンリンク物理制御チャネル、物理ダウンリンク共有チャネル、又は物理ブロードキャストチャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０１７５】
本発明の実施形態又は従来技術における技術的解決策をより明快に説明するために、次に、実施形態又は従来技術を説明するために必要な添付の図面を簡単に紹介する。下記の説明における添付の図面は、本発明の一部の実施形態を示しているに過ぎず、当業者なら、創造的な努力なしにこれらの添付の図面から他の図面を導き出すことができることは明らかである。
【図面の簡単な説明】
【０１７６】
【図１】本発明の第１の実施形態におけるキャリア状況指示方法を示す流れ図である。
【図２】本発明の第２の実施形態におけるキャリア状況指示方法を示す流れ図である。
【図３】本発明の第３の実施形態におけるキャリア状況指示方法を示す流れ図である。
【図４】本発明の第４の実施形態におけるキャリア状況指示方法を示す流れ図である。
【図５】本発明の第５の実施形態におけるキャリア状況指示方法を示す流れ図である。
【図６】本発明の第５の実施形態における別のキャリア状況指示方法を示す流れ図である。
【図７】本発明の第６の実施形態におけるキャリア状況指示方法を示す流れ図である。
【図８】本発明の第７の実施形態におけるキャリア状況指示方法を示す流れ図である。
【図９】本発明の第８の実施形態におけるキャリア状況指示方法を示す流れ図である。
【図１０】本発明の第８の実施形態における別のキャリア状況指示方法を示す流れ図である。
【図１１】本発明の第９の実施形態における基地局を示す概略構成図である。
【図１２】本発明の第９の実施形態における別の基地局を示す概略構成図である。
【図１３】本発明の第１０の実施形態における基地局を示す概略構成図である。
【図１４】本発明の第１０の実施形態における別の基地局を示す概略構成図である。
【図１５】本発明の第１１の実施形態におけるユーザ機器を示す概略構成図である。
【図１６】本発明の第１１の実施形態における別のユーザ機器を示す概略構成図である。
【図１７】本発明の第１１の実施形態における別のユーザ機器を示す概略構成図である。
【図１８】本発明の第１２の実施形態におけるユーザ機器を示す概略構成図である。
【図１９】本発明の第１２の実施形態における別のユーザ機器を示す概略構成図である。
【図２０】本発明の第１２の実施形態における別のユーザ機器を示す概略構成図である。
【図２１】本発明の第１３の実施形態における基地局を示す概略構成図である。
【図２２】本発明の第１４の実施形態における基地局を示す概略構成図である。
【図２３】本発明の第１５の実施形態におけるユーザ機器を示す概略構成図である。
【図２４】本発明の第１６の実施形態におけるユーザ機器を示す概略構成図である。
【発明を実施するための形態】
【０１７７】
下記は、本発明の実施形態の添付の図面を参照して、本発明の実施形態における技術的解決策について明快且つ完全に説明する。記載する実施形態は、本発明の実施形態の全てではなく、一部に過ぎないことは明らかである。本発明の実施形態に基づいて創造的な努力なしに当業者が得ることができるその他の全ての実施形態は、本発明の保護範囲に含まれるものとする。
【０１７８】
さらに、「システム」及び「ネットワーク」という用語は、本明細書では交換可能に使用されることがある。本明細書における「及び／又は」という用語は、関連する対象を説明するための関係性を述べているに過ぎず、３通りの関係が存在し得ることを表している。例えば、Ａ及び／又はＢは、下記の３通りの場合を表すことができる。すなわち、Ａのみが存在する場合、Ａ及びＢの両方が存在する場合、並びにＢのみが存在する場合である。さらに、本明細書における「／」という記号は、一般に、関連する対象の間の「又は」の関係を示している。
【０１７９】
第１の実施形態
本発明の本実施形態は、基地局に適用することができるキャリア状況指示方法を提供するものである。図１に示すように、キャリア状況指示方法は、下記のステップを含む。
【０１８０】
Ｓ１０１：基地局は、キャリアのキャリア状況を決定する。ここで、キャリア状況は、アクティブ状態又は非アクティブ状態である。
【０１８１】
具体的には、基地局は、ユーザ機器のチャネル状態情報（ＣＳＩ  Ｃｈａｎｎｅｌ  Ｓｔａｔｅ  Ｉｎｆｏｒｍａｔｉｏｎ，ＣＳＩ）、セルの負荷状況、別の基地局の指示などに従って、少なくとも１つのキャリアのキャリア状況を決定することができる。ＣＳＩは、チャネル品質指標（Ｃｈａｎｎｅｌ  Ｑｕａｌｉｔｙ  Ｉｎｄｉｃａｔｏｒ，ＣＱＩ）、プリコード化マトリクス指標（Ｐｒｅｃｏｄｉｎｇ  Ｍａｔｒｉｘ  Ｉｎｄｉｃａｔｏｒ，ＰＭＩ）、及びランク指示ＲＩを少なくとも含むことができる。
【０１８２】
基地局が少なくとも１つのキャリアのキャリア状況を決定する方法は、本発明の本実施形態に記載する方法を含むが、これに限定されるわけではないことに留意されたい。さらに、基地局がキャリアのキャリア状況を決定するときには、キャリアのキャリア状況は、当該ローカル基地局のキャリアのキャリア状況及び／又は別の基地局のキャリアのキャリア状況であることがあることに留意されたい。
【０１８３】
Ｓ１０２：基地局は、ダウンリンク物理制御チャネルを使用して、第１のキャリア情報をユーザ機器に対して示す。ここで、第１のキャリア情報は、キャリアのキャリア状況を含み、第１のキャリア情報は、ユーザ機器がキャリア状況に応じてそのキャリア上で通信を実行できるようにするために使用される。
【０１８４】
ダウンリンク物理制御チャネルは、ダウンリンク物理制御チャネル（Ｄｏｗｎｌｉｎｋ  ｐｈｙｓｉｃａｌ  ｃｏｎｔｒｏｌ  ｃｈａｎｎｅｌ，ＰＤＣＣＨ）、又は拡張ダウンリンク物理制御チャネル（Ｅ−Ｄｏｗｎｌｉｎｋ  ｐｈｙｓｉｃａｌ  ｃｏｎｔｒｏｌ  ｃｈａｎｎｅｌ，Ｅ−ＰＤＣＣＨ）を含むことができる。
【０１８５】
具体的には、基地局は、ダウンリンク物理制御チャネルによって搬送されるダウンリンク制御情報を使用して、第１のキャリア情報をユーザ機器に対して示すことができる。すなわち、基地局は、ダウンリンク物理制御チャネルによって搬送されるダウンリンク制御情報に第１のキャリア情報を追加して、ユーザ機器がダウンリンク物理制御チャネルを復調したときに、ユーザ機器はダウンリンク制御情報から第１のキャリア情報を取得することができるようにすることができる。ダウンリンク制御情報は、本発明では、予め設計されたダウンリンク制御情報（Ｄｏｗｎｌｉｎｋ  Ｃｏｎｔｒｏｌ  Ｉｎｆｏｒｍａｔｉｏｎ，ＤＣＩ）、例えばＤＣＩ  ｆｏｒｍａｔ  Ｘ、ＤＣＩ  ｆｏｒｍａｔ  Ｙ、又はＤＣＩ  ｆｏｒｍａｔ３／３Ａ、とすることができる。
【０１８６】
第１のキャリア情報に含まれるキャリアのキャリア状況は、当該基地局のキャリアのキャリア状況及び／又は別の基地局のキャリアのキャリア状況を含む。
【０１８７】
別の基地局は、急速に高まるトラフィック要件を満たすように従来のマクロ基地局のセルラネットワークに基づいてマクロセル（室内又は屋外）のホットスポット領域に密に展開された、スモールセル（Ｓｍａｌｌ  ｃｅｌｌ）の基地局、すなわちＳｍａｌｌ  Ｃｅｌｌのアクセスポイント（Ａｃｃｅｓｓ  ｐｏｉｎｔ，ＡＰ）とすることができる。
【０１８８】
スモールセルのカバー領域は小さく、スモールセルによって提供されるユーザ機器のサービスの動的変化は大きいので、スモールセルのＡＰは、現在のスモールセルのサービス負荷状況に基づいて実時間でオンオフすることができることに留意されたい。すなわち、スモールセルによって現在サービスされているユーザ機器が伝送する必要があるサービスデータを有さない場合には、スモールセルのＡＰは、スモールセルのキャリアを一時的に非アクティブ化して、そのスモールセルが位置付けられるマクロ基地局に対してスモールセルのキャリアのキャリア状況を示すことができる。スモールセルのＡＰは、理想的なバックホール又は非理想的なバックホールによって、スモールセルのキャリアのキャリア状況をマクロ基地局に対して示すことができる。
【０１８９】
ダウンリンク制御情報は、キャリアアクティブ化無線ネットワーク一時識別子（Ｒａｄｉｏ  Ｎｅｔｗｏｒｋ  Ｔｅｍｐｏｒａｒｙ  Ｉｄｅｎｔｉｔｙ，ＲＮＴＩ）を使用してダウンリンク物理制御チャネルの巡回冗長検査（Ｃｙｃｌｉｃ  Ｒｅｄｕｎｄａｎｃｙ  Ｃｈｅｃｋ，ＣＲＣ）をスクランブルすることによって得られるダウンリンク制御情報（ＤＣＩ）である。
【０１９０】
従来技術では、異なる機能を有するダウンリンク制御情報（ＤＣＩ）は異なるＲＮＴＩを使用してスクランブルすることができる、例えばランダムアクセス中のＤＣＩはランダムアクセスＲＮＴＩ（Ｒａｎｄｏｍ  Ａｃｃｅｓｓ  ＲＮＴＩ，ＲＡ−ＲＮＴＩ）を使用してスクランブルし、システムメッセージはシステム情報ＲＮＴＩ（Ｓｙｓｔｅｍ  Ｉｎｆｏｒｍａｔｉｏｎ  ＲＮＴＩ，ＳＩ−ＲＮＴＩ）を使用してスクランブルすることができることに留意されたい。本発明で導入するキャリアアクティブ化ＲＮＴＩは、第１のキャリア情報を搬送するダウンリンク物理制御チャネルを識別するために使用される、基地局によってユーザ機器用に設定されたＲＮＴＩである。
【０１９１】
上記の解決策を使用することにより、基地局は、ダウンリンク物理制御チャネルを使用して、キャリアのキャリア状況を含む第１のキャリア情報をユーザ機器に対して示して、ユーザ機器が、キャリアのキャリア状況に応じてそのキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低いダウンリンク物理制御チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０１９２】
第２の実施形態
本発明の本実施形態は、基地局に適用することができるキャリア状況指示方法を提供するものである。図２に示すように、キャリア状況指示方法は、下記のステップを含む。
【０１９３】
Ｓ２０１：基地局は、キャリアのキャリア状況を決定する。ここで、キャリア状況は、アクティブ状態又は非アクティブ状態である。
【０１９４】
基地局がキャリアのキャリア状況を決定する具体的な方法は、第１の実施形態における基地局がキャリアのキャリア状況を決定する方法と同様であり、本実施形態では繰り返し述べることはしないことに留意されたい。
【０１９５】
Ｓ２０２：基地局は、物理ブロードキャストチャネルによって示される、又はダウンリンク制御情報によって示される物理ダウンリンク共有チャネルを使用して、第１のキャリア情報をユーザ機器に対して示す。
【０１９６】
第１のキャリア情報は、キャリアのキャリア状況を含み、第１のキャリア情報は、ユーザ機器がキャリア状況に応じてそのキャリア上で通信を実行できるようにするために使用される。第１のキャリア情報に含まれるキャリアのキャリア状況は、当該基地局のキャリアのキャリア状況及び／又は別の基地局のキャリアのキャリア状況を含む。
【０１９７】
本発明の本実施形態の別の基地局については、本発明の第１の実施形態における関連する説明を参照されたい。本発明の本実施形態では、詳細について繰り返し述べることはしない。
【０１９８】
本実施形態の適用シナリオでは、基地局は、物理ブロードキャストチャネルによって示される物理ダウンリンク共有チャネルを使用して、第１のキャリア情報をユーザ機器に対して示すことができる。
【０１９９】
本実施形態の別の適用シナリオでは、基地局は、ダウンリンク物理制御チャネルによって搬送されるダウンリンク制御情報によって示される物理ダウンリンク共有チャネルを使用して、第１のキャリア情報をユーザ機器に対して示すことができる。
【０２００】
この適用シナリオでは、ダウンリンク制御情報は、ダウンリンク物理制御チャネルのＣＲＣがＲＮＴＩを用いてスクランブルされた後で得られる。ここで、キャリアアクティブ化ＲＮＴＩは、ダウンリンク制御情報を搬送するダウンリンク物理制御チャネルを識別するために使用される、基地局によってユーザ機器用に設定されたＲＮＴＩである。
【０２０１】
上記の２つの適用シナリオでは、第１のキャリア情報は、キャリアアクティブ化ＲＮＴＩを使用してスクランブルすることによって得られ、ここで、キャリアアクティブ化ＲＮＴＩは、物理ダウンリンク共有チャネル上の第１のキャリア情報を識別するために使用される、基地局によってユーザ機器用に設定されたＲＮＴＩであることに留意されたい。
【０２０２】
ダウンリンク物理制御チャネルは、ＰＤＣＣＨ又はＥ−ＰＤＣＣＨを含むことができ、物理ダウンリンク共有チャネルは、具体的には（Ｐｈｙｓｉｃａｌ  Ｄｏｗｎｌｉｎｋ  Ｓｈａｒｅｄ  Ｃｈａｎｎｅｌ，ＰＤＳＣＨ）とすることができる。
【０２０３】
具体的には、基地局は、物理ブロードキャストチャネルを使用して、又はダウンリンク物理制御チャネルによって搬送されるダウンリンク制御情報を使用して、第１のキャリア情報を搬送する物理ダウンリンク共有チャネルをユーザ機器に対して示して、ユーザ機器が物理ダウンリンク共有チャネルを復調することによって第１のキャリア情報を取得できるようにすることができる。ダウンリンク制御情報は、従来技術における任意のダウンリンク制御情報（ＤＣＩ）とすることができる。
【０２０４】
上記の解決策を使用することにより、基地局は、物理ブロードキャストチャネルによって示される、又はダウンリンク制御情報によって示されるダウンリンク物理制御チャネルを使用して、キャリアのキャリア状況を含む第１のキャリア情報をユーザ機器に対して示して、ユーザ機器が、キャリアのキャリア状況に応じてそのキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低い物理ダウンリンク共有チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０２０５】
第３の実施形態
本発明の本実施形態は、さらに、ユーザ機器に適用することができるキャリア状況指示方法を提供するものである。図３に示すように、キャリア状況指示方法は、下記のステップを含む。
【０２０６】
Ｓ３０１：ユーザ機器は、基地局から送信されたダウンリンク物理制御チャネルを受信する。ここで、ダウンリンク物理制御チャネルは、第１のキャリア情報を含み、第１のキャリア情報は、キャリアのキャリア状況を含み、キャリア状況は、アクティブ状態又は非アクティブ状態である。
【０２０７】
第１のキャリア情報に含まれるキャリアのキャリア状況は、上記基地局のキャリアのキャリア状況及び／又は別の基地局のキャリアのキャリア状況を含むことに留意されたい。
【０２０８】
本発明の本実施形態の別の基地局については、本発明の第１の実施形態における関連する説明を参照されたい。本発明の本実施形態では、詳細について繰り返し述べることはしない。
【０２０９】
ユーザ機器が、基地局から送信されたとともに第１のキャリア情報を含むダウンリンク物理制御チャネルを受信することは、具体的には下記のステップを含むことができる。すなわち、ユーザ機器は、キャリアアクティブ化ＲＮＴＩを使用して、ダウンリンク物理制御チャネルのＣＲＣをスクランブル解除して、第１のキャリア情報を搬送するダウンリンク物理制御チャネルを識別し、次いで、識別したダウンリンク物理制御チャネルによって搬送される、第１のキャリア情報を含むダウンリンク制御情報を取得する。
【０２１０】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０２１１】
Ｓ３０２：ユーザ機器は、第１のキャリア情報に従ってキャリア上で通信を実行する。
【０２１２】
例えば、キャリアのキャリア状況がアクティブ状態である場合には、ユーザ機器がキャリアの状態情報に従ってキャリア上で通信を実行することは、下記のステップを含むことができる。すなわち、ユーザ機器は、当該キャリア上で、チャネル状態検出に使用されるサウンディング参照信号（Ｓｏｕｎｄｉｎｇ  Ｒｅｆｅｒｅｎｃｅ  Ｓｉｇｎａｌ，ＳＲＳ）を伝送し、及び／又は、ユーザ機器は、当該キャリア上で、チャネル状態情報（Ｃｈａｎｎｅｌ  Ｓｔａｔｅ  Ｉｎｆｏｒｍａｔｉｏｎ，ＣＳＩ）が少なくともチャネル品質指標（Ｃｈａｎｎｅｌ  Ｑｕａｌｉｔｙ  Ｉｎｄｉｃａｔｏｒ，ＣＱＩ）、プリコード化マトリクス指標（Ｐｒｅｃｏｄｉｎｇ  Ｍａｔｒｉｘ  Ｉｎｄｉｃａｔｏｒ，ＰＭＩ）及びランク指示ＲＩを含むことができる、ＣＳＩ報告を生成し、及び／又は、ユーザ機器は、キャリア上のダウンリンク物理制御チャネルを検出し、及び／又は、ユーザ機器は、キャリア上で搬送されるスケジューリング結果を示すために使用されるダウンリンク物理制御チャネルを検出する。
【０２１３】
キャリアのキャリア状況がアクティブ状態から非アクティブ状態に切り替わった場合には、ユーザ機器がキャリアの状態情報に従ってキャリア上で通信を実行することは、下記のステップを含むことができる。すなわち、ユーザ機器は、当該キャリア上でのＳＲＳの伝送を停止し、及び／又は、ユーザ機器は、ＣＳＩが少なくともＣＱＩ、ＰＭＩ及びＲＩを含む、当該キャリア上でのＣＳＩ報告の生成を停止し、及び／又は、ユーザ機器は、当該キャリア上のダウンリンク物理制御チャネルを検出し、及び／又は、ユーザ機器は、当該キャリア上のスケジューリング結果を示すダウンリンク物理制御チャネルを検出し、及び／又は、ユーザ機器は、当該キャリア上でのランダムアクセスチャネル（Ｒａｎｄｏｍ  Ａｃｃｅｓｓ  Ｃｈａｎｎｅｌ，ＲＡＣＨ）信号の伝送を停止し、及び／又は、ユーザ機器は、当該キャリア上でのアップリンク共有チャネルの伝送を停止する。
【０２１４】
本発明の本実施形態では、ユーザ機器がキャリア上でキャリアの状態情報に従って通信を実行する具体的な方法は、本発明の本実施形態で説明した方法を含むが、これに限定されるわけではなく、またユーザ機器がキャリア上で通信を実行するその他の方法について本発明の本実施形態では繰り返し述べることはしないことに留意されたい。
【０２１５】
上記の解決策を使用することにより、ユーザ機器は、ダウンリンク物理制御チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低いダウンリンク物理制御チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０２１６】
第４の実施形態
本発明の本実施形態は、さらに、ユーザ機器に適用することができるキャリア状況指示方法を提供するものである。図４に示すように、キャリア状況指示方法は、下記のステップを含む。
【０２１７】
Ｓ４０１：ユーザ機器は、物理ダウンリンク共有チャネルを受信し、第１のキャリア情報を搬送する物理ダウンリンク共有チャネルを決定する。
【０２１８】
本実施形態の適用シナリオでは、ユーザ機器が第１のキャリア情報を搬送する物理ダウンリンク共有チャネルを決定することは、具体的には下記のステップを含むことができる。すなわち、ユーザ機器は、キャリアアクティブ化ＲＮＴＩを使用してダウンリンク物理制御チャネルのＣＲＣをスクランブル解除して、ダウンリンク制御情報を搬送するダウンリンク物理制御チャネルを識別し、次いで、識別したダウンリンク物理制御チャネルによって搬送されるダウンリンク制御情報を取得し、ダウンリンク制御情報に従って、第１のキャリア情報を搬送する物理ダウンリンク共有チャネルを決定する。ダウンリンク制御情報は、第１のキャリア情報を搬送する物理ダウンリンク共有チャネルを示すために使用される。
【０２１９】
第１のキャリア情報に含まれるキャリアのキャリア状況は、基地局のキャリアのキャリア状況及び／又は別の基地局のキャリアのキャリア状況を含むことに留意されたい。
【０２２０】
本発明の本実施形態の別の基地局については、本発明の第１の実施形態における関連する説明を参照されたい。本発明の本実施形態では、詳細について繰り返し述べることはしない。
【０２２１】
本発明の本実施形態の別の適用シナリオでは、ユーザ機器が第１のキャリア情報を搬送する物理ダウンリンク共有チャネルを決定することは、具体的には、下記のステップを含むことができる。すなわち、ユーザ機器は、物理ブロードキャストチャネルを受信し、物理ブロードキャストチャネルに従って、第１のキャリア情報を搬送する物理ダウンリンク共有チャネルを決定する。ここで、物理ブロードキャストチャネルは、第１のキャリア情報を搬送する物理ダウンリンク共有チャネルを示すために使用される。
【０２２２】
Ｓ４０２：ユーザ機器は、決定した物理ダウンリンク共有チャネルから第１のキャリア情報を取得する。
【０２２３】
第１のキャリア情報は、キャリアのキャリア状況を含み、キャリア状況は、アクティブ状態又は非アクティブ状態である。
【０２２４】
具体的には、ユーザ機器は、キャリアアクティブ化ＲＮＴＩを使用して、決定した物理ダウンリンク共有チャネルをスクランブル解除して、第１のキャリア情報を取得することができる。
【０２２５】
Ｓ４０３：ユーザ機器は、第１のキャリア情報に従って、キャリア上で通信を実行する。
【０２２６】
ユーザ機器が第１のキャリア情報に従ってキャリア上で通信を実行する具体的な方法については、本発明の他の実施形態における具体的な説明を参照されたい。本実施形態では、詳細について繰り返し述べることはしない。
【０２２７】
上記の解決策を使用することにより、ユーザ機器は、物理ダウンリンク共有チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低い物理ダウンリンク共有チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０２２８】
第５の実施形態
本発明の本実施形態は、さらに、基地局がダウンリンク制御情報（ＤＣＩ  ｆｏｒｍａｔ  Ｘなど）を使用してキャリア状況をユーザ機器に対して示すプロセスにおいて適用することができるキャリア状況指示方法を提供する。図５又は図６に示すように、キャリア状況指示方法は、下記のステップを含むことができる。
【０２２９】
Ｓ５０１：基地局は、キャリアのキャリア状況を決定する。ここで、キャリア状況は、アクティブ状態又は非アクティブ状態である。
【０２３０】
具体的には、基地局は、ユーザ機器のＣＳＩ及びセルの負荷状況などに従って、少なくとも１つのキャリアのキャリア状況を決定することができる。ＣＳＩは、チャネル品質指標ＣＱＩ、ＰＭＩ、ランク指示ＲＩ、及び別の基地局の指示を少なくとも含むことができる。基地局がキャリアのキャリア状況を決定する方法は、本発明の本実施形態に記載する方法を含むが、これに限定されるわけではない。
【０２３１】
本発明の本実施形態のキャリアは、そのキャリア状況が変化する可能性がある、基地局の全てのキャリアであることに留意されたい。例えば、基地局が５つのキャリアを含むことがあり、その５つのキャリアのうちの３つのキャリアのキャリア状況が変化する可能性があることもある。この場合には、本発明の本実施形態のキャリアは、そのキャリア状況が変化する可能性がある３つのキャリアである。
【０２３２】
第１のキャリア情報に含まれるキャリアのキャリア状況は、当該基地局のキャリアのキャリア状況及び／又は別の基地局のキャリアのキャリア状況を含むことに留意されたい。
【０２３３】
本発明の本実施形態の別の基地局については、本発明の第１の実施形態における関連する説明を参照されたい。本発明の本実施形態では、詳細について繰り返し述べることはしない。
【０２３４】
さらに、必要に応じて、本発明の本実施形態の第１の適用シナリオでは、キャリア状況指示方法は、基地局がキャリアシーケンス番号をユーザ機器に対してブロードキャストすることができるステップをさらに含むことがある。
【０２３５】
このステップでは、基地局は、少なくとも１つのキャリアの物理識別子（Ｉｄｅｎｔｉｆｉｅｒ，ＩＤ）、少なくとも１つのキャリアの周波数帯域、及び少なくとも１つのキャリアの帯域幅のうちの少なくとも１つに従って、各キャリアのキャリアシーケンス番号を設定し、各キャリアに設定されたキャリアシーケンス番号を使用して各キャリアを別個に識別し、キャリアシーケンス番号をユーザ機器にブロードキャストして、ユーザ機器がキャリアシーケンス番号及びキャリアのキャリア状況に応じてそのキャリア上で通信を実行できるようにすることができる。
【０２３６】
本発明の本実施形態の第１の適用シナリオでは、従来技術において、異なるユーザ機器では、同じキャリアについて予め設定されるキャリアシーケンス番号も異なる。例えば、キャリアが２つ、すなわちキャリアＡ及びキャリアＢである場合には、従来技術において、ユーザ機器１では、予め設定された第１のキャリアがキャリアＡであり、予め設定された第２のキャリアがキャリアＢであり、ユーザ機器２では、予め設定された第１のキャリアがキャリアＢである。したがって、本発明の本実施形態では、基地局は、全てのユーザ機器において同じキャリアについては同じキャリアシーケンス番号を設定する。キャリア状況指示方法は、Ｓ５０２をさらに含むことができる。
【０２３７】
Ｓ５０２：基地局は、ブロードキャストによって、全キャリア中での各キャリアのキャリアシーケンス番号をユーザ機器に対して示す。
【０２３８】
キャリアシーケンス番号は、各キャリアに設定されたシーケンス番号であり、各キャリアは異なるキャリアシーケンス番号を有し、キャリアシーケンス番号及びキャリアシーケンス番号によって識別されるキャリアは、当該基地局によってサービスされる全てのユーザ機器で一様である。
【０２３９】
基地局がキャリア状況とユーザ機器に適用可能なキャリアシーケンス番号とを異なるユーザ機器に対して示すことと比較すると、キャリアシーケンス番号を一様に設定することとキャリア状況を各ユーザ機器に対してブロードキャスト形式によって示すこととを組み合わせることにより、チャネルリソースの無駄を省くことができ、ネットワーク負荷を低減することができ、高速なキャリア状況の指示を実施することができるので、キャリア状況を示す効率を改善することができることに留意されたい。
【０２４０】
さらに、必要に応じて、Ｓ５０２は、次のＳ５０２’で置換することができる。すなわち、基地局は、全キャリアの中での各キャリアのキャリアシーケンス番号を、専用シグナリングを使用してユーザ機器に送信する。
【０２４１】
専用シグナリングは、無線リソース制御（Ｒａｄｉｏ  Ｒｅｓｏｕｒｃｅ  Ｃｏｎｔｒｏｌ，ＲＲＣ）シグナリング又はメディアアクセス制御（Ｍｅｄｉａ  Ａｃｃｅｓｓ  Ｃｏｎｔｒｏｌ，ＭＡＣ）シグナリングなどとすることができる。
【０２４２】
本実施形態では、キャリアシーケンス番号は、キャリアシーケンス番号に対応するキャリアの中心周波数に従って識別される、及び／又は、キャリアシーケンス番号は、キャリアシーケンス番号に対応するキャリアの物理識別子に従って識別されることに留意されたい。
【０２４３】
具体的には、各キャリアは異なる中心周波数を有するので、基地局は、キャリアの中心周波数を使用して、キャリアのキャリアシーケンス番号を識別することができる。例えば、基地局が、それぞれ中心周波数ａ、中心周波数ｂ、中心周波数ｃ、中心周波数ｄ及び中心周波数ｅを有する５つのキャリアを含む場合には、基地局は、中心周波数ａに対応するキャリアをキャリア１として設定し、中心周波数ｂに対応するキャリアをキャリア２として設定し、中心周波数ｃに対応するキャリアをキャリア３として設定し、中心周波数ｄに対応するキャリアをキャリア４として設定し、中心周波数ｅに対応するキャリアをキャリア５として設定することができる。
【０２４４】
同様に、各キャリアは異なる物理識別子を有するので、基地局は、キャリアの物理識別子を使用して、キャリアのキャリアシーケンス番号を識別することができる。例えば、基地局が、キャリア物理識別子がそれぞれ物理識別子ａ、物理識別子ｂ、物理識別子ｃ、物理識別子ｄ及び物理識別子ｅを有する５つのキャリアを含む場合には、基地局は、物理識別子ａに対応するキャリアをキャリア１として設定し、物理識別子ｂに対応するキャリアをキャリア２として設定し、物理識別子ｃに対応するキャリアをキャリア３として設定し、物理識別子ｄに対応するキャリアをキャリア４として設定し、物理識別子ｅに対応するキャリアをキャリア５として設定することができる。
【０２４５】
本実施形態の第１の適用シナリオでは、第１のキャリア情報に含まれるキャリアのキャリア状況は、全てのキャリアのキャリア状況である。すなわち、基地局は、キャリア状況が変化する可能性があるその基地局の全てのキャリアのキャリア状況を、ユーザ機器に対して示すことができる。
【０２４６】
本実施形態の第２の適用シナリオでは、第１のキャリア情報に含まれるキャリアのキャリア状況は、そのキャリア状況が変化したキャリアのキャリア状況である。すなわち、基地局は、キャリア状況が変化する可能性がある全てのキャリアの中で、当該基地局においてそのキャリア状況が変化したキャリアのキャリア状況を、ユーザ機器に対して示すことができる。
【０２４７】
第２の適用シナリオでは、図６に示すように、本発明の本実施形態の方法は、下記のステップをさらに含むことができる。
【０２４８】
Ｓ５０３：基地局は、第２のシグナリングを使用して、キャリア状況が変化したキャリアの数をユーザ機器に対して示す。
【０２４９】
第２のシグナリングは、上位レイヤシグナリング、ＲＲＣシグナリング、及びＭＡＣシグナリングといった１つのシグナリングとすることができる。
【０２５０】
Ｓ５０４：基地局は、上位レイヤシグナリングを使用して、ユーザ機器に命令情報を送信する。ここで、命令情報は、第１のキャリア情報を示すダウンリンク物理制御チャネルを検出によって決定するようにユーザ機器に命令するために使用される。
【０２５１】
命令情報は、さらに、ダウンリンク制御情報のフォーマット、ＣＲＣをスクランブルするためのＲＮＴＩ、及びダウンリンク物理制御チャネル検出のための探索空間を示すためにも使用される。ここで、ダウンリンク物理制御チャネルは、通常の探索空間で伝送することができる。
【０２５２】
基地局は、命令情報を送信することによって、ダウンリンク物理制御チャネルの検出方法をユーザ機器に対して示し、ユーザ機器は、基地局によって示された検出方法に従って通常の探索空間内でダウンリンク物理制御チャネルを検出することに留意されたい。このようにして、ユーザ機器によって実行される検出の数を低減することができ、これにより、ユーザ機器が実行する必要がある複数回のブラインド検出によって生じるアクティブ化時間又は非アクティブ化時間が長くなることを回避することができる。
【０２５３】
基地局は、ダウンリンク物理制御チャネルを使用して、第１のキャリア情報をユーザ機器に対して示すことができる。ここで、第１のキャリア情報は、キャリアのキャリア状況を含み、第１のキャリア情報は、ユーザ機器がキャリア状況に応じてそのキャリア上で通信を実行できるようにするために使用される。具体的には、図５又は図６に示すように、本発明の本実施形態の方法は、Ｓ５０５を含む。
【０２５４】
Ｓ５０５：基地局は、ダウンリンク物理制御チャネルによって搬送されるダウンリンク制御情報を使用して、第１のキャリア情報をユーザ機器に対して示す。
【０２５５】
ダウンリンク制御情報は、キャリアアクティブ化ＲＮＴＩを使用してＣＲＣをスクランブルすることによって得られるダウンリンク制御情報である。本実施形態のダウンリンク制御情報は、本発明で予め設計されたダウンリンク制御情報ＤＣＩ  ｆｏｒｍａｔ  Ｘである。
【０２５６】
例えば、本実施形態では、第１のキャリア情報の具体的な内容は、下記のようなものであることがある。
Ｃｅｌｌ  Ａｃｔｉｖａｔｉｏｎ  Ｓｔａｔｅ１−１ｂｉｔｓ、キャリアアクティブ状態ＣｅｌｌＩｎｄｅｘ−１
Ｃｅｌｌ  Ａｃｔｉｖａｔｉｏｎ  Ｓｔａｔｅ２−１ｂｉｔｓ、キャリアアクティブ状態ＣｅｌｌＩｎｄｅｘ−２
・・・
Ｃｅｌｌ  Ａｃｔｉｖａｔｉｏｎ  ＳｔａｔｅＮ−１ｂｉｔｓ、キャリアアクティブ状態ＣｅｌｌＩｎｄｅｘ−Ｎ
【０２５７】
ＣｅｌｌＩｎｄｅｘ−１、ＣｅｌｌＩｎｄｅｘ−２、及びＣｅｌｌＩｎｄｅｘ−Ｎは、それぞれ、キャリア１のキャリアシーケンス番号、キャリア２のキャリアシーケンス番号、及びキャリアＮのキャリアシーケンス番号とすることができ、Ｃｅｌｌ  Ａｃｔｉｖａｔｉｏｎ  Ｓｔａｔｅ１は、キャリア１のキャリア状況であり、Ｃｅｌｌ  Ａｃｔｉｖａｔｉｏｎ  Ｓｔａｔｅ２は、キャリア２のキャリア状況であり、Ｃｅｌｌ  Ａｃｔｉｖａｔｉｏｎ  ＳｔａｔｅＮは、キャリアＮのキャリア状況である。
【０２５８】
キャリアのキャリア状況情報は、１ｂｉｔｓであり、具体的には、「１」は、アクティブ状態を表すことができ、「０」は、非アクティブ状態を表すことができる。
【０２５９】
さらに、必要に応じて、基地局は、ビットマップによってキャリアのキャリア状況をさらに識別する、又はキャリアのキャリア状況をさらに統一符号化モードで符号化し、各キャリアのキャリア状況がアクティブ状態であるか非アクティブ状態であるかをユーザ機器に対して示すこともできる。
【０２６０】
ビットマップによってキャリアのキャリア状況を識別する、又は統一符号化モードでキャリアのキャリア状況を符号化する具体的な方法については、本発明の他の実施形態における後述の関連する説明を参照されたい。本実施形態では、詳細について繰り返し述べることはしない。
【０２６１】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。全てのキャリアのキャリア状況、又はキャリア状況が変化したキャリアのキャリア状況。
【０２６２】
基地局によってユーザ機器に対して示される第１のキャリア情報が、基地局によってユーザ機器用に設定されていないキャリアのキャリア状況を含むときには、ユーザ機器は、ユーザ機器用に設定されたキャリアのキャリア状況のみに従ってキャリア上で通信を実行し、第１のキャリア情報に含まれる基地局によってユーザ機器用に設定されていないキャリアのキャリア状況を無視することができる。
【０２６３】
さらに、基地局は、第１のキャリア情報に含まれる基地局によってユーザ機器用に設定されていないキャリアのキャリア状況に従って、設定されていないキャリア上で通信を実行することもできる。基地局によってユーザ機器に対して示されるキャリアのキャリア状況の数が、ユーザ機器がサポートできるキャリアの数より大きいので、これは、ユーザ機器が、ユーザ機器のキャリアアグリゲーション能力を超える複数のキャリアの間で通信状態を切り替えることができることを示している。
【０２６４】
さらに、必要に応じて、Ｓ５０５の前に、ユーザ機器が第１のキャリア情報を正しく且つ実時間で受信することができることを保証するために、基地局は、第１のキャリア情報を示すダウンリンク制御情報を繰り返し符号化する、又は、通常のコード化ビットレートより低いコード化ビットレートを使用してダウンリンク制御情報を符号化する、又は、符号化されたダウンリンク制御情報を繰り返し送信することができる。
【０２６５】
繰返し符号化は、基地局が、所与のチャネル符号化フォーマットを使用して、第１のキャリア情報を示すために使用される、伝送する必要があるダウンリンク制御情報を繰り返し符号化することを指しており、これにより、情報伝送の安全性を改善することができる。
【０２６６】
具体的には、本発明の本実施形態の方法は、下記のステップをさらに含むことができる。すなわち、基地局は、ダウンリンク制御情報を繰り返し符号化する、又は、基地局は、通常のコード化ビットレートである第２のコード化ビットレートより低い第１のコード化ビットレートを使用してダウンリンク制御情報を符号化する、又は、基地局は、符号化されたダウンリンク制御情報を少なくとも１つのユーザ機器に繰り返し送信する。
【０２６７】
Ｓ５０６：ユーザ機器は、命令情報に従ってダウンリンク物理制御チャネルを検出して、第１のキャリア情報を示すダウンリンク物理制御チャネルを決定する。
【０２６８】
命令情報は、第１のキャリア情報を示すダウンリンク物理制御チャネルを検出によって決定するようにユーザ機器に命令するために使用される。
【０２６９】
Ｓ５０７：ユーザ機器は、キャリアアクティブ化ＲＮＴＩを使用してダウンリンク物理制御チャネルのＣＲＣをスクランブル解除して、第１のキャリア情報を搬送するダウンリンク物理制御チャネルを識別する。
【０２７０】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０２７１】
具体的には、ユーザ機器は、ダウンリンク物理制御チャネルの通常の探索空間で、ＲＮＴＩ（基地局がＣＲＣをスクランブルするためにキャリアアクティブ化ＲＮＴＩを使用している場合）に従ってダウンリンク物理制御チャネルのＣＲＣをスクランブル解除して、第１のキャリア情報を伝送するダウンリンク物理制御チャネルを決定することができる。
【０２７２】
本実施形態では、Ｓ５０５を先に実行して、その後にＳ５０６を実行してもよいし、Ｓ５０６からＳ５０７を先に実行して、その後にＳ５０５を実行してもよいし、或いはＳ５０５とＳ５０６からＳ５０７とを同時に実行してもよいことに留意されたい。本実施形態では、Ｓ５０５、及びＳ５０６からＳ５０７を実行する順序は限定されない。
【０２７３】
Ｓ５０８：ユーザ機器は、識別したダウンリンク物理制御チャネルによって搬送されるダウンリンク制御情報を取得する。ここで、ダウンリンク制御情報は、第１のキャリア情報を含む。
【０２７４】
ユーザ機器は、識別したダウンリンク物理制御チャネルを復調して、ダウンリンク物理制御チャネルによって搬送されるダウンリンク制御情報を取得し、第１のキャリア情報を取得することができる。
【０２７５】
Ｓ５０９：ユーザ機器は、第１のキャリア情報に従ってキャリア上で通信を実行する。
【０２７６】
キャリアシーケンス番号は、キャリアシーケンス番号に対応するキャリアの中心周波数に従って識別される、及び／又は、キャリアシーケンス番号は、キャリアシーケンス番号に対応するキャリアの物理識別子に従って識別される。したがって、ユーザ機器は、各キャリアのキャリアシーケンス番号の識別子（キャリアの中心周波数及び／又はキャリアの物理識別子）に従って、複数のキャリア状況の間でユーザ機器の各キャリアのキャリア状況を決定し、そのキャリア状況の指示に従ってキャリア上で通信を実行することができる。
【０２７７】
さらに、必要に応じて、第１のキャリア情報は、キャリアのキャリア状況を含み、キャリア状況は、アクティブ状態又は非アクティブ状態であり、基地局は、ビットマップによってキャリアのキャリア状況を識別する、又は、基地局は、統一符号化モードでキャリアのキャリア状況を符号化する。したがって、第１のキャリア情報を取得した後、ユーザ機器は、それに応じてビットマップによってキャリアのキャリア状況を決定することができる、又は、ユーザ機器は、統一復号モードでキャリアのキャリア状況を決定することができる。キャリアのキャリア状況は、統一復号モードに対応する統一符号化モードで基地局によって符号化される。ここで、キャリア状況は、アクティブ状態又は非アクティブ状態である。
【０２７８】
具体的には、ユーザ機器がビットマップによってキャリアのキャリア状況を決定する、又は、ユーザ機器が統一復号モードでキャリアのキャリア状況を決定する具体的な方法については、本発明の他の実施形態における後述の関連する説明を参照されたい。本実施形態では、詳細について繰り返し述べることはしない。
【０２７９】
ユーザ機器がキャリアの状態情報に従ってキャリア上で通信を実行する具体的な方法については、第１の実施形態における関連する説明を参照すればよく、本実施形態では、詳細について繰り返し述べることはしないことに留意されたい。
【０２８０】
上記の解決策を使用することにより、基地局は、ダウンリンク物理制御チャネルを使用して、キャリアのキャリア状況を含む第１のキャリア情報をユーザ機器に対して示し、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、遅延がより小さく、ネットワーク負荷がより低いダウンリンク物理制御チャネルを使用して、キャリア状況がユーザ機器にブロードキャストされる。したがって、キャリアのアクティブ状態又は非アクティブ状態を示す遅延を短縮することができ、キャリアのアクティブ状態又は非アクティブ状態を示す効率を向上させることができる。
【０２８１】
さらに、基地局によってユーザ機器に対して示されるキャリアのキャリア状況の数が、ユーザ機器がサポートできるキャリアの数より大きいので、ユーザ機器は、ユーザ機器のキャリアアグリゲーション能力を超える複数のキャリアの間で通信状態を切り替えることができる。
【０２８２】
第６の実施形態
本発明の本実施形態は、さらに、基地局がダウンリンク制御情報（ＤＣＩ  ｆｏｒｍａｔ  Ｙなど）を使用してユーザ機器に対してキャリア状況を示すプロセスにおいて適用することができるキャリア状況指示方法を提供する。図７に示すように、キャリア状況指示方法は、下記のステップを含むことができる。
【０２８３】
Ｓ６０１：基地局は、キャリアのキャリア状況を決定する。キャリア状況は、アクティブ状態又は非アクティブ状態である。
【０２８４】
基地局がキャリアのキャリア状況を決定する具体的な方法については、本発明の他の方法の実施形態における基地局によるキャリアのキャリア状況の決定についての関連する説明を参照されたい。本実施形態では、詳細について繰り返し述べることはしない。
【０２８５】
本発明の本実施形態のキャリアは、そのキャリア状況が変化する可能性がある、基地局の全てのキャリアであることに留意されたい。例えば、基地局が５つのキャリアを含むことがあり、その５つのキャリアのうちの３つのキャリアのキャリア状況が変化する可能性があることもある。この場合には、本発明の本実施形態のキャリアは、そのキャリア状況が変化する可能性がある３つのキャリアである。
【０２８６】
本実施形態では、第１のキャリア情報に含まれるキャリアのキャリア状況は、キャリア状況が変化する可能性がある全てのキャリアのキャリア状況であり、ここで、キャリア状況が変化する可能性がある全てのキャリアは、当該基地局によってサービスされる複数のユーザ機器の各ユーザに向けられている。
【０２８７】
第１のキャリア情報に含まれるキャリアのキャリア状況は、当該基地局のキャリアのキャリア状況及び／又は別の基地局のキャリアのキャリア状況を含むことに留意されたい。
【０２８８】
本発明の本実施形態の別の基地局については、本発明の第１の実施形態における関連する説明を参照されたい。本発明の本実施形態では、詳細について繰り返し述べることはしない。
【０２８９】
具体的には、異なるユーザ機器では、キャリア状況が変化する可能性があるキャリアのキャリアシーケンス番号が異なる。本実施形態では、基地局は、当該基地局の各キャリアのキャリアシーケンス番号を一様に設定する必要はない。
【０２９０】
Ｓ６０２：基地局は、上位レイヤシグナリングを使用して命令情報をユーザ機器に送信する。ここで、命令情報は、第１のキャリア情報を示すダウンリンク物理制御チャネルを検出によって決定するようにユーザ機器に命令するために使用される。
【０２９１】
命令情報は、さらに、ダウンリンク制御情報のフォーマット、ＣＲＣをスクランブルするためのＲＮＴＩ、及びダウンリンク物理制御チャネル検出のための探索空間を示すためにも使用される。ここで、ダウンリンク物理制御チャネルは、通常の探索空間で伝送される。
【０２９２】
基地局は、命令情報を送信することによって、ダウンリンク物理制御チャネルの検出方法をユーザ機器に対して示し、ユーザ機器は、基地局によって示された検出方法に従って通常の探索空間内でダウンリンク物理制御チャネルを検出することに留意されたい。このようにして、ユーザ機器によって実行される検出の数を低減することができ、これにより、ユーザ機器が実行する必要がある複数回のブラインド検出によって生じるアクティブ化時間又は非アクティブ化時間が長くなることを回避することができる。
【０２９３】
Ｓ６０３：基地局は、第１のシグナリングを使用して、各ユーザ機器にキャリアアクティブ化指標を通知する。
【０２９４】
キャリアアクティブ化指標は、ダウンリンク制御情報における、各ユーザ機器のキャリアの第１のキャリア情報の位置を示すために使用される。
【０２９５】
第１のシグナリングは、上位レイヤシグナリング、ＲＲＣシグナリング及びＭＡＣシグナリングといった１つのシグナリングとすることができる。
【０２９６】
ユーザ機器は、キャリアアクティブ化指標についての情報に従って、ダウンリンク物理制御チャネルによって搬送されるダウンリンク制御情報から、ユーザ機器に適用可能な第１のキャリア情報を迅速に取得することができ、これにより、キャリア状況を示す効率を向上させることができる。
【０２９７】
本実施形態では、Ｓ６０２を先に実行して、その後にＳ６０３を実行してもよいし、Ｓ６０３を先に実行して、その後にＳ６０２を実行してもよいし、或いはＳ６０２とＳ６０３を同時に実行してもよいことに留意されたい。本実施形態では、Ｓ６０２とＳ６０３を実行する順序は限定されない。
【０２９８】
Ｓ６０４：基地局は、ダウンリンク物理制御チャネルによって搬送されるダウンリンク制御情報を使用して、第１のキャリア情報をユーザ機器に対して示す。
【０２９９】
ダウンリンク制御情報は、キャリアアクティブ化ＲＮＴＩを使用してダウンリンク物理制御チャネルのＣＲＣをスクランブルすることによって得られるダウンリンク制御情報である。本実施形態のダウンリンク制御情報は、本発明で予め設計されたダウンリンク制御情報ＤＣＩ  ｆｏｒｍａｔ  Ｙである。
【０３００】
具体的には、基地局は、さらに、ビットマップによってキャリアのキャリア状況を識別することができる、又は、基地局は、さらに、キャリアのキャリア状況を統一符号化モードで符号化し、各キャリアのキャリア状況がアクティブ状態であるか非アクティブ状態であるかをユーザ機器に対して示すことができる。
【０３０１】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。全てのキャリアのキャリア状況、又はキャリア状況が変化したキャリアのキャリア状況。
【０３０２】
基地局によってユーザ機器に対して示される第１のキャリア情報が、基地局によってユーザ機器用に設定されていないキャリアのキャリア状況を含むときには、ユーザ機器は、ユーザ機器用に設定されたキャリアのキャリア状況のみに従ってキャリア上で通信を実行し、第１のキャリア情報に含まれる基地局によってユーザ機器用に設定されていないキャリアのキャリア状況を無視することができる。
【０３０３】
さらに、基地局は、第１のキャリア情報に含まれる基地局によってユーザ機器用に設定されていないキャリアのキャリア状況に従って、設定されていないキャリア上で通信を実行することもできる。基地局によってユーザ機器に対して示されるキャリアのキャリア状況の数が、ユーザ機器がサポートできるキャリアの数より大きいので、これは、ユーザ機器が、ユーザ機器のキャリアアグリゲーション能力を超える複数のキャリアの間で通信状態を切り替えることができることを示している。
【０３０４】
Ｓ６０５：ユーザ機器は、命令情報に従ってダウンリンク物理制御チャネルを検出して、第１のキャリア情報を示すダウンリンク物理制御チャネルを決定する。
【０３０５】
命令情報は、第１のキャリア情報を示すダウンリンク物理制御チャネルを検出によって決定するようにユーザ機器に命令するために使用される。
【０３０６】
Ｓ６０６：ユーザ機器は、キャリアアクティブ化ＲＮＴＩを使用してダウンリンク物理制御チャネルのＣＲＣをスクランブル解除して、第１のキャリア情報を搬送するダウンリンク物理制御チャネルを識別する。
【０３０７】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０３０８】
ユーザ機器がキャリアアクティブ化ＲＮＴＩを使用してダウンリンク物理制御チャネルのＣＲＣをスクランブル解除して、第１のキャリア情報を搬送するダウンリンク物理制御チャネルを識別する具体的な方法については、本発明の第５の実施形態におけるＳ５０７の関連する説明を参照すればよく、本実施形態では、詳細について繰り返し述べることはしないことに留意されたい。
【０３０９】
Ｓ６０７：ユーザ機器は、識別したダウンリンク物理制御チャネルによって搬送されるダウンリンク制御情報を取得する。ここで、ダウンリンク制御情報は、第１のキャリア情報を含む。
【０３１０】
ユーザ機器は、識別したダウンリンク物理制御チャネルを復調して、ダウンリンク物理制御チャネルによって搬送されるダウンリンク制御情報を取得し、第１のキャリア情報を取得することができる。
【０３１１】
Ｓ６０８：ユーザ機器は、キャリアアクティブ化指標の指示に従って、ダウンリンク制御情報における、ユーザ機器のキャリアの第１のキャリア情報の位置を決定する。
【０３１２】
ユーザ機器は、キャリアアクティブ化指標の指示に従って、ダウンリンク制御情報における、ユーザ機器のキャリアの第１のキャリア情報の位置を決定して、第１のキャリア情報を迅速に取得することができ、これにより、キャリア状況を示す効率を向上させることができる。
【０３１３】
Ｓ６０９：ユーザ機器は、第１のキャリア情報に従ってキャリア上で通信を実行する。
【０３１４】
第１のキャリア情報は、キャリアのキャリア状況を含み、キャリア状況は、アクティブ状態又は非アクティブ状態であり、基地局は、ビットマップによってキャリアのキャリア状況を識別する、又は、基地局は、統一符号化モードでキャリアのキャリア状況を符号化する。したがって、第１のキャリア情報を取得した後、ユーザ機器は、それに応じてビットマップによってキャリアのキャリア状況を決定することができる、又は、ユーザ機器は、統一復号モードでキャリアのキャリア状況を決定することができる。キャリアのキャリア状況は、統一復号モードに対応する統一符号化モードで基地局によって符号化される。ここで、キャリア状況は、アクティブ状態又は非アクティブ状態である。
【０３１５】
例えば、ユーザ機器用に設定された２つのキャリア、すなわちキャリアＡ及びキャリアＢがある場合には、基地局は、ビットマップによってキャリアＡ及びキャリアＢを識別して、キャリアＡ及びキャリアＢの状態情報をユーザ機器に対して示すことができる。具体的には、基地局は、２ビットの情報を使用して、キャリアＡ及びキャリアＢのアクティブ／非アクティブ状態をそれぞれ識別することができる。例えば、上位のビットがキャリアＡのアクティブ／非アクティブ状態を識別し、下位のビットがキャリアＢのアクティブ／非アクティブ状態を識別する。一方、識別子「０」は、キャリアの非アクティブ化に対応し、識別子「１」は、キャリアのアクティブ化に対応する。この場合には、００は、キャリアＡが非アクティブ状態であり、キャリアＢが非アクティブ状態であることを表し、０１は、キャリアＡが非アクティブ化状態であり、キャリアＢがアクティブ状態であることを表し、１０は、キャリアＡがアクティブ状態であり、キャリアＢが非アクティブ状態であることを表し、１１は、キャリアＡがアクティブ状態であり、キャリアＢがアクティブ状態であることを表す。
【０３１６】
これに応じて、ユーザ機器は、基地局から受信したビットマップに従って復号を実行することができる。すなわち、「０」は非アクティブ化を表し、「１」はアクティブ化を表し、「０」と「１」の順序は、ユーザ機器によって予め設定されたキャリアシーケンス番号の順序と同じである。
【０３１７】
ユーザ機器用に設定されたキャリアの数は、本実施形態の例に挙げた数に限定されるわけではなく、基地局がビットマップによってキャリア状況を識別する方法は、本発明の本実施形態で説明する方法を含むが、これに限定されるわけではなく、基地局がビットマップによってキャリア状況を識別する他の方法について、本実施形態では繰り返し述べることはしないことに留意されたい。
【０３１８】
例えば、ユーザ機器用に設定された２つのキャリア、すなわちキャリアＡ及びキャリアＢがある場合には、基地局は、統一符号化モードでキャリアＡ及びキャリアＢのキャリア状況を符号化することができる。具体的には、基地局は、４つの異なる数字、４つの異なる文字、又はその他の４つの異なる識別子を選択して、キャリアＡ及びキャリアＢのキャリア状況を符号化することができる。
【０３１９】
例えば、基地局は、４つの文字、すなわちａ、ｂ、ｃ及びｄを選択して、キャリアＡ及びキャリアＢのキャリア状況をユーザ機器に対して示すことができる。
【０３２０】
具体的には、基地局は、ａを使用して、キャリアＡ及びキャリアＢのキャリア状況が両方とも非アクティブ状態であることを表し、ｂを使用して、キャリアＡのキャリア状況が非アクティブ状態であり、キャリアＢのキャリア状況がアクティブ状態であることを表し、ｃを使用して、キャリアＡのキャリア状況がアクティブ状態であり、キャリアＢのキャリア状況が非アクティブ状態であることを表し、ｄを使用して、キャリアＡのキャリア状況がアクティブ状態であり、キャリアＢのキャリア状況がアクティブ状態であることを表すことができる。
【０３２１】
ａを使用して符号化されたキャリア状況を受信した後、ユーザ機器は、キャリアＡ及びキャリアＢ上のＳＲＳの伝送を停止し、及び／又は、キャリアＡ及びキャリアＢ上のＣＳＩ報告の生成を停止し、及び／又は、キャリアＡ及びキャリアＢのダウンリンク物理制御チャネルの検出を停止し、及び／又は、キャリアＡ及びキャリアＢのダウンリンク物理制御チャネル上のクロスキャリア検出の実行を停止し、及び／又は、キャリアＡ及びキャリアＢ上のＲＡＣＨ信号の伝送を停止し、及び／又は、これらのキャリア上のアップリンク共有チャネルの伝送を停止することができる。ｂを使用して符号化されたキャリア状況を受信した後、ユーザ機器は、キャリアＡ上のＳＲＳの伝送を停止し、及び／又は、キャリアＡ上のＣＳＩ報告の生成を停止し、及び／又は、キャリアＡのダウンリンク物理制御チャネルの検出を停止し、及び／又は、キャリアＡのダウンリンク物理制御チャネル上のクロスキャリア検出の実行を停止し、及び／又は、キャリアＡ上のＲＡＣＨ信号の伝送を停止し、及び／又は、そのキャリア上のアップリンク共有チャネルの伝送を停止し、そして、キャリアＢ上のＳＲＳの伝送は継続し、及び／又は、キャリアＢ上のＣＳＩ報告の生成は継続し、及び／又は、キャリアＢのダウンリンク物理制御チャネルの検出は継続し、及び／又は、キャリアＢのダウンリンク物理制御チャネル上のクロスキャリア検出の実行は継続することができる。ｃを使用して符号化されたキャリア状況を受信した後、ユーザ機器は、キャリアＢ上のＳＲＳの伝送を停止し、及び／又は、キャリアＢ上のＣＳＩ報告の生成を停止し、及び／又は、キャリアＢのダウンリンク物理制御チャネルの検出を停止し、及び／又は、キャリアＢのダウンリンク物理制御チャネル上のクロスキャリア検出の実行を停止し、及び／又は、キャリアＢ上のＲＡＣＨ信号の伝送を停止し、及び／又は、キャリアＢ上のアップリンク共有チャネルの伝送を停止し、そして、キャリアＡ上のＳＲＳの伝送は継続し、及び／又は、キャリアＡ上のＣＳＩ報告の生成は継続し、及び／又は、キャリアＡのダウンリンク物理制御チャネルの検出は継続し、及び／又は、キャリアＡのダウンリンク物理制御チャネル上のクロスキャリア検出の実行は継続することができる。ｄを使用して符号化されたキャリア状況を受信した後、ユーザ機器は、キャリアＡ上のＳＲＳの伝送を停止し、及び／又は、キャリアＡ上のＣＳＩ報告の生成を停止し、及び／又は、キャリアＡのダウンリンク物理制御チャネルの検出を停止し、及び／又は、キャリアＡのダウンリンク物理制御チャネル上のクロスキャリア検出の実行を停止し、及び／又は、キャリアＡ上のＲＡＣＨ信号の伝送を停止し、及び／又は、キャリアＡ上のアップリンク共有チャネルの伝送を停止し、そして、キャリアＢ上のＳＲＳの伝送を停止し、及び／又は、キャリアＢ上のＣＳＩ報告の生成を停止し、及び／又は、キャリアＢのダウンリンク物理制御チャネルの検出を停止し、及び／又は、キャリアＢのダウンリンク物理制御チャネル上のクロスキャリア検出の実行を停止し、及び／又は、キャリアＢ上のＲＡＣＨ信号の伝送を停止し、及び／又は、キャリアＢ上のアップリンク共有チャネルの伝送を停止することができる。
【０３２２】
ユーザ機器は、予め設定されたビットマップ復号モードと、統一符号化モードに対応する予め設定された復号モードとを記憶していることに留意されたい。ビットマップによって識別されたキャリア状況を受信した後は、ユーザ機器は、予め設定されたビットマップ復号モードを使用してキャリア状況を復号することができ、統一符号化モードを使用して符号化されたキャリア状況を受信した後は、ユーザ機器は、統一符号化モードに対応する予め設定された復号モードを使用してキャリア状況を復号することができる。
【０３２３】
ユーザ機器用に設定されたキャリアの数は、本実施形態の例に挙げた数に限定されるわけではなく、基地局が統一符号化モードでキャリア状況を符号化する方法は、本発明の本実施形態で説明する方法を含むが、これに限定されるわけではなく、基地局が統一符号化モードでキャリア状況を符号化する他の方法について、本実施形態では繰り返し述べることはしないことに留意されたい。
【０３２４】
従来技術では、異なるキャリアは異なるユーザ機器用に設定され、異なるユーザ機器では、同じキャリア用に予め設定されたキャリアシーケンス番号が異なる（例えば、基地局側に３つのキャリア、すなわちキャリアＡ、キャリアＢ及びキャリアＣがあり、ユーザ機器１用に設定されたキャリアが、キャリアＡ及びキャリアＢを含み、ユーザ機器１では、予め設定された第１のキャリアはキャリアＡであり、予め設定された第２のキャリアはキャリアＢであり、ユーザ機器２用に設定されたキャリアが、キャリアＢ及びキャリアＣを含み、ユーザ機器２では、予め設定された第１のキャリアはキャリアＢであり、予め設定された第２のキャリアはキャリアＣである）が、本実施形態では、キャリアは、一様に識別（又は記憶）されることに留意されたい。したがって、本実施形態では、基地局によってユーザ機器に対して示される第１のキャリア情報が異なる。上記の例では、基地局は、ユーザ機器１に対してはキャリアＡ及びキャリアＢのキャリア状況のみを示し、ユーザ機器２に対してはキャリアＣ及びキャリアＢのキャリア状況を示す。
【０３２５】
さらに、上記のことから、基地局によってユーザ機器に対して示されるキャリアのキャリア状況の数が、ユーザ機器がサポートできるキャリアの数より大きい場合には、これは、ユーザ機器が、ユーザ機器のキャリアアグリゲーション能力を超える複数のキャリアの間で通信状態を切り替えることができることを示していることがわかる。
【０３２６】
さらに、必要に応じて、Ｓ６０４の前に、ユーザ機器が第１のキャリア情報を正しく且つ実時間で受信することができることを保証するために、基地局は、第１のキャリア情報を示すダウンリンク制御情報を繰り返し符号化する、又は、通常のコード化ビットレートより低いコード化ビットレートを使用してダウンリンク制御情報を符号化する、又は、符号化されたダウンリンク制御情報を繰り返し送信することができる。
【０３２７】
基地局がダウンリンク制御情報を繰り返し符号化する具体的な方法については、本発明の第５の実施形態における関連する説明を参照されたい。本実施形態では、詳細について繰り返し述べることはしない。
【０３２８】
本実施形態のダウンリンク物理制御チャネルは、ＰＤＣＣＨ又はＥ−ＰＤＣＣＨを含むことができる。
【０３２９】
上記の解決策を使用することにより、基地局は、ダウンリンク物理制御チャネルを使用して、キャリアのキャリア状況を含む第１のキャリア情報をユーザ機器に対して示し、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、遅延がより小さく、ネットワーク負荷がより低いダウンリンク物理制御チャネルを使用して、キャリア状況がユーザ機器にブロードキャストされる。したがって、キャリアのアクティブ状態又は非アクティブ状態を示す遅延を短縮することができ、キャリアのアクティブ状態又は非アクティブ状態を示す効率を向上させることができる。
【０３３０】
第７の実施形態
本発明の本実施形態は、さらに、基地局がダウンリンク制御情報（ＤＣＩ  ｆｏｒｍａｔ３又は３ａなど）を使用してユーザ機器に対してキャリア状況を示すプロセスにおいて適用することができるキャリア状況指示方法を提供する。図８に示すように、キャリア状況指示方法は、下記のステップを含むことができる。
【０３３１】
Ｓ７０１：基地局は、キャリアのキャリア状況を決定する。キャリア状況は、アクティブ状態又は非アクティブ状態である。
【０３３２】
基地局がキャリアのキャリア状況を決定する具体的な方法については、本発明の他の方法の実施形態における関連する説明を参照されたい。本発明の本実施形態では、詳細について繰り返し述べることはしない。
【０３３３】
第１のキャリア情報に含まれるキャリアのキャリア状況は、当該基地局のキャリアのキャリア状況及び／又は別の基地局のキャリアのキャリア状況を含むことに留意されたい。
【０３３４】
本発明の本実施形態の別の基地局については、本発明の第１の実施形態における関連する説明を参照されたい。本発明の本実施形態では、詳細について繰り返し述べることはしない。
【０３３５】
Ｓ７０２：基地局は、第１のシグナリングを使用して、各ユーザ機器にキャリアアクティブ化指標を通知する。
【０３３６】
キャリアアクティブ化指標は、ダウンリンク制御情報における、各ユーザ機器のキャリアの第１のキャリア情報の位置を示すために使用される。第１のシグナリングについては、本発明の他の実施形態における関連する説明を参照されたい。本実施形態では、詳細について繰り返し述べることはしない。
【０３３７】
本実施形態では、キャリアアクティブ化指標は、具体的には、ダウンリンク制御情報における、各ユーザ機器のキャリアを示すＴＰＣコマンドの位置を示すために使用されることに留意されたい。
【０３３８】
Ｓ７０３：基地局は、上位レイヤシグナリングを使用して命令情報をユーザ機器に送信する。ここで、命令情報は、第１のキャリア情報を示すダウンリンク物理制御チャネルを検出によって決定するようにユーザ機器に命令するために使用される。
【０３３９】
命令情報は、さらに、ダウンリンク制御情報のフォーマット、ＣＲＣをスクランブルするためのＲＮＴＩ、及びダウンリンク物理制御チャネル検出のための探索空間を示すためにも使用される。ここで、ダウンリンク物理制御チャネルは、通常の探索空間で伝送される。
【０３４０】
基地局は、命令情報を送信することによって、ダウンリンク物理制御チャネルの検出方法をユーザ機器に対して示し、ユーザ機器は、基地局によって示された検出方法に従って通常の探索空間内でダウンリンク物理制御チャネルを検出することに留意されたい。このようにして、ユーザ機器によって実行される検出の数を低減することができ、これにより、ユーザ機器が実行する必要がある複数回のブラインド検出によって生じるアクティブ化時間又は非アクティブ化時間が長くなることを回避することができる。
【０３４１】
本実施形態では、Ｓ７０２を先に実行して、その後にＳ７０３を実行してもよいし、Ｓ７０３を先に実行して、その後にＳ７０２を実行してもよいし、或いはさらに、Ｓ７０２とＳ７０３を同時に実行してもよい。本実施形態では、Ｓ７０２とＳ７０３を実行する順序は限定されない。
【０３４２】
Ｓ７０４：基地局は、ダウンリンク物理制御チャネルによって搬送されるダウンリンク制御情報中の複数のＴＰＣコマンドを使用して、複数のユーザ機器に対して、それらの複数のユーザ機器の中の各ユーザ機器のキャリアの第１のキャリア情報を示す。
【０３４３】
ダウンリンク制御情報は、キャリアアクティブ化無線ネットワーク一時識別子ＲＮＴＩを使用してダウンリンク物理制御チャネルのＣＲＣをスクランブルすることによって得られるダウンリンク制御情報である。
【０３４４】
例えば、各ＴＰＣコマンドは、１ビットとし、１つのキャリアのキャリア状況を示すようにしてもよいし、或いは２ビットの情報として、２つのキャリアのキャリア状況を示すようにしてもよい。例えば、ＴＰＣコマンドにおいて、「１」を使用して、アクティブ状態を表し、「０」を使用して、非アクティブ状態を表すことができる。
【０３４５】
本実施形態では、ダウンリンク制御情報は、ＤＣＩ  ｆｏｒｍａｔ３又は３ａであり、ＤＣＩ  ｆｏｒｍａｔ３又は３ａのＴＰＣコマンドもまた、キャリアのキャリア状況を示すために使用される。
【０３４６】
さらに、必要に応じて、Ｓ７０４の前に、ユーザ機器が第１のキャリア情報を正しく且つ実時間で受信することができることを保証するために、基地局は、第１のキャリア情報を示すダウンリンク制御情報（ダウンリンク制御情報）を繰り返し符号化する、又は、通常のコード化ビットレートより低いコード化ビットレートを使用してダウンリンク制御情報を符号化する、又は、符号化されたダウンリンク制御情報を繰り返し送信することができる。
【０３４７】
具体的には、本発明の本実施形態の方法は、下記のステップをさらに含むことができる。すなわち、基地局は、ダウンリンク制御情報を繰り返し符号化する、又は、通常のコード化ビットレートである第２のコード化ビットレートより低い第１のコード化ビットレートを使用してダウンリンク制御情報を符号化する、又は、符号化されたダウンリンク制御情報を少なくとも１つのユーザ機器に繰り返し送信する。
【０３４８】
Ｓ７０５：ユーザ機器は、命令情報に従ってダウンリンク物理制御チャネルを検出して、第１のキャリア情報を示すダウンリンク物理制御チャネルを決定する。
【０３４９】
命令情報は、第１のキャリア情報を示すダウンリンク物理制御チャネルを検出によって決定するようにユーザ機器に命令するために使用される。
【０３５０】
Ｓ７０６：ユーザ機器は、キャリアアクティブ化ＲＮＴＩを使用してダウンリンク物理制御チャネルのＣＲＣをスクランブル解除して、第１のキャリア情報を搬送するダウンリンク物理制御チャネルを識別する。
【０３５１】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０３５２】
ユーザ機器がキャリアアクティブ化ＲＮＴＩを使用してダウンリンク物理制御チャネルのＣＲＣをスクランブル解除して、第１のキャリア情報を搬送するダウンリンク物理制御チャネルを識別する具体的な方法については、本発明の第５の実施形態におけるＳ５０７の関連する説明を参照すればよく、本実施形態では、詳細について繰り返し述べることはしないことに留意されたい。
【０３５３】
Ｓ７０７：ユーザ機器は、識別したダウンリンク物理制御チャネルによって搬送されるダウンリンク制御情報を取得する。ここで、ダウンリンク制御情報は、ＴＰＣコマンドを含む。
【０３５４】
ユーザ機器は、識別したダウンリンク物理制御チャネルを復調し、ダウンリンク物理制御チャネルによって搬送されるダウンリンク制御情報を取得して、ダウンリンク物理制御チャネルによって搬送されるダウンリンク制御情報を取得し、ダウンリンク制御情報内のＴＰＣコマンドを取得することができる。ここで、ＴＰＣコマンドは、ユーザ機器のキャリアの第１のキャリア情報を示すために使用される。
【０３５５】
Ｓ７０８：ユーザ機器は、キャリアアクティブ化指標の指示に従って、ダウンリンク制御情報における、ユーザ機器のキャリアのＴＰＣコマンドの位置を決定する。
【０３５６】
ユーザ機器は、キャリアアクティブ化指標の指示に従って、ダウンリンク制御情報における、ユーザ機器のキャリアの第１のキャリア情報（すなわちキャリアのＴＰＣコマンド）の位置を決定して、第１のキャリア情報（すなわちキャリアのＴＰＣコマンド）を迅速に取得することができ、これにより、キャリア状況を示す効率を向上させることができる。
【０３５７】
Ｓ７０９：ユーザ機器は、キャリアのＴＰＣコマンドに従ってキャリア上で通信を実行する。
【０３５８】
本実施形態のダウンリンク物理制御チャネルは、ＰＤＣＣＨ又はＥ−ＰＤＣＣＨを含むことができる。
【０３５９】
ユーザ機器がキャリア上で通信を実行する具体的な方法については、本発明の他の実施形態における関連する説明を参照されたい。本実施形態では、詳細について繰り返し述べることはしない。
【０３６０】
上記の解決策を使用することにより、基地局は、ダウンリンク物理制御チャネルを使用して、キャリアのキャリア状況を含む第１のキャリア情報をユーザ機器に対して示し、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、遅延がより小さく、ネットワーク負荷がより低いダウンリンク物理制御チャネルを使用して、キャリア状況がユーザ機器にブロードキャストされる。したがって、キャリアのアクティブ状態又は非アクティブ状態を示す遅延を短縮することができ、キャリアのアクティブ状態又は非アクティブ状態を示す効率を向上させることができる。
【０３６１】
第８の実施形態
本発明の本実施形態は、さらに、基地局が物理ダウンリンク共有チャネルを使用してユーザ機器に対してキャリア状況を示すプロセスにおいて適用することができるキャリア状況指示方法を提供する。図９及び図１０に示すように、キャリア状況指示方法は、下記のステップを含むことができる。
【０３６２】
Ｓ８０１：基地局は、キャリアのキャリア状況を決定する。キャリア状況は、アクティブ状態又は非アクティブ状態である。
【０３６３】
基地局がキャリアのキャリア状況を決定する具体的な方法については、本発明の他の方法の実施形態における基地局によるキャリアのキャリア状況の決定についての関連する説明を参照すればよく、本実施形態では、詳細について繰り返し述べることはしないことに留意されたい。
【０３６４】
第１のキャリア情報に含まれるキャリアのキャリア状況は、当該基地局のキャリアのキャリア状況及び／又は別の基地局のキャリアのキャリア状況を含むことに留意されたい。
【０３６５】
本発明の本実施形態の別の基地局については、本発明の第１の実施形態における関連する説明を参照されたい。本発明の本実施形態では、詳細について繰り返し述べることはしない。
【０３６６】
本発明の本実施形態のキャリアは、そのキャリア状況が変化する可能性がある、基地局の全てのキャリアであることに留意されたい。例えば、基地局が５つのキャリアを含むことがあり、その５つのキャリアのうちの３つのキャリアのキャリア状況が変化する可能性があることもある。この場合には、本発明の本実施形態のキャリアは、そのキャリア状況が変化する可能性がある３つのキャリアである。
【０３６７】
さらに、本発明の本実施形態では、キャリア状況指示方法は、基地局がキャリアシーケンス番号をユーザ機器に対してブロードキャストすることができるステップをさらに含むことがある。
【０３６８】
このステップでは、基地局は、少なくとも１つのキャリアの物理識別子（Ｉｄｅｎｔｉｆｉｅｒ，ＩＤ）、少なくとも１つのキャリアの周波数帯域、及び少なくとも１つのキャリアの帯域幅のうちの少なくとも１つに従って、各キャリアのキャリアシーケンス番号を設定し、各キャリアに設定されたキャリアシーケンス番号を使用して各キャリアを別個に識別し、キャリアシーケンス番号をユーザ機器にブロードキャストして、ユーザ機器がキャリアシーケンス番号及びキャリアのキャリア状況に応じてそのキャリア上で通信を実行できるようにすることができる。
【０３６９】
本発明の本実施形態では、従来技術において、異なるユーザ機器では、同じキャリアについて予め設定されるキャリアシーケンス番号も異なる。例えば、キャリアが２つ、すなわちキャリアＡ及びキャリアＢである場合には、従来技術において、ユーザ機器１では、予め設定された第１のキャリアがキャリアＡであり、予め設定された第２のキャリアがキャリアＢであり、ユーザ機器２では、予め設定された第１のキャリアがキャリアＢである。したがって、本発明の本実施形態では、基地局は、全てのユーザ機器において同じキャリアについては同じキャリアシーケンス番号を設定することができる。キャリア状況指示方法は、Ｓ４０２をさらに含むことができる。
【０３７０】
Ｓ８０２：基地局は、ブロードキャストによって、全てのキャリアの中での各キャリアのキャリアシーケンス番号をユーザ機器に対して示す。
【０３７１】
キャリアシーケンス番号は、各キャリアに設定されたシーケンス番号であり、各キャリアは異なるキャリアシーケンス番号を有し、キャリアシーケンス番号及びキャリアシーケンス番号によって識別されるキャリアは、当該基地局によってサービスされる全てのユーザ機器で一様である。
【０３７２】
基地局がキャリア状況とユーザ機器に適用可能なキャリアシーケンス番号とを異なるユーザ機器に対して示すことと比較すると、キャリアシーケンス番号を一様に設定することとキャリア状況を各ユーザ機器に対してブロードキャストによって示すこととを組み合わせることにより、チャネルリソースの無駄を省くことができ、ネットワーク負荷を低減することができ、高速なキャリア状況の指示を実施することができるので、キャリア状況を示す効率を改善することができることに留意されたい。
【０３７３】
さらに、必要に応じて、Ｓ８０２は、次のＳ８０２’で置換することができる。すなわち、基地局は、全キャリアの中での各キャリアのキャリアシーケンス番号を、専用シグナリングを使用してユーザ機器に送信する。
【０３７４】
専用シグナリングは、ＲＲＣシグナリング又はＭＡＣシグナリングなどとすることができる。
【０３７５】
本実施形態では、キャリアシーケンス番号は、キャリアシーケンス番号に対応するキャリアの中心周波数に従って識別される、及び／又は、キャリアシーケンス番号は、キャリアシーケンス番号に対応するキャリアの物理識別子に従って識別されることに留意されたい。
【０３７６】
基地局がキャリアシーケンス番号に対応するキャリアの中心周波数を使用して、又はキャリアシーケンス番号に対応するキャリアの物理識別子を使用してキャリアシーケンス番号を識別する方法については、他の方法の実施形態の具体的な内容を参照されたい。本実施形態では、詳細について繰り返し述べることはしない。
【０３７７】
本実施形態の第１の適用シナリオでは、第１のキャリア情報に含まれるキャリアのキャリア状況は、全てのキャリアのキャリア状況である。すなわち、基地局は、キャリア状況が変化する可能性があるその基地局の全てのキャリアのキャリア状況を、ユーザ機器に対して示すことができる。
【０３７８】
本実施形態の第２の適用シナリオでは、第１のキャリア情報に含まれるキャリアのキャリア状況は、そのキャリア状況が変化したキャリアのキャリア状況である。すなわち、基地局は、キャリア状況が変化する可能性がある全てのキャリアの中で、当該基地局においてそのキャリア状況が変化したキャリアのキャリア状況を、ユーザ機器に対して示すことができる。
【０３７９】
第２の適用シナリオでは、本発明の本実施形態の方法は、下記のステップをさらに含むことができる。すなわち、基地局は、第２のシグナリングを使用して、キャリア状況が変化したキャリアの数をユーザ機器に対して示す。
【０３８０】
第２のシグナリングについては、本発明の他の実施形態における関連する説明を参照されたい。本実施形態では、詳細について繰り返し述べることはしない。
【０３８１】
Ｓ８０３：基地局は、上位レイヤシグナリングを使用して、命令情報をユーザ機器に送信する。ここで、命令情報は、物理ダウンリンク共有チャネルを示すダウンリンク物理制御チャネル、又は物理ダウンリンク共有チャネルを示す物理ブロードキャストチャネルを検出するようにユーザ機器に命令するために使用される。
【０３８２】
本実施形態では、命令情報は、さらに、物理ダウンリンク共有チャネルのフォーマット及び物理ダウンリンク共有チャネル検出のための探索空間をユーザ機器に対して示すためにも使用される。ここで、物理ダウンリンク共有チャネルは、通常の探索空間で伝送することができる。第１のキャリア情報は、キャリアのキャリア状況を含み、第１のキャリア情報は、ユーザ機器がキャリア状況に従ってそのキャリア上で通信を実行できるようにするために使用される。
【０３８３】
基地局は、命令情報を送信することによって、第１のキャリア情報を示す物理ダウンリンク共有チャネルを検出によって決定するようにユーザ機器に命令して、ユーザ機器によって実行される検出の数を低減することができ、それにより、ユーザ機器が実行する必要がある複数回のブラインド検出によって生じるアクティブ化時間又は非アクティブ化時間が長くなることを回避することができるようにする。
【０３８４】
本実施形態の第１の適用シナリオでは、図９に示すように、本発明の本実施形態の方法は、次のＳ８０４ａをさらに含む。
【０３８５】
Ｓ８０４ａ：基地局は、物理ブロードキャストチャネルによって示される物理ダウンリンク共有チャネルを使用して、第１のキャリア情報をユーザ機器に対して示す。
【０３８６】
本実施形態の第２の適用シナリオでは、図１０に示すように、本発明の本実施形態の方法は、次のＳ８０４ｂをさらに含む。
【０３８７】
Ｓ８０４ｂ：基地局は、ダウンリンク制御情報によって示される物理ダウンリンク共有チャネルを使用して、第１のキャリア情報をユーザ機器に対して示す。ここで、ダウンリンク制御情報は、ダウンリンク物理制御チャネルによって搬送される。
【０３８８】
第２の適用シナリオでは、ダウンリンク制御情報は、キャリアアクティブ化ＲＮＴＩを使用してダウンリンク物理制御チャネルのＣＲＣをスクランブルすることによって得られ、第１のキャリア情報は、キャリアアクティブ化ＲＮＴＩを使用したスクランブルによって得られる。キャリアアクティブ化ＲＮＴＩは、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである。本実施形態のダウンリンク制御情報は、従来技術の任意のダウンリンク制御情報（ＤＣＩ）とすることができる。
【０３８９】
本実施形態の第１のキャリア情報の具体的な内容については、本発明の第５の実施形態における関連する説明を参照すればよく、本実施形態では詳細について繰り返し述べることはしないことに留意されたい。
【０３９０】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。全てのキャリアのキャリア状況、又はキャリア状況が変化したキャリアのキャリア状況。
【０３９１】
基地局によってユーザ機器に対して示される第１のキャリア情報が、基地局によってユーザ機器用に設定されていないキャリアのキャリア状況を含むときには、ユーザ機器は、ユーザ機器用に設定されたキャリアのキャリア状況のみに従ってキャリア上で通信を実行し、第１のキャリア情報に含まれる基地局によってユーザ機器用に設定されていないキャリアのキャリア状況を無視することができる。
【０３９２】
さらに、基地局は、第１のキャリア情報に含まれる基地局によってユーザ機器用に設定されていないキャリアのキャリア状況に従って、設定されていないキャリア上で通信を実行することもできる。基地局によってユーザ機器に対して示されるキャリアのキャリア状況の数が、ユーザ機器がサポートできるキャリアの数より大きいので、これは、ユーザ機器が、ユーザ機器のキャリアアグリゲーション能力を超える複数のキャリアの間で通信状態を切り替えることができることを示している。
【０３９３】
さらに、必要に応じて、Ｓ８０４の前に、ユーザ機器が第１のキャリア情報を正しく且つ実時間で受信することができることを保証するために、基地局は、第１のキャリア情報を示すダウンリンク制御情報を繰り返し符号化する、又は、通常のコード化ビットレートより低いコード化ビットレートを使用してダウンリンク制御情報を符号化する、又は、符号化されたダウンリンク制御情報を繰り返し送信することができる。
【０３９４】
繰返し符号化は、基地局が、所与のチャネル符号化フォーマットを使用して、第１のキャリア情報を示すために使用される、伝送する必要があるダウンリンク制御情報を繰り返し符号化することができることを指しており、これにより、情報伝送の安全性を改善することができる。
【０３９５】
ユーザ機器は、上位レイヤシグナリングの命令情報に従って、物理ダウンリンク共有チャネルを示すダウンリンク物理制御チャネル又は物理ダウンリンク共有チャネルを示す物理ブロードキャストチャネルを決定することができる。
【０３９６】
具体的には、第１の適用シナリオでは、図９に示すように、本実施形態の方法は、Ｓ８０５ａをさらに含み、第２の適用シナリオでは、図１０に示すように、本実施形態の方法は、Ｓ８０５ｂをさらに含む。
【０３９７】
Ｓ８０５ａ：ユーザ機器は、命令情報に従って物理ブロードキャストチャネルを検出して、第１のキャリア情報を示す物理ブロードキャストチャネルを決定する。
【０３９８】
命令情報は、物理ダウンリンク共有チャネルを示す物理ブロードキャストチャネルを検出によって決定するようにユーザ機器に命令するために使用される。
【０３９９】
命令情報は、具体的には、物理ブロードキャストチャネルのフォーマット及び物理ブロードキャストチャネル検出のための探索空間を示すために使用され、物理ブロードキャストチャネルは、通常の探索空間で伝送することができる。
【０４００】
基地局は、命令情報を送信することによって、物理ブロードキャストチャネルの検出方法をユーザ機器に対して示し、ユーザ機器は、基地局によって示された検出方法に従って通常の探索空間内で物理ブロードキャストチャネルを検出することに留意されたい。このようにして、ユーザ機器によって実行される検出の数を低減することができ、これにより、ユーザ機器が実行する必要がある複数回のブラインド検出によって生じるアクティブ化時間又は非アクティブ化時間が長くなることを回避することができる。
【０４０１】
Ｓ８０５ｂ：ユーザ機器は、命令情報に従ってダウンリンク物理制御チャネルを検出して、第１のキャリア情報を示すダウンリンク物理制御チャネルを決定する。
【０４０２】
命令情報は、物理ダウンリンク共有チャネルを示すダウンリンク物理制御チャネルを検出によって決定するようにユーザ機器に命令するために使用される。
【０４０３】
さらに、ユーザ機器は、第１のキャリア情報を搬送する物理ダウンリンク共有チャネル又は第１のキャリア情報を搬送する物理ブロードキャストチャネルを決定することができる。
【０４０４】
命令情報は、具体的には、ダウンリンク物理制御チャネルのフォーマット、ＣＲＣをスクランブルするためのＲＮＴＩ、及びダウンリンク物理制御チャネル検出のための探索空間を示すために使用され、ダウンリンク物理制御チャネルは、通常の探索空間で伝送することができる。
【０４０５】
基地局は、命令情報を送信することによって、ダウンリンク物理制御チャネルの検出方法をユーザ機器に対して示し、ユーザ機器は、基地局によって示された検出方法に従って通常の探索空間内でダウンリンク物理制御チャネルを検出することに留意されたい。このようにして、ユーザ機器によって実行される検出の数を低減することができ、これにより、ユーザ機器が実行する必要がある複数回のブラインド検出によって生じるアクティブ化時間又は非アクティブ化時間が長くなることを回避することができる。
【０４０６】
具体的には、本実施形態の第１の適用シナリオでは、図９に示すように、本実施形態の方法は、Ｓ８０６ａをさらに含み、本実施形態の第２の適用シナリオでは、図１０に示すように、本実施形態の方法は、Ｓ８０６ｂからＳ８０６ｃをさらに含む。
【０４０７】
Ｓ８０６ａ：ユーザ機器は、物理ブロードキャストチャネルに従って、第１のキャリア情報を搬送する物理ダウンリンク共有チャネルを決定する。
【０４０８】
物理ブロードキャストチャネルは、第１のキャリア情報を搬送する物理ダウンリンク共有チャネルをユーザ機器に対して示すために使用される。
【０４０９】
Ｓ８０６ｂ：ユーザ機器は、キャリアアクティブ化ＲＮＴＩを使用してダウンリンク物理制御チャネルのＣＲＣをスクランブル解除して、ダウンリンク制御情報を搬送するダウンリンク物理制御チャネルを識別する。
【０４１０】
基地局は、キャリアアクティブ化ＲＮＴＩを使用して、ダウンリンク制御情報を搬送するダウンリンク物理制御チャネルのＣＲＣをスクランブルするので、これに応じて、ユーザ機器は、キャリアアクティブ化ＲＮＴＩを使用して、ダウンリンク物理制御チャネルのＣＲＣをスクランブル解除することができ、ダウンリンク制御情報を搬送するダウンリンク物理制御チャネルを識別することができる。
【０４１１】
Ｓ８０６ｃ：ユーザ機器は、識別したダウンリンク物理制御チャネルによって搬送されるダウンリンク制御情報を取得し、ダウンリンク制御情報に従って、第１のキャリア情報を搬送する物理ダウンリンク共有チャネルを決定する。
【０４１２】
ダウンリンク制御情報は、第１のキャリア情報を搬送する物理ダウンリンク共有チャネルを示すために使用される。
【０４１３】
第１のキャリア情報は、基地局によってキャリアアクティブ化ＲＮＴＩを使用してスクランブルされるので、図９又は図１０に示すように、本実施形態の方法は、次のＳ８０７をさらに含むことができる。
【０４１４】
Ｓ８０７：ユーザ機器は、キャリアアクティブ化ＲＮＴＩを使用して、決定した物理ダウンリンク共有チャネルをスクランブル解除して、第１のキャリア情報を取得する。
【０４１５】
物理ダウンリンク共有チャネルは、大量の情報を含むことができ、第１のキャリア情報は、基地局によって、キャリアアクティブ化ＲＮＴＩを使用してスクランブルされる。したがって、ユーザ機器は、キャリアアクティブ化ＲＮＴＩを使用して、決定した物理ダウンリンク共有チャネルをスクランブル解除して、第１のキャリア情報を取得することができる。
【０４１６】
Ｓ８０８：ユーザ機器は、第１のキャリア情報に従ってキャリア上で通信を実行する。
【０４１７】
キャリアシーケンス番号は、キャリアシーケンス番号に対応するキャリアの中心周波数に従って識別される、及び／又は、キャリアシーケンス番号は、キャリアシーケンス番号に対応するキャリアの物理識別子に従って識別される。したがって、ユーザ機器は、各キャリアのキャリアシーケンス番号の識別子（キャリアの中心周波数及び／又はキャリアの物理識別子）に従って、複数のキャリア状況の間でユーザ機器の各キャリアのキャリア状況を決定し、そのキャリア状況の指示に従ってキャリア上で通信を実行することができる。
【０４１８】
ユーザ機器がキャリアの状態情報に従ってキャリア上で通信を実行する具体的な方法については、第１の実施形態における関連する説明を参照すればよく、本実施形態では、詳細について繰り返し述べることはしないことに留意されたい。
【０４１９】
上記の解決策を使用することにより、基地局は、物理ダウンリンク共有チャネルを使用して、キャリアのキャリア状況を含む第１のキャリア情報をユーザ機器に対して示し、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、遅延がより小さく、ネットワーク負荷がより低い物理ダウンリンク共有チャネルを使用して、キャリア状況がユーザ機器にブロードキャストされる。したがって、キャリアのアクティブ状態又は非アクティブ状態を示す遅延を短縮することができ、キャリアのアクティブ状態又は非アクティブ状態を示す効率を向上させることができる。
【０４２０】
さらに、基地局によってユーザ機器に対して示されるキャリアのキャリア状況の数が、ユーザ機器がサポートできるキャリアの数より大きいので、ユーザ機器は、ユーザ機器のキャリアアグリゲーション能力を超える複数のキャリアの間で通信状態を切り替えることができる。
【０４２１】
第９の実施形態
本発明の本実施形態は、さらに、基地局を提供する。図１１に示すように、基地局は、決定ユニットａ１及び送信ユニットａ２を含む。
【０４２２】
決定ユニットａ１は、キャリアのキャリア状況を決定するように構成される。ここで、キャリア状況は、アクティブ状態又は非アクティブ状態である。
【０４２３】
さらに、第１のキャリア情報に含まれるキャリアのキャリア状況は、当該基地局のキャリアのキャリア状況及び／又は別の基地局のキャリアのキャリア状況を含む。
【０４２４】
送信ユニットａ２は、ダウンリンク物理制御チャネルを使用して第１のキャリア情報をユーザ機器に対して示すように構成され、第１のキャリア情報は、決定ユニットａ１によって決定されたキャリアのキャリア情報を含み、第１のキャリア情報は、ユーザ機器がキャリア状況に従ってキャリア上で通信を実行できるようにするために使用される。
【０４２５】
さらに、送信ユニットａ２は、ダウンリンク物理制御チャネルによって搬送されるダウンリンク制御情報を使用して第１のキャリア情報をユーザ機器に対して示すようにさらに構成される。
【０４２６】
送信ユニットａ２によって送信されるダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られるダウンリンク制御情報であり、キャリアアクティブ化ＲＮＴＩは、第１のキャリア情報を搬送するダウンリンク物理制御チャネルを識別するために使用される、基地局によってユーザ機器用に設定されたＲＮＴＩである。
【０４２７】
さらに、送信ユニットａ２によって送信されるキャリアは、当該基地局及び／又は別の基地局のキャリア状況が変化する可能性がある全てのキャリアである。
【０４２８】
さらに、送信ユニットａ２は、ダウンリンク物理制御チャネルを使用して第１のキャリア情報をユーザ機器に対して示す前に、ブロードキャストによって全キャリア中での各キャリアのキャリアシーケンス番号をユーザ機器に対して示すように構成される。
【０４２９】
或いは、
送信ユニットａ２は、ダウンリンク物理制御チャネルを使用して第１のキャリア情報をユーザ機器に対して示す前に、専用シグナリングを使用して全キャリア中での各キャリアのキャリアシーケンス番号をユーザ機器に送信するように構成される。
【０４３０】
送信ユニットａ２によって送信されるキャリアシーケンス番号は、各キャリアに設定されたシーケンス番号であり、各キャリアは、異なるキャリアシーケンス番号を有し、送信ユニットａ２によって送信されるキャリアシーケンス番号、及びキャリアシーケンス番号によって識別されるキャリアは、当該基地局によってサービスされる全てのユーザ機器で一様である。
【０４３１】
さらに、送信ユニットａ２によって送信されるキャリアシーケンス番号は、キャリアシーケンス番号に対応するキャリアの中心周波数に従って識別される、及び／又は、送信ユニットａ２によって送信されるキャリアシーケンス番号は、キャリアシーケンス番号に対応するキャリアの物理識別子に従って識別される。
【０４３２】
さらに、送信ユニットａ２によって送信される第１のキャリア情報に含まれるキャリアのキャリア状況は、全てのキャリアのキャリア状況である。
【０４３３】
さらに、ユーザ機器は、複数のユーザ機器であり、送信ユニットａ２によって送信される第１のキャリア情報に含まれるキャリアのキャリア状況は、キャリア状況が変化する可能性がある全てのキャリアのキャリア状況であり、キャリア状況が変化する可能性がある全てのキャリアは、基地局において、複数のユーザ機器の中の各ユーザ機器に向けられる。
【０４３４】
さらに、送信ユニットａ２は、ダウンリンク物理制御チャネルを使用して第１のキャリア情報をユーザ機器に対して示す前に、第２のシグナリングを使用して、キャリア状況が変化したキャリアの数をユーザ機器に対して示すようにさらに構成され、
第１のキャリア情報に含まれるキャリアのキャリア状況は、キャリア状況が変化したキャリアのキャリア状況である。
【０４３５】
さらに、送信ユニットａ２によって送信されるダウンリンク制御情報は、ダウンリンク制御情報ＤＣＩ  ｆｏｒｍａｔ３又は３ａであり、ＤＣＩ  ｆｏｒｍａｔ３又は３ａの送信電力制御ＴＰＣコマンドもまた、キャリアのキャリア状況を示すために使用される。
【０４３６】
さらに、送信ユニットａ２は、ダウンリンク物理制御チャネルによって搬送されるダウンリンク制御情報中の複数のＴＰＣコマンドを使用して、複数のユーザ機器の中の各ユーザ機器のキャリアの第１のキャリア情報を、それらの複数のユーザ機器に対して示すようにさらに構成される。
【０４３７】
さらに、送信ユニットａ２は、ダウンリンク物理制御チャネルを使用して第１のキャリア情報をユーザ機器に対して示す前に、第１のシグナリングを使用して各ユーザ機器にキャリアアクティブ化指標を通知するようにさらに構成される。ここで、キャリアアクティブ化指標は、ダウンリンク制御情報における、各ユーザ機器のキャリアの第１のキャリア情報の位置を示すために使用される。
【０４３８】
さらに、送信ユニットａ２によって送信されるキャリアのキャリア状況は、ビットマップによって識別される、又は、送信ユニットａ２によって送信されるキャリアのキャリア状況は、統一符号化モードで符号化される。
【０４３９】
さらに、送信ユニットａ２は、ダウンリンク物理制御チャネルを使用して第１のキャリア情報をユーザ機器に対して示す前に、上位レイヤシグナリングを使用して命令情報をユーザ機器に送信するようにさらに構成される。ここで、命令情報は、第１のキャリア情報を示すダウンリンク物理制御チャネルを検出によって決定するようにユーザ機器に命令するために使用される。
【０４４０】
さらに、図１２に示すように、基地局は、符号化ユニットａ３をさらに含むことができる。
【０４４１】
符号化ユニットａ３は、送信ユニットａ２がダウンリンク物理制御チャネルを使用して第１のキャリア情報をユーザ機器に対して示す前に、ダウンリンク制御情報を符号化するように構成される。
【０４４２】
符号化ユニットａ３は、ダウンリンク制御情報を繰り返し符号化するようにさらに構成される。
【０４４３】
或いは、
符号化ユニットａ３は、第１のコード化ビットレートを使用してダウンリンク制御情報を符号化するようにさらに構成され、ここで、第１のコード化ビットレートは、第２のコード化ビットレートより低く、第２のコード化ビットレートは、通常のコード化ビットレートである。
【０４４４】
或いは、
送信ユニットａ２は、符号化ユニットａ３によって符号化されたダウンリンク制御情報をユーザ機器に繰り返し送信するようにさらに構成される。
【０４４５】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０４４６】
上記の解決策の基地局は、ダウンリンク物理制御チャネルを使用して、キャリアのキャリア状況を含む第１のキャリア情報をユーザ機器に対して示して、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低いダウンリンク物理制御チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０４４７】
第１０の実施形態
本発明の本実施形態は、さらに、基地局を提供する。図１３に示すように、基地局は、決定ユニットｂ１及び送信ユニットｂ２を含む。
【０４４８】
決定ユニットｂ１は、キャリアのキャリア状況を決定するように構成される。ここで、キャリア状況は、アクティブ状態又は非アクティブ状態である。
【０４４９】
さらに、第１のキャリア情報に含まれるキャリアのキャリア状況は、当該基地局のキャリアのキャリア状況及び／又は別の基地局のキャリアのキャリア状況を含む。
【０４５０】
送信ユニットｂ２は、物理ブロードキャストチャネルによって示される、又はダウンリンク制御情報によって示される物理ダウンリンク共有チャネルを使用して、第１のキャリア情報をユーザ機器に対して示すように構成され、送信ユニットｂ２によって送信されるダウンリンク制御情報はダウンリンク物理制御チャネルによって搬送される。
【０４５１】
送信ユニットｂ２によって送信される第１のキャリア情報は、決定ユニットｂ１によって決定されるキャリアのキャリア状況を含み、送信ユニットｂ２によって送信される第１のキャリア情報は、ユーザ機器がキャリア状況に応じてそのキャリア上で通信を実行できるようにするために使用され、送信ユニットｂ２によって送信されるダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られ、第１のキャリア情報は、キャリアアクティブ化ＲＮＴＩを使用したスクランブルによって得られ、キャリアアクティブ化ＲＮＴＩは、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである。
【０４５２】
さらに、送信ユニットａ２によって送信されるキャリアは、当該基地局及び／又は別の基地局のキャリア状況が変化する可能性がある全てのキャリアである。
【０４５３】
送信ユニットｂ２は、物理ブロードキャストチャネルによって示される、又はダウンリンク制御情報によって示される物理ダウンリンク共有チャネルを使用して第１のキャリア情報をユーザ機器に対して示す前に、ブロードキャストによって、全キャリア中での各キャリアのキャリアシーケンス番号をユーザ機器に対して示すように構成される。
【０４５４】
或いは、送信ユニットｂ２は、物理ブロードキャストチャネルによって示される、又はダウンリンク制御情報によって示される物理ダウンリンク共有チャネルを使用して第１のキャリア情報をユーザ機器に対して示す前に、専用シグナリングを使用して、全キャリア中での各キャリアのキャリアシーケンス番号をユーザ機器に送信するように構成される。
【０４５５】
送信ユニットｂ２によって送信されるキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０４５６】
さらに、送信ユニットｂ２によって送信されるキャリアシーケンス番号は、キャリアシーケンス番号に対応するキャリアの中心周波数に従って識別される、及び／又は、送信ユニットｂ２によって送信されるキャリアシーケンス番号は、キャリアシーケンス番号に対応するキャリアの物理識別子に従って識別される。
【０４５７】
さらに、送信ユニットｂ２によって送信される第１のキャリア情報に含まれるキャリアのキャリア状況は、全てのキャリアのキャリア状況である。
【０４５８】
さらに、送信ユニットｂ２は、物理ブロードキャストチャネルによって示される、又はダウンリンク制御情報によって示される物理ダウンリンク共有チャネルを使用して第１のキャリア情報をユーザ機器に対して示す前に、第１のシグナリングを使用して、キャリア状況が変化したキャリアの数をユーザ機器に対して示すようにさらに構成される。
【０４５９】
送信ユニットｂ２によって送信される第１のキャリア情報に含まれるキャリアのキャリア状況は、キャリア状況が変化したキャリアのキャリア状況である。
【０４６０】
さらに、送信ユニットｂ２は、物理ブロードキャストチャネルによって示される、又はダウンリンク制御情報によって示される物理ダウンリンク共有チャネルを使用して第１のキャリア情報をユーザ機器に対して示す前に、上位レイヤシグナリングを使用して命令情報をユーザ機器に送信するようにさらに構成される。ここで、送信ユニットｂ２によって送信される命令情報は、第１のキャリア情報を示す物理ダウンリンク共有チャネルを検出するようにユーザ機器に命令するために使用される。
【０４６１】
さらに、図１４に示すように、基地局は、符号化ユニットｂ３をさらに含むことができる。
【０４６２】
符号化ユニットｂ３は、送信ユニットｂ２がダウンリンク制御情報によって示される物理ダウンリンク共有チャネルを使用して第１のキャリア情報をユーザ機器に対して示す前に、ダウンリンク制御情報を符号化するように構成される。
【０４６３】
符号化ユニットｂ３は、ダウンリンク制御情報を繰り返し符号化するようにさらに構成される。
【０４６４】
或いは、符号化ユニットｂ３は、第１のコード化ビットレートを使用してダウンリンク制御情報を符号化するようにさらに構成され、ここで、第１のコード化ビットレートは、第２のコード化ビットレートより低く、第２のコード化ビットレートは、通常のコード化ビットレートである。
【０４６５】
或いは、送信ユニットｂ２は、符号化ユニットｂ３によって符号化されたダウンリンク制御情報をユーザ機器に繰り返し送信するようにさらに構成される。
【０４６６】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０４６７】
上記の解決策では、基地局は、物理ダウンリンク共有チャネルを使用して、キャリアのキャリア状況を含む第１のキャリア情報をユーザ機器に対して示して、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低い物理ダウンリンク共有チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０４６８】
第１１の実施形態
本発明の本実施形態は、さらに、ユーザ機器を提供する。図１５に示すように、ユーザ機器は、受信ユニットｃ１及び通信ユニットｃ２を含む。
【０４６９】
受信ユニットｃ１は、基地局から送信されたダウンリンク物理制御チャネルを受信するように構成され、受信ユニットｃ１によって受信されるダウンリンク物理制御チャネルは、第１のキャリア情報を含み、第１のキャリア情報は、キャリアのキャリア状況を含み、キャリア状況は、アクティブ状態又は非アクティブ状態である。
【０４７０】
通信ユニットｃ２は、受信ユニットｃ１が受信した第１のキャリア情報に従ってキャリア上で通信を実行するように構成される。
【０４７１】
さらに、第１のキャリア情報に含まれるキャリアのキャリア状況は、当該基地局のキャリアのキャリア状況及び／又は別の基地局のキャリアのキャリア状況を含む。
【０４７２】
さらに、図１６に示すように、受信ユニットｃ１は、識別モジュールｃ１１及び取得モジュールｃ１２を含むことができる。
【０４７３】
識別モジュールｃ１１は、キャリアアクティブ化無線ネットワーク一時識別子ＲＮＴＩを使用してダウンリンク物理制御チャネルの巡回冗長検査ＣＲＣをスクランブル解除して、第１のキャリア情報を搬送するダウンリンク物理制御チャネルを識別するように構成される。
【０４７４】
取得モジュールｃ１２は、識別モジュールｃ１１によって識別されたダウンリンク物理制御チャネルによって搬送されるダウンリンク制御情報を取得するように構成され、ここで、ダウンリンク制御情報は、第１のキャリア情報を含む。
【０４７５】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０４７６】
さらに、受信ユニットｃ１が受信するキャリアは、キャリア状況が変化する可能性がある、当該基地局及び／又は別の基地局の全てのキャリアである。
【０４７７】
受信ユニットｃ１は、基地局から送信されたダウンリンク物理制御チャネルを受信する前に、基地局によってブロードキャストによりユーザ機器に対して示された、全キャリア中での各キャリアのキャリアシーケンス番号を取得する、又は、
基地局から送信された専用シグナリングを受信するようにさらに構成され、ここで、専用シグナリングは、全キャリア中での各キャリアのキャリアシーケンス番号を搬送する。
【０４７８】
受信ユニットｃ１が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０４７９】
さらに、受信ユニットｃ１が受信するキャリアシーケンス番号は、キャリアシーケンス番号に対応するキャリアの中心周波数に従って識別される、及び／又は、受信ユニットｃ１が受信するキャリアシーケンス番号は、キャリアシーケンス番号に対応するキャリアの物理識別子に従って識別される。
【０４８０】
さらに、受信ユニットｃ１が受信する第１のキャリア情報に含まれるキャリアのキャリア状況は、全てのキャリアのキャリア状況である。
【０４８１】
さらに、受信ユニットｃ１が受信する第１のキャリア情報に含まれるキャリアのキャリア状況は、キャリア状況が変化する可能性がある全てのキャリアのうち、当該ユーザ機器に向けられた、キャリア状況が変化する可能性がある全てのキャリアのキャリア状況である
【０４８２】
さらに、受信ユニットｃ１は、基地局から送信されたとともに第１のキャリア情報を含むダウンリンク物理制御チャネルを受信する前に、基地局から送信された第２のシグナリングを受信するようにさらに構成され、ここで、第２のシグナリングは、キャリア状況が変化したキャリアの数を搬送する。
【０４８３】
受信ユニットｃ１が受信する第１のキャリア情報に含まれるキャリアのキャリア状況は、キャリア状況が変化したキャリアのキャリア状況である。
【０４８４】
さらに、受信ユニットｃ１が受信するダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【０４８５】
さらに、受信ユニットｃ１は、ダウンリンク物理制御チャネルによって搬送されるダウンリンク制御情報を受信し、ダウンリンク制御情報中のＴＰＣコマンドを取得するようにさらに構成され、ここで、ＴＰＣコマンドは、ユーザ機器のキャリアの第１のキャリア情報を示すために使用される。
【０４８６】
さらに、受信ユニットｃ１は、基地局から送信されたとともに第１のキャリア情報を含むダウンリンク物理制御チャネルを受信する前に、基地局から送信された第１のシグナリングを受信するようにさらに構成され、ここで、第１のシグナリングは、キャリアアクティブ化指標を搬送する。
【０４８７】
さらに、図１７に示すように、ユーザ機器は、決定ユニットｃ３をさらに含むことができる。
【０４８８】
決定ユニットｃ３は、受信ユニットｃ１が受信したキャリアアクティブ化指標の指示に従って、ダウンリンク制御情報における、当該ユーザ機器のキャリアの第１のキャリア情報の位置を決定するように構成される。
【０４８９】
さらに、決定ユニットｃ３は、受信ユニットｃ１が基地局から送信されたとともに第１のキャリア情報を含むダウンリンク物理制御チャネルを受信した後で、キャリアのキャリア状況が基地局によってビットマップにより識別される場合には、ビットマップによってキャリアのキャリア状況を決定し、又は、
キャリアのキャリア状況が基地局によって統一復号モードに対応する統一符号化モードで符号化される場合には、統一復号モードでキャリアのキャリア状況を決定するようにさらに構成される。
【０４９０】
受信ユニットｃ１が受信するキャリア状況は、アクティブ状態又は非アクティブ状態である。
【０４９１】
さらに、受信ユニットｃ１は、基地局から送信されたダウンリンク物理制御チャネルを受信する前に、上位レイヤシグナリングを使用して基地局から送信された命令情報を受信するようにさらに構成される。
【０４９２】
決定ユニットｃ３は、受信ユニットｃ１が受信した命令情報に従ってダウンリンク物理制御チャネルを検出して、第１のキャリア情報を示すダウンリンク物理制御チャネルを決定するようにさらに構成される。
【０４９３】
受信ユニットｃ１が受信する命令情報は、第１のキャリア情報を示すダウンリンク物理制御チャネルを検出するようにユーザ機器に命令するために使用される。
【０４９４】
さらに、受信ユニットｃ１は、ダウンリンク物理制御チャネル上で繰り返し符号化されるダウンリンク制御情報を受信する、又は、
通常のコード化ビットレートである第２のコード化ビットレートより低い第１のコード化ビットレートを使用してダウンリンク物理制御チャネル上で符号化されたダウンリンク制御情報を受信する、又は、
符号化された複数個のダウンリンク制御情報を基地局から受信するようにさらに構成される。
【０４９５】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０４９６】
さらに、受信ユニットｃ１が受信するキャリア状況は、アクティブ状態又は非アクティブ状態である。
【０４９７】
通信ユニットｃ２は、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０４９８】
さらに、通信ユニットｃ２は、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するように構成される。
【０４９９】
上記の解決策では、ユーザ機器は、ダウンリンク物理制御チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低いダウンリンク物理制御チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０５００】
第１２の実施形態
本発明の本実施形態は、さらに、ユーザ機器を提供する。図１８に示すように、ユーザ機器は、受信ユニットｄ１、決定ユニットｄ２、取得ユニットｄ３、及び通信ユニットｄ４を含む。
【０５０１】
受信ユニットｄ１は、物理ダウンリンク共有チャネルを受信するように構成される。
【０５０２】
決定ユニットｄ２は、受信ユニットｄ１が受信した物理ダウンリンク共有チャネルにおいて、第１のキャリア情報を搬送する物理ダウンリンク共有チャネルを決定するように構成される。
【０５０３】
取得ユニットｄ３は、決定ユニットｄ２が決定した物理ダウンリンク共有チャネルから第１のキャリア情報を取得するように構成され、ここで、第１のキャリア情報は、キャリアのキャリア状況を含み、キャリア状況は、アクティブ状態又は非アクティブ状態である。
【０５０４】
通信ユニットｄ４は、取得ユニットｄ３が取得した第１のキャリア情報に従ってキャリア上で通信を実行するように構成される。
【０５０５】
さらに、第１のキャリア情報に含まれるキャリアのキャリア状況は、当該基地局のキャリアのキャリア状況及び／又は別の基地局のキャリアのキャリア状況を含む。
【０５０６】
さらに、図１９に示すように、決定ユニットｄ２は、識別モジュールｄ２１及び取得モジュールｄ２２を含むことができる。
【０５０７】
識別モジュールｄ２１は、キャリアアクティブ化無線ネットワーク一時識別子ＲＮＴＩを使用してダウンリンク物理制御チャネルの巡回冗長検査ＣＲＣをスクランブル解除して、ダウンリンク制御情報を搬送するダウンリンク物理制御チャネルを識別するように構成される。
【０５０８】
取得モジュールｄ２２は、識別モジュールｄ２１によって識別されたダウンリンク物理制御チャネルによって搬送されるダウンリンク制御情報を取得し、ダウンリンク制御情報に従って、第１のキャリア情報を搬送する物理ダウンリンク共有チャネルを決定するように構成される。
【０５０９】
取得モジュールｄ２２によって取得されたダウンリンク制御情報は、第１のキャリア情報を搬送する物理ダウンリンク共有チャネルを示すために使用される。
【０５１０】
さらに、図２０に示すように、決定ユニットｄ２は、受信モジュールｄ２３及び決定モジュールｄ２４を含むことができる。
【０５１１】
受信モジュールｄ２３は、物理ブロードキャストチャネルを受信するように構成される。
【０５１２】
決定モジュールｄ２４は、受信モジュールが受信した物理ブロードキャストチャネルに従って、第１のキャリア情報を搬送する物理ダウンリンク共有チャネルを決定するように構成される。
【０５１３】
受信モジュールｄ２３が受信する物理ブロードキャストチャネルは、第１のキャリア情報を搬送する物理ダウンリンク共有チャネルを示すために使用される。
【０５１４】
さらに、取得ユニットｄ３は、キャリアアクティブ化ＲＮＴＩを使用して、決定した物理ダウンリンク共有チャネルをスクランブル解除して、第１のキャリア情報を取得するようにさらに構成される。
【０５１５】
さらに、取得ユニットｄ３が取得するキャリアは、当該基地局及び／又は別の基地局のキャリア状況が変化する可能性がある全てのキャリアである。
【０５１６】
受信ユニットｄ１は、通信ユニットｄ４が第１のキャリア情報に従ってキャリア上で通信を実行する前に、基地局によってブロードキャストによりユーザ機器に対して示される、全キャリア中での各キャリアのキャリアシーケンス番号を取得するようにさらに構成される。
【０５１７】
或いは、受信ユニットｄ１は、通信ユニットｄ４が第１のキャリア情報に従ってキャリア上で通信を実行する前に、基地局から送信された専用シグナリングを受信するようにさらに構成され、ここで、専用シグナリングは、全キャリア中での各キャリアのキャリアシーケンス番号を搬送する。
【０５１８】
受信ユニットｄ１が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０５１９】
さらに、受信ユニットｄ１が受信するキャリアシーケンス番号は、キャリアシーケンス番号に対応するキャリアの中心周波数に従って識別される、及び／又は、受信ユニットｄ１が受信するキャリアシーケンス番号は、キャリアシーケンス番号に対応するキャリアの物理識別子に従って識別される。
【０５２０】
さらに、取得ユニットｄ３が取得する第１のキャリア情報に含まれるキャリアのキャリア状況は、全てのキャリアのキャリア状況である。
【０５２１】
さらに、受信ユニットｄ１は、通信ユニットｄ４が第１のキャリア情報に従ってキャリア上で通信を実行する前に、基地局から送信された第１のシグナリングを受信するようにさらに構成され、ここで、第１のシグナリングは、キャリア状況が変化したキャリアの数を搬送する。
【０５２２】
取得ユニットｄ３が取得する第１のキャリア情報に含まれるキャリアのキャリア状況は、キャリア状況が変化したキャリアのキャリア状況である。
【０５２３】
さらに、受信ユニットｄ１は、決定ユニットｄ２が第１のキャリア情報を搬送する物理ダウンリンク共有チャネルを決定する前に、上位レイヤシグナリングを使用して基地局から送信された命令情報を受信するようにさらに構成され、ここで、命令情報は、物理ダウンリンク共有チャネルを示すダウンリンク物理制御チャネル又は物理ダウンリンク共有チャネルを示す物理ブロードキャストチャネルを検出するようにユーザ機器に命令するために使用される。
【０５２４】
決定ユニットｄ２は、受信ユニットｄ１が受信した命令情報に従ってダウンリンク物理制御チャネル又は物理ブロードキャストチャネルを検出して、第１のキャリア情報を搬送する物理ダウンリンク共有チャネルを決定するようにさらに構成される。
【０５２５】
さらに、受信ユニットｄ１は、物理ダウンリンク共有チャネルを受信する前に、ダウンリンク物理制御チャネル上で繰り返し符号化されるダウンリンク制御情報を受信するようにさらに構成される。
【０５２６】
或いは、受信ユニットｄ１は、物理ダウンリンク共有チャネルを受信する前に、ダウンリンク物理制御チャネル上で第１のコード化ビットレートを使用して符号化されたダウンリンク制御情報を受信するようにさらに構成され、ここで、第１のコード化ビットレートは、第２のコード化ビットレートより低く、第２のコード化ビットレートは、通常のコード化ビットレートである。
【０５２７】
或いは、受信ユニットｄ１は、物理ダウンリンク共有チャネルを受信する前に、符号化された複数個のダウンリンク制御情報を基地局から受信するようにさらに構成される。
【０５２８】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０５２９】
さらに、受信ユニットｄ３が取得するキャリア状況は、アクティブ状態又は非アクティブ状態である。
【０５３０】
通信ユニットｄ４は、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０５３１】
さらに、取得ユニットｄ３によって取得される通信ユニットｄ４は、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するように構成される。
【０５３２】
上記の解決策では、ユーザ機器は、物理ダウンリンク共有チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低い物理ダウンリンク共有チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０５３３】
第１３の実施形態
本発明の本実施形態は、基地局を提供する。図２１に示すように、基地局は、プロセッサＡ１及び送信機Ａ２を含む。
【０５３４】
プロセッサＡ１は、キャリアのキャリア状況を決定するように構成される。ここで、プロセッサＡ１によって決定されるキャリア状況は、アクティブ状態又は非アクティブ状態である。
【０５３５】
送信機Ａ２は、ダウンリンク物理制御チャネルを使用して第１のキャリア情報をユーザ機器に対して示すように構成され、ここで、送信機Ａ２から送信される第１のキャリア情報は、プロセッサＡ１によって決定されるキャリアのキャリア状況を含み、送信機Ａ２から送信される第１のキャリア情報は、ユーザ機器がキャリア状況に従ってキャリア上で通信を実行できるようにするために使用される。
【０５３６】
さらに、第１のキャリア情報に含まれるキャリアのキャリア状況は、当該基地局のキャリアのキャリア状況及び／又は別の基地局のキャリアのキャリア状況を含む。
【０５３７】
さらに、受信機Ａ２は、ダウンリンク物理制御チャネルによって搬送されるダウンリンク制御情報を使用して第１のキャリア情報をユーザ機器に対して示すようにさらに構成される。
【０５３８】
送信機Ａ２によって送信されるダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られるダウンリンク制御情報であり、キャリアアクティブ化ＲＮＴＩは、第１のキャリア情報を搬送するダウンリンク物理制御チャネルを識別するために使用される、基地局によってユーザ機器用に設定されたＲＮＴＩである。
【０５３９】
さらに、送信機Ａ２によって送信されるキャリアは、当該基地局及び／又は別の基地局のキャリア状況が変化する可能性がある全てのキャリアである。
【０５４０】
送信機Ａ２は、ダウンリンク物理制御チャネルを使用して第１のキャリア情報をユーザ機器に対して示す前に、ブロードキャストにより、全キャリア中での各キャリアのキャリアシーケンス番号をユーザ機器に対して示すようにさらに構成される。
【０５４１】
或いは、送信機Ａ２は、ダウンリンク物理制御チャネルを使用して第１のキャリア情報をユーザ機器に対して示す前に、専用シグナリングを使用して、全キャリア中での各キャリアのキャリアシーケンス番号をユーザ機器に送信するようにさらに構成される。
【０５４２】
送信機Ａ２によって送信されるキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０５４３】
さらに、送信機Ａ２によって送信されるキャリアシーケンス番号は、キャリアシーケンス番号に対応するキャリアの中心周波数に従って識別される、及び／又は、送信機Ａ２によって送信されるキャリアシーケンス番号は、キャリアシーケンス番号に対応するキャリアの物理識別子に従って識別される。
【０５４４】
さらに、送信機Ａ２によって送信される第１のキャリア情報に含まれるキャリアのキャリア状況は、全てのキャリアのキャリア状況である。
【０５４５】
さらに、ユーザ機器は複数のユーザ機器であり、送信機Ａ２によって送信される第１のキャリア情報に含まれるキャリアのキャリア状況は、キャリア状況が変化する可能性がある全てのキャリアのキャリア状況であり、ここで、キャリア状況が変化する可能性がある全てのキャリアは、基地局において、複数のユーザ機器中の各ユーザ機器に向けられる。
【０５４６】
さらに、送信機Ａ２は、ダウンリンク物理制御チャネルを使用して第１のキャリア情報をユーザ機器に対して示す前に、第２のシグナリングを使用して、キャリア状況が変化したキャリアの数をユーザ機器に対して示すようにさらに構成される。
【０５４７】
送信機Ａ２によって送信される第１のキャリア情報に含まれるキャリアのキャリア状況は、キャリア状況が変化したキャリアのキャリア状況である。
【０５４８】
さらに、送信機Ａ２によって送信されるダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【０５４９】
さらに、送信機Ａ２は、ダウンリンク物理制御チャネルによって搬送されるダウンリンク制御情報中の複数のＴＰＣコマンドを使用して、複数のユーザ機器の中の各ユーザ機器のキャリアの第１のキャリア情報を、それらの複数のユーザ機器に対して示すようにさらに構成される。
【０５５０】
さらに、送信機Ａ２は、ダウンリンク物理制御チャネルを使用して第１のキャリア情報をユーザ機器に対して示す前に、第１のシグナリングを使用して各ユーザ機器にキャリアアクティブ化指標を通知するようにさらに構成される。ここで、キャリアアクティブ化指標は、ダウンリンク制御情報における、各ユーザ機器のキャリアの第１のキャリア情報の位置を示すために使用される。
【０５５１】
さらに、送信機Ａ２によって送信されるキャリアのキャリア状況は、ビットマップによって識別される、又は、送信機Ａ２によって送信されるキャリアのキャリア状況は、統一符号化モードで符号化される。
【０５５２】
さらに、送信機Ａ２は、ダウンリンク物理制御チャネルを使用して第１のキャリア情報をユーザ機器に対して示す前に、上位レイヤシグナリングを使用して命令情報をユーザ機器に送信するようにさらに構成される。ここで、命令情報は、第１のキャリア情報を示すダウンリンク物理制御チャネルを検出によって決定するようにユーザ機器に命令するために使用される。
【０５５３】
さらに、プロセッサＡ１は、送信機Ａ２がダウンリンク物理制御チャネルを使用して第１のキャリア情報をユーザ機器に対して示す前に、ダウンリンク制御情報を符号化するようにさらに構成される。
【０５５４】
プロセッサＡ１は、ダウンリンク制御情報を繰り返し符号化するようにさらに構成される。
【０５５５】
或いは、プロセッサＡ１は、第１のコード化ビットレートを使用してダウンリンク制御情報を符号化するようにさらに構成され、ここで、第１のコード化ビットレートは、第２のコード化ビットレートより低く、第２のコード化ビットレートは、通常のコード化ビットレートである。
【０５５６】
或いは、送信機Ａ２は、プロセッサＡ１によって符号化されたダウンリンク制御情報をユーザ機器に繰り返し送信するようにさらに構成される。
【０５５７】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０５５８】
上記の解決策の基地局は、ダウンリンク物理制御チャネルを使用して、キャリアのキャリア状況を含む第１のキャリア情報をユーザ機器に対して示して、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低いダウンリンク物理制御チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０５５９】
第１４の実施形態
本発明の本実施形態は、さらに、基地局を提供する。図２２に示すように、基地局は、プロセッサＢ１及び送信機Ｂ２を含む。
【０５６０】
プロセッサＢ１は、キャリアのキャリア状況を決定するように構成される。ここで、プロセッサＢ１によって決定されるキャリア状況は、アクティブ状態又は非アクティブ状態である。
【０５６１】
送信機Ｂ２は、物理ブロードキャストチャネルによって示される、又はダウンリンク制御情報によって示される物理ダウンリンク共有チャネルを使用して、第１のキャリア情報をユーザ機器に対して示すように構成される。ここで、送信機Ｂ２によって送信されるダウンリンク制御情報は、ダウンリンク物理制御チャネルによって搬送される。
【０５６２】
送信機Ｂ２によって送信される第１のキャリア情報は、プロセッサＢ１によって決定されるキャリアのキャリア状況を含み、第１のキャリア情報は、ユーザ機器がキャリア状況に応じてそのキャリア上で通信を実行できるようにするために使用され、送信機Ｂ２によって送信されるダウンリンク制御情報は、キャリアアクティブ化無線ネットワーク一時識別子ＲＮＴＩを使用してダウンリンク物理制御チャネルの巡回冗長検査ＣＲＣをスクランブルすることによって得られ、第１のキャリア情報は、キャリアアクティブ化ＲＮＴＩを使用したスクランブルによって得られ、キャリアアクティブ化ＲＮＴＩは、ダウンリンク制御情報を搬送するダウンリンク物理制御チャネルを識別するために使用される、基地局によってユーザ機器用に設定されたＲＮＴＩ、及び物理ダウンリンク共有チャネル上の第１のキャリア情報を識別するために使用される、基地局によってユーザ機器用に設定されたＲＮＴＩである。
【０５６３】
さらに、第１のキャリア情報に含まれるキャリアのキャリア状況は、当該基地局のキャリアのキャリア状況及び／又は別の基地局のキャリアのキャリア状況を含む。
【０５６４】
さらに、送信機Ｂ２によって送信されるキャリアは、当該基地局及び／又は別の基地局のキャリア状況が変化する可能性がある全てのキャリアである。
【０５６５】
送信機Ｂ２は、物理ブロードキャストチャネルによって示される、又はダウンリンク制御情報によって示される物理ダウンリンク共有チャネルを使用して第１のキャリア情報をユーザ機器に対して示す前に、ブロードキャストによって、全キャリア中での各キャリアのキャリアシーケンス番号をユーザ機器に対して示すようにさらに構成される。
【０５６６】
或いは、送信機Ｂ２は、物理ブロードキャストチャネルによって示される、又はダウンリンク制御情報によって示される物理ダウンリンク共有チャネルを使用して第１のキャリア情報をユーザ機器に対して示す前に、専用シグナリングを使用して、全キャリア中での各キャリアのキャリアシーケンス番号をユーザ機器に送信するようにさらに構成される。
【０５６７】
送信機Ｂ２によって送信されるキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０５６８】
さらに、送信機Ｂ２によって送信されるキャリアシーケンス番号は、キャリアシーケンス番号に対応するキャリアの中心周波数に従って識別される、及び／又は、送信機Ｂ２によって送信されるキャリアシーケンス番号は、キャリアシーケンス番号に対応するキャリアの物理識別子に従って識別される。
【０５６９】
さらに、送信機Ｂ２によって送信される第１のキャリア情報に含まれるキャリアのキャリア状況は、全てのキャリアのキャリア状況である。
【０５７０】
さらに、送信機Ｂ２は、物理ブロードキャストチャネルによって示される、又はダウンリンク制御情報によって示される物理ダウンリンク共有チャネルを使用して第１のキャリア情報をユーザ機器に対して示す前に、第１のシグナリングを使用して、キャリア状況が変化したキャリアの数をユーザ機器に対して示すようにさらに構成される。
【０５７１】
送信機Ｂ２によって送信される第１のキャリア情報に含まれるキャリアのキャリア状況は、キャリア状況が変化したキャリアのキャリア状況である。
【０５７２】
さらに、送信機Ｂ２は、物理ブロードキャストチャネルによって示される、又はダウンリンク制御情報によって示される物理ダウンリンク共有チャネルを使用して第１のキャリア情報をユーザ機器に対して示す前に、上位レイヤシグナリングを使用して命令情報をユーザ機器に送信するようにさらに構成される。ここで、送信機Ｂ２によって送信される命令情報は、第１のキャリア情報を示す物理ダウンリンク共有チャネルを検出するようにユーザ機器に命令するために使用される。
【０５７３】
さらに、プロセッサＢ１は、送信機Ｂ２がダウンリンク制御情報によって示される物理ダウンリンク共有チャネルを使用して第１のキャリア情報をユーザ機器に対して示す前に、ダウンリンク制御情報を符号化するようにさらに構成される。
【０５７４】
プロセッサＢ１は、ダウンリンク制御情報を繰り返し符号化するようにさらに構成される。
【０５７５】
或いは、プロセッサＢ１は、第１のコード化ビットレートを使用してダウンリンク制御情報を符号化するようにさらに構成され、ここで、第１のコード化ビットレートは、第２のコード化ビットレートより低く、第２のコード化ビットレートは、通常のコード化ビットレートである。
【０５７６】
或いは、送信機Ｂ２は、プロセッサＢ１によって符号化されたダウンリンク制御情報をユーザ機器に繰り返し送信するようにさらに構成される。
【０５７７】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０５７８】
上記の解決策では、基地局は、物理ダウンリンク共有チャネルを使用して、キャリアのキャリア状況を含む第１のキャリア情報をユーザ機器に対して示して、ユーザ機器がキャリアのキャリア状況に従ってキャリア上で通信を実行するようにすることができる。ＭＡＣ  ＣＥを使用してキャリアのアクティブ状態又は非アクティブ状態がユーザ機器に対して示される従来技術と比較すると、本解決策では、キャリア状況は、遅延がより小さく、ネットワーク負荷がより低い物理ダウンリンク共有チャネルを使用して、ユーザ機器に対してブロードキャストされる。したがって、キャリアのアクティブ状態又は非アクティブ状態を示す遅延を短縮することができ、キャリアのアクティブ状態又は非アクティブ状態を示す効率を向上させることができる。
【０５７９】
第１５の実施形態
本発明の本実施形態は、さらに、ユーザ機器を提供する。図２３に示すように、ユーザ機器は、受信機Ｃ１及びプロセッサＣ２を含む。
【０５８０】
受信機Ｃ１は、基地局から送信されたダウンリンク物理制御チャネルを受信するように構成され、ここで、ダウンリンク物理制御チャネルは、第１のキャリア情報を含み、受信機Ｃ１が受信する第１のキャリア情報は、キャリアのキャリア状況を含み、キャリア状況は、アクティブ状態又は非アクティブ状態である。
【０５８１】
さらに、第１のキャリア情報に含まれるキャリアのキャリア状況は、当該基地局のキャリアのキャリア状況及び／又は別の基地局のキャリアのキャリア状況を含む。
【０５８２】
プロセッサＣ２は、受信機Ｃ１が受信した第１のキャリア情報に従ってキャリア上で通信を実行するように構成される。
【０５８３】
さらに、プロセッサＣ２は、キャリアアクティブ化無線ネットワーク一時識別子ＲＮＴＩを使用してダウンリンク物理制御チャネルの巡回冗長検査ＣＲＣをスクランブル解除して、第１のキャリア情報を搬送するダウンリンク物理制御チャネルを識別し、識別したダウンリンク物理制御チャネルによって搬送されるダウンリンク制御情報を取得するようにさらに構成され、ここで、ダウンリンク制御情報は、第１のキャリア情報を含む。
【０５８４】
キャリアアクティブ化ＲＮＴＩは、第１のキャリア情報を搬送するダウンリンク物理制御チャネルを識別するために使用される、基地局によってユーザ機器用に設定されたＲＮＴＩである。
【０５８５】
さらに、受信機Ｃ１が受信するキャリアは、キャリア状況が変化する可能性がある、当該基地局及び／又は別の基地局の全てのキャリアである。
【０５８６】
受信機Ｃ１は、基地局から送信されたダウンリンク物理制御チャネルを受信する前に、基地局によってブロードキャストによりユーザ機器に対して示された、全キャリア中での各キャリアのキャリアシーケンス番号を取得するようにさらに構成される。
【０５８７】
或いは、受信機Ｃ１は、基地局から送信されたダウンリンク物理制御チャネルを受信する前に、基地局から送信された専用シグナリングを受信するようにさらに構成され、ここで、専用シグナリングは、全キャリア中での各キャリアのキャリアシーケンス番号を搬送する。
【０５８８】
受信機Ｃ１が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０５８９】
さらに、受信機Ｃ１が受信するキャリアシーケンス番号は、キャリアシーケンス番号に対応するキャリアの中心周波数に従って識別される、及び／又は、受信機Ｃ１が受信するキャリアシーケンス番号は、キャリアシーケンス番号に対応するキャリアの物理識別子に従って識別される。
【０５９０】
さらに、受信機Ｃ１が受信する第１のキャリア情報に含まれるキャリアのキャリア状況は、全てのキャリアのキャリア状況である。
【０５９１】
さらに、受信機Ｃ１が受信する第１のキャリア情報に含まれるキャリアのキャリア状況は、キャリア状況が変化する可能性がある全てのキャリアのうち、当該ユーザ機器に向けられた、キャリア状況が変化する可能性がある全てのキャリアのキャリア状況である。
【０５９２】
さらに、受信機Ｃ１は、基地局から送信されたとともに第１のキャリア情報を含むダウンリンク物理制御チャネルを受信する前に、基地局から送信された第２のシグナリングを受信するようにさらに構成され、受信機Ｃ１によって受信された第２のシグナリングは、キャリア状況が変化したキャリアの数を搬送する。
【０５９３】
受信機Ｃ１が受信する第１のキャリア情報に含まれるキャリアのキャリア状況は、キャリア状況が変化したキャリアのキャリア状況である。
【０５９４】
さらに、受信機Ｃ１が受信するダウンリンク制御情報は、ダウンリンク制御情報ＤＣＩ  ｆｏｒｍａｔ３又は３Ａであり、ＤＣＩ  ｆｏｒｍａｔ３又は３Ａの送信電力制御ＴＰＣコマンドもまた、キャリアのキャリア状況を示すために使用される。
【０５９５】
さらに、受信機Ｃ１は、ダウンリンク物理制御チャネルによって搬送されるダウンリンク制御情報を受信し、ダウンリンク制御情報中のＴＰＣコマンドを取得するようにさらに構成され、ここで、受信機Ｃ１が受信するＴＰＣコマンドは、ユーザ機器のキャリアの第１のキャリア情報を示すために使用される。
【０５９６】
さらに、受信機Ｃ１は、基地局から送信されたとともに第１のキャリア情報を含むダウンリンク物理制御チャネルを受信する前に、基地局から送信された第１のシグナリングを受信するようにさらに構成され、ここで、受信機Ｃ１が受信する第１のシグナリングは、キャリアアクティブ化指標を搬送する。
【０５９７】
プロセッサＣ２は、受信機Ｃ１が受信したキャリアアクティブ化指標の指示に従って、ダウンリンク制御情報における、当該ユーザ機器のキャリアの第１のキャリア情報の位置を決定するようにさらに構成される。
【０５９８】
さらに、プロセッサＣ２は、受信機Ｃ１が基地局から送信されたとともに第１のキャリア情報を含むダウンリンク物理制御チャネルを受信した後で、ビットマップによってキャリアのキャリア状況を決定するようにさらに構成され、ここで、受信機Ｃ１が受信するキャリアのキャリア状況は、基地局によってビットマップにより識別される。
【０５９９】
或いは、プロセッサＣ２は、受信機Ｃ１が基地局から送信されたとともに第１のキャリア情報を含むダウンリンク物理制御チャネルを受信した後で、統一復号モードでキャリアのキャリア状況を決定するようにさらに構成され、ここで、受信機Ｃ１が受信するキャリアのキャリア状況は、基地局によって統一復号モードに対応する統一符号化モードで符号化される。
【０６００】
受信機Ｃ１が受信するキャリア状況は、アクティブ状態又は非アクティブ状態である。
【０６０１】
さらに、受信機Ｃ１は、基地局から送信されたダウンリンク物理制御チャネルを受信する前に、上位レイヤシグナリングを使用して基地局から送信された命令情報を受信するようにさらに構成される。
【０６０２】
プロセッサＣ２は、受信機Ｃ１が受信した命令情報に従ってダウンリンク物理制御チャネルを検出して、第１のキャリア情報を示すダウンリンク物理制御チャネルを決定するようにさらに構成される。
【０６０３】
受信機Ｃ１が受信する命令情報は、第１のキャリア情報を示すダウンリンク物理制御チャネルを検出するようにユーザ機器に命令するために使用される。
【０６０４】
さらに、受信機Ｃ１は、ダウンリンク物理制御チャネル上で繰り返し符号化されるダウンリンク制御情報を受信するようにさらに構成される。
【０６０５】
或いは、受信機Ｃ１は、第１のコード化ビットレートを使用してダウンリンク物理制御チャネル上で符号化されたダウンリンク制御情報を受信するようにさらに構成され、ここで、第１のコード化ビットレートは、第２のコード化ビットレートより低く、第２のコード化ビットレートは、通常のコード化ビットレートである。
【０６０６】
或いは、受信機Ｃ１は、符号化された複数個のダウンリンク制御情報を基地局から受信するようにさらに構成される。
【０６０７】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０６０８】
さらに、受信機Ｃ１が受信するキャリア状況は、アクティブ状態又は非アクティブ状態である。
【０６０９】
プロセッサＣ２は、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０６１０】
プロセッサＣ２は、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するようにさらに構成される。
【０６１１】
上記の解決策では、ユーザ機器は、ダウンリンク物理制御チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低いダウンリンク物理制御チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０６１２】
第１６の実施形態
本発明の本実施形態は、さらに、ユーザ機器を提供する。図２４に示すように、ユーザ機器は、受信機Ｄ１及びプロセッサＤ２を含む。
【０６１３】
受信機Ｄ１は、物理ダウンリンク共有チャネルを受信するように構成される。
【０６１４】
プロセッサＤ２は、受信機Ｄ１が受信した物理ダウンリンク共有チャネルにおいて、第１のキャリア情報を搬送する物理ダウンリンク共有チャネルを決定し、決定した物理ダウンリンク共有チャネルから、受信機Ｄ１が受信したアクティブ状態又は非アクティブ状態であるキャリアのキャリア状況を含む第１のキャリア情報を取得し、第１のキャリア情報に従ってキャリア上で通信を実行するように構成される。
【０６１５】
さらに、第１のキャリア情報に含まれるキャリアのキャリア状況は、当該基地局のキャリアのキャリア状況及び／又は別の基地局のキャリアのキャリア状況を含む。
【０６１６】
さらに、プロセッサＤ２は、キャリアアクティブ化無線ネットワーク一時識別子ＲＮＴＩを使用してダウンリンク物理制御チャネルの巡回冗長検査ＣＲＣをスクランブル解除して、ダウンリンク制御情報を搬送するダウンリンク物理制御チャネルを識別し、識別したダウンリンク物理制御チャネルによって搬送されるダウンリンク制御情報を取得し、ダウンリンク制御情報に従って、第１のキャリア情報を搬送する物理ダウンリンク共有チャネルを決定するようにさらに構成される。
【０６１７】
受信機Ｄ１が受信したダウンリンク制御情報は、第１のキャリア情報を搬送する物理ダウンリンク共有チャネルを示すために使用される。
【０６１８】
さらに、受信機Ｄ１は、物理ブロードキャストチャネルを受信するようにさらに構成される。
【０６１９】
プロセッサＤ２は、受信機Ｄ１が受信した物理ブロードキャストチャネルに従って、第１のキャリア情報を搬送する物理ダウンリンク共有チャネルを決定するようにさらに構成される。
【０６２０】
物理ブロードキャストチャネルは、第１のキャリア情報を搬送する物理ダウンリンク共有チャネルを示すために使用される。
【０６２１】
さらに、プロセッサＤ２は、キャリアアクティブ化ＲＮＴＩを使用して、決定した物理ダウンリンク共有チャネルをスクランブル解除して、第１のキャリア情報を取得するようにさらに構成される。
【０６２２】
さらに、受信機Ｄ１が受信するキャリアは、当該基地局及び／又は別の基地局のキャリア状況が変化する可能性がある全てのキャリアである。
【０６２３】
受信機Ｄ１は、プロセッサＤ２が第１のキャリア情報に従ってキャリア上で通信を実行する前に、基地局によってブロードキャストによりユーザ機器に対して示される、全キャリア中での各キャリアのキャリアシーケンス番号を取得するようにさらに構成される。
【０６２４】
或いは、受信機Ｄ１は、プロセッサＤ２が第１のキャリア情報に従ってキャリア上で通信を実行する前に、基地局から送信された専用シグナリングを受信するようにさらに構成され、ここで、専用シグナリングは、全キャリア中での各キャリアのキャリアシーケンス番号を搬送する。
【０６２５】
受信機Ｄ１が受信するキャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、当該基地局によってサービスされる全てのユーザ機器で一様である。
【０６２６】
さらに、受信機Ｄ１が受信するキャリアシーケンス番号は、キャリアシーケンス番号に対応するキャリアの中心周波数に従って識別される、及び／又は、受信機Ｄ１が受信するキャリアシーケンス番号は、キャリアシーケンス番号に対応するキャリアの物理識別子に従って識別される。
【０６２７】
さらに、受信機Ｄ１が受信する第１のキャリア情報に含まれるキャリアのキャリア状況は、全てのキャリアのキャリア状況である。
【０６２８】
さらに、受信機Ｄ１は、プロセッサＤ２が第１のキャリア情報に従ってキャリア上で通信を実行する前に、基地局から送信された第１のシグナリングを受信するようにさらに構成され、ここで、第１のシグナリングは、キャリア状況が変化したキャリアの数を搬送する。
【０６２９】
受信機Ｄ１が受信する第１のキャリア情報に含まれるキャリアのキャリア状況は、キャリア状況が変化したキャリアのキャリア状況である。
【０６３０】
さらに、受信機Ｄ１は、プロセッサＤ２が第１のキャリア情報を搬送する物理ダウンリンク共有チャネルを決定する前に、上位レイヤシグナリングを使用して基地局から送信された命令情報を受信するようにさらに構成され、ここで、受信機Ｄ１によって受信される命令情報は、物理ダウンリンク共有チャネルを示すダウンリンク物理制御チャネル又は物理ダウンリンク共有チャネルを示す物理ブロードキャストチャネルを検出するようにユーザ機器に命令するために使用される。
【０６３１】
プロセッサＤ２は、受信機Ｄ１が受信した命令情報に従ってダウンリンク物理制御チャネル又は物理ブロードキャストチャネルを検出して、第１のキャリア情報を搬送する物理ダウンリンク共有チャネルを決定するようにさらに構成される。
【０６３２】
さらに、受信機Ｄ１は、物理ダウンリンク共有チャネルを受信する前に、ダウンリンク物理制御チャネル上で繰り返し符号化されるダウンリンク制御情報を受信するようにさらに構成される。
【０６３３】
或いは、受信機Ｄ１は、物理ダウンリンク共有チャネルを受信する前に、ダウンリンク物理制御チャネル上で第１のコード化ビットレートを使用して符号化されたダウンリンク制御情報を受信するようにさらに構成され、ここで、第１のコード化ビットレートは、第２のコード化ビットレートより低く、第２のコード化ビットレートは、通常のコード化ビットレートである。
【０６３４】
或いは、受信機Ｄ１は、物理ダウンリンク共有チャネルを受信する前に、符号化された複数個のダウンリンク制御情報を基地局から受信するようにさらに構成される。
【０６３５】
さらに、ダウンリンク物理制御チャネルは、物理ダウンリンク制御チャネルＰＤＣＣＨ又は拡張物理ダウンリンク制御チャネルＥ−ＰＤＣＣＨを含む。
【０６３６】
さらに、受信機Ｄ１が受信するキャリア状況は、アクティブ状態又は非アクティブ状態である。
【０６３７】
プロセッサＤ２は、キャリア状況がアクティブ状態である場合には、キャリア上で、チャネル状態検出に使用されるサウンディング参照信号ＳＲＳを伝送し、及び／又は、キャリア上で、チャネル状態情報ＣＳＩが少なくともチャネル品質指標ＣＱＩ、プリコード化マトリクス指標ＰＭＩ及びランク指示ＲＩを含む、ＣＳＩ報告を生成し、及び／又は、キャリアのダウンリンク物理制御チャネルを検出し、及び／又は、キャリア上のスケジューリング結果を示すダウンリンク物理制御チャネルを検出するようにさらに構成される。
【０６３８】
さらに、プロセッサＤ２は、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するようにさらに構成される。
【０６３９】
上記の解決策では、ユーザ機器は、物理ダウンリンク共有チャネルから第１のキャリア情報を取得し、第１のキャリア情報に従ってキャリア上で通信を実行することができる。ＭＡＣ  ＣＥを使用してキャリアのアクティブ状態又は非アクティブ状態がユーザ機器に対して示される従来技術と比較すると、本解決策では、ユーザ機器は、遅延がより小さく、ネットワーク負荷がより低い物理ダウンリンク共有チャネルを使用して、キャリア状況を取得する。したがって、キャリアのアクティブ状態又は非アクティブ状態を示す遅延を短縮することができ、キャリアのアクティブ状態又は非アクティブ状態を示す効率を向上させることができる。
【０６４０】
上記の実施方法についての説明によれば、好都合且つ簡潔に説明するために、上記の機能モジュールの分割は例示のための一例として用いたものであることは、当業者には明白に理解できるであろう。実際の適用では、上記の機能は、要件に応じて様々な機能モジュールに割り当てて実施することができる。すなわち、ある装置の内部構造を様々な機能モジュールに分割して、上述の機能の全て又は一部を実施する。上述のシステム、装置及びユニットの詳細な動作プロセスについては、上述した方法の実施形態における対応するプロセスを参照すればよく、ここでは詳細について再度述べることはしない。
【０６４１】
本願で提供するいくつかの実施形態では、開示するシステム、装置及び方法は、他の方法で実施することもできることを理解されたい。例えば、記載した装置の実施形態は、単なる例示に過ぎない。例えば、モジュール又はユニットの分割は、単に論理的な機能分割に過ぎず、実際の実施態様では他の分割であってもよい。例えば、複数のユニット又は構成要素を組み合わせたり、又は別のシステムに一体化したり、或いはいくつかの特徴を無視したり、又は実行しなかったりしてもよい。さらに、図示又は説明した相互の結合、直接的な結合、又は通信接続は、何らかのインタフェースを使用して実施してもよい。これらの装置又はユニット間の間接的な結合又は通信接続は、電子的形態、機械的形態、又はその他の形態で実施することができる。
【０６４２】
別個の部分として説明したユニットは、物理的に分離していてもそうでなくてもよく、また、複数のユニットとして図示した部分は、物理的なユニットであってもそうでなくてもよいし、１箇所に位置していても、複数のネットワークユニット上に分散していてもよい。ユニットの一部又は全ては、実施形態の解決策の目的を達成するために、実際の必要に応じて選択されることができる。
【０６４３】
さらに、本発明の実施形態における機能ユニットは、１つの処理ユニットに一体化されていてもよいし、又は、各ユニットが物理的に独立して存在していてもよいし、又は、２つ以上のユニットが１つのユニットに一体化されていてもよい。一体化されたユニットは、ハードウェアの形態で実施することもできるし、又はソフトウェア機能ユニットの形態で実施することもできる。
【０６４４】
一体化されたユニットをソフトウェア機能ユニットの形態で実施し、独立した製品として販売又は使用するときには、一体化されたユニットを、コンピュータ可読記憶媒体に格納することができる。このような理解に基づき、本発明の本質的な技術的解決策、従来技術に寄与する部分、或いはこれらの技術的解決策の全て又は一部を、ソフトウェア製品の形態で実施することができる。ソフトウェア製品は、記憶媒体に格納され、コンピュータデバイス（パーソナルコンピュータ、サーバ、又はネットワークデバイスとすることができる）或いはプロセッサに本発明の実施形態で述べた方法のステップの全て又は一部を実行するように命令するいくつかの命令を含む。上記の記憶媒体は、ＵＳＢフラッシュドライブ、取外し可能ハードディスク、読取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなど、プログラムコードを記憶することができる任意の媒体を含む。
【０６４５】
上記の説明は、単に本発明の具体的な実施方法に過ぎず、本発明の保護範囲を限定するためのものではない。本発明に開示する技術的範囲内で当業者が容易に思いつくいかなる変形又は置換も、本発明の保護範囲に含まれるものとする。したがって、本発明の保護範囲は、特許請求の範囲の保護範囲に従うものとする。
【図１】
2016526832.tif 000003
【図２】
2016526832.tif 000004
【図３】
2016526832.tif 000005
【図４】
2016526832.tif 000006
【図５】
2016526832.tif 000007
【図６】
2016526832.tif 000008
【図７】
2016526832.tif 000009
【図８】
2016526832.tif 000010
【図９】
2016526832.tif 000011
【図１０】
2016526832.tif 000012
【図１１】
2016526832.tif 000013
【図１２】
2016526832.tif 000014
【図１３】
2016526832.tif 000015
【図１４】
2016526832.tif 000016
【図１５】
2016526832.tif 000017
【図１６】
2016526832.tif 000018
【図１７】
2016526832.tif 000019
【図１８】
2016526832.tif 000020
【図１９】
2016526832.tif 000021
【図２０】
2016526832.tif 000022
【図２１】
2016526832.tif 000023
【図２２】
2016526832.tif 000024
【図２３】
2016526832.tif 000025
【図２４】
2016526832.tif 000026
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
基地局が、キャリアのキャリア状況を決定するステップであり、前記キャリア状況が、アクティブ状態又は非アクティブ状態であるステップと、
前記基地局が、ダウンリンク物理制御チャネルを使用して第１のキャリア情報をユーザ機器に対して示すステップであり、前記第１のキャリア情報が、前記キャリアの前記キャリア状況を含み、前記第１のキャリア情報が、前記ユーザ機器が前記キャリア状況に従って前記キャリア上で通信を実行できるようにするために使用されるステップとを含む、キャリア状況指示方法。
【請求項２】
前記基地局がダウンリンク物理制御チャネルを使用して第１のキャリア情報をユーザ機器に対して示す前記ステップが、
前記基地局が、前記ダウンリンク物理制御チャネルによって搬送されるダウンリンク制御情報を使用して、前記第１のキャリア情報を前記ユーザ機器に対して示すステップを含み、
前記ダウンリンク制御情報が、キャリアアクティブ化無線ネットワーク一時識別子（ＲＮＴＩ）を使用して前記ダウンリンク物理制御チャネルの巡回冗長検査（ＣＲＣ）をスクランブルすることによって得られるダウンリンク制御情報であり、前記キャリアアクティブ化ＲＮＴＩが、前記第１のキャリア情報を搬送する前記ダウンリンク物理制御チャネルを識別するために使用される、前記基地局によって前記ユーザ機器用に設定されたＲＮＴＩである、請求項１に記載の方法。
【請求項３】
前記キャリアの前記キャリア状況が、ビットマップによって識別される、又は、
前記キャリアの前記キャリア状況が、統一符号化モードで符号化される、請求項１又は２のいずれか一項に記載の方法。
【請求項４】
前記ダウンリンク物理制御チャネルが、物理ダウンリンク制御チャネル（ＰＤＣＣＨ）又は拡張物理ダウンリンク制御チャネル（Ｅ−ＰＤＣＣＨ）を含む、請求項１から３のいずれか一項に記載の方法。
【請求項５】
ユーザ機器が、基地局から送信されたダウンリンク物理制御チャネルを受信するステップであり、前記ダウンリンク物理制御チャネルが、第１のキャリア情報を含み、前記第１のキャリア情報が、キャリアのキャリア状況を含み、前記キャリア状況が、アクティブ状態又は非アクティブ状態であるステップと、
前記ユーザ機器が、前記第１のキャリア情報に従って前記キャリア上で通信を実行するステップとを含む、キャリア状況指示方法。
【請求項６】
ユーザ機器が基地局から送信されたとともに第１のキャリア情報を含むダウンリンク物理制御チャネルを受信する前記ステップが、
前記ユーザ機器が、キャリアアクティブ化無線ネットワーク一時識別子（ＲＮＴＩ）を使用して前記ダウンリンク物理制御チャネルの巡回冗長検査（ＣＲＣ）をスクランブル解除して、前記第１のキャリア情報を搬送する前記ダウンリンク物理制御チャネルを識別するステップと、
前記ユーザ機器が、前記識別したダウンリンク物理制御チャネルによって搬送されるダウンリンク制御情報を取得するステップであり、前記ダウンリンク制御情報が前記第１のキャリア情報を含むステップとを含み、
前記キャリアアクティブ化ＲＮＴＩが、前記第１のキャリア情報を搬送する前記ダウンリンク物理制御チャネルを識別するために使用される、前記基地局によって前記ユーザ機器用に設定されたＲＮＴＩである、請求項５に記載の方法。
【請求項７】
前記第１のキャリア情報に含まれる前記キャリアの前記キャリア状況が、キャリア状況が変化する可能性がある全てのキャリアのうち、前記ユーザ機器に向けられた、キャリア状況が変化する可能性がある全てのキャリアのキャリア状況である、請求項５又は６のいずれか一項に記載の方法。
【請求項８】
前記ダウンリンク物理制御チャネルが、物理ダウンリンク制御チャネル（ＰＤＣＣＨ）又は拡張物理ダウンリンク制御チャネル（Ｅ−ＰＤＣＣＨ）を含む、請求項５から７のいずれか一項に記載の方法。
【請求項９】
前記キャリア状況が、前記アクティブ状態又は前記非アクティブ状態であり、
前記キャリア状況が前記アクティブ状態である場合には、前記ユーザ機器が前記第１のキャリア情報に従って前記キャリア上で通信を実行する前記ステップが、
前記ユーザ機器が、前記キャリア上でサウンディング参照信号（ＳＲＳ）を伝送するステップであり、前記ＳＲＳがチャネル状態検出に使用されるステップ、
及び／又は、前記ユーザ機器が、前記キャリア上でチャネル状態情報（ＣＳＩ）報告を生成するステップであり、前記ＣＳＩが、少なくともチャネル品質指標（ＣＱＩ）、プリコード化マトリクス指標（ＰＭＩ）及びランク指示（ＲＩ）を含むステップ、
及び／又は、前記ユーザ機器が、前記キャリアのダウンリンク物理制御チャネルを検出するステップ、
及び／又は、前記ユーザ機器が、前記キャリア上のスケジューリング結果を示すダウンリンク物理制御チャネルを検出するステップを含む、請求項５から８のいずれか一項に記載の方法。
【請求項１０】
前記キャリア状況が、前記アクティブ状態又は前記非アクティブ状態であり、
前記キャリア状況が前記非アクティブ状態である場合には、前記ユーザ機器が前記第１のキャリア情報に従って前記キャリア上で通信を実行する前記ステップが、
前記ユーザ機器が、前記キャリア上でのＳＲＳの伝送を停止するステップ、
及び／又は、前記ユーザ機器が、前記キャリア上でのＣＳＩ報告の生成を停止するステップであり、前記ＣＳＩが、少なくともＣＱＩ、ＰＭＩ及びＲＩを含むステップ、
及び／又は、前記ユーザ機器が、前記キャリアのダウンリンク物理制御チャネルの検出を停止するステップ、
及び／又は、前記ユーザ機器が、前記キャリア上のスケジューリング結果を示すダウンリンク物理制御チャネルの検出を停止するステップ、
及び／又は、前記ユーザ機器が、前記キャリア上でのランダムアクセスチャネル（ＲＡＣＨ）信号の伝送を停止するステップ、
及び／又は、前記ユーザ機器が、前記キャリア上でのアップリンク共有チャネルの伝送を停止するステップを含む、請求項５から９のいずれか一項に記載の方法。
【請求項１１】
キャリアのキャリア状況を決定するように構成された決定ユニットであり、前記キャリア状況が、アクティブ状態又は非アクティブ状態である決定ユニットと、
ダウンリンク物理制御チャネルを使用して第１のキャリア情報をユーザ機器に対して示すように構成された送信ユニットであり、前記第１のキャリア情報が、前記決定ユニットによって決定された前記キャリアの前記キャリア状況を含み、前記第１のキャリア情報が、前記ユーザ機器が前記キャリア状況に従って前記キャリア上で通信を実行できるようにするために使用される送信ユニットとを含む、基地局。
【請求項１２】
前記送信ユニットが、前記ダウンリンク物理制御チャネルによって搬送されるダウンリンク制御情報を使用して前記第１のキャリア情報を前記ユーザ機器に対して示すようにさらに構成され、
前記ダウンリンク制御情報が、キャリアアクティブ化無線ネットワーク一時識別子（ＲＮＴＩ）を使用して前記ダウンリンク物理制御チャネルの巡回冗長検査（ＣＲＣ）をスクランブルすることによって得られるダウンリンク制御情報であり、前記キャリアアクティブ化ＲＮＴＩが、前記第１のキャリア情報を搬送する前記ダウンリンク物理制御チャネルを識別するために使用される、当該基地局によって前記ユーザ機器用に設定されたＲＮＴＩである、請求項１１に記載の基地局。
【請求項１３】
前記送信ユニットによって示される前記第１のキャリア情報に含まれる前記キャリアの前記キャリア状況が、ビットマップによって識別される、又は、
前記送信ユニットによって示される前記第１のキャリア情報に含まれる前記キャリアの前記キャリア状況が、統一符号化モードで符号化される、請求項１１又は１２のいずれか一項に記載の基地局。
【請求項１４】
前記送信ユニットによって送信される前記ダウンリンク物理制御チャネルが、物理ダウンリンク制御チャネル（ＰＤＣＣＨ）又は拡張物理ダウンリンク制御チャネル（Ｅ−ＰＤＣＣＨ）を含む、請求項１１から１３のいずれか一項に記載の基地局。
【請求項１５】
基地局から送信されたダウンリンク物理制御チャネルを受信するように構成された受信ユニットであり、前記ダウンリンク物理制御チャネルが、第１のキャリア情報を含み、前記第１のキャリア情報が、キャリアのキャリア状況を含み、前記キャリア状況が、アクティブ状態又は非アクティブ状態である受信ユニットと、
前記受信ユニットが受信した前記第１のキャリア情報に従って前記キャリア上で通信を実行するように構成された通信ユニットとを含む、ユーザ機器。
【請求項１６】
前記受信ユニットが、
キャリアアクティブ化無線ネットワーク一時識別子（ＲＮＴＩ）を使用して前記ダウンリンク物理制御チャネルの巡回冗長検査（ＣＲＣ）をスクランブル解除して、前記第１のキャリア情報を搬送する前記ダウンリンク物理制御チャネルを識別するように構成された識別モジュールと、
前記識別モジュールによって識別された前記ダウンリンク物理制御チャネルによって搬送されるダウンリンク制御情報を取得するように構成された取得モジュールであり、前記ダウンリンク制御情報が前記第１のキャリア情報を含む取得モジュールとを含み、
前記キャリアアクティブ化ＲＮＴＩが、前記第１のキャリア情報を搬送する前記ダウンリンク物理制御チャネルを識別するために使用される、前記基地局によって当該ユーザ機器用に設定されたＲＮＴＩである、請求項１５に記載のユーザ機器。
【請求項１７】
前記受信ユニットが受信する前記第１のキャリア情報に含まれる前記キャリアの前記キャリア状況が、キャリア状況が変化する可能性がある全てのキャリアのうち、当該ユーザ機器に向けられた、キャリア状況が変化する可能性がある全てのキャリアのキャリア状況である、請求項１５又は１６のいずれか一項に記載のユーザ機器。
【請求項１８】
前記ダウンリンク物理制御チャネルが、物理ダウンリンク制御チャネル（ＰＤＣＣＨ）又は拡張物理ダウンリンク制御チャネル（Ｅ−ＰＤＣＣＨ）を含む、請求項１５から１７のいずれか一項に記載のユーザ機器。
【請求項１９】
前記キャリア状況が、前記アクティブ状態又は前記非アクティブ状態であり、
前記通信ユニットが、前記キャリア状況が前記アクティブ状態である場合には、前記キャリア上で、チャネル状態検出に使用されるサウンディング参照信号（ＳＲＳ）を伝送し、及び／又は、前記キャリア上で、チャネル状態情報（ＣＳＩ）が少なくともチャネル品質指標（ＣＱＩ）、プリコード化マトリクス指標（ＰＭＩ）及びランク指示（ＲＩ）を含む、ＣＳＩ報告を生成し、及び／又は、前記キャリアのダウンリンク物理制御チャネルを検出し、及び／又は、前記キャリア上のスケジューリング結果を示すダウンリンク物理制御チャネルを検出するようにさらに構成される、請求項１５から１８のいずれか一項に記載のユーザ機器。
【請求項２０】
前記キャリア状況が、前記アクティブ状態又は前記非アクティブ状態であり、
前記通信ユニットが、前記キャリア状況が前記非アクティブ状態である場合には、前記キャリア上でのＳＲＳの伝送を停止し、及び／又は、ＣＳＩが少なくともＣＱＩ、ＰＭＩ及びＲＩを含む、前記キャリア上でのＣＳＩ報告の生成を停止し、及び／又は、前記キャリアのダウンリンク物理制御チャネルの検出を停止し、及び／又は、前記キャリア上のスケジューリング結果を示すダウンリンク物理制御チャネルの検出を停止し、及び／又は、前記キャリア上でのランダムアクセスチャネル（ＲＡＣＨ）信号の伝送を停止し、及び／又は、前記キャリア上でのアップリンク共有チャネルの伝送を停止するように構成される、請求項１５から１９のいずれか一項に記載のユーザ機器。
【手続補正２】
【補正対象書類名】明細書
【補正対象項目名】０００４
【補正方法】変更
【補正の内容】
【０００４】
キャリアアグリゲーションにおけるＣＣは、ＣＣにおいて搬送される機能に従って、１次セル（Ｐｒｉｍａｒｙ  Ｃｅｌｌ，ＰＣｅｌｌ）及び２次セル（Ｓｅｃｏｎｄａｒｙ  Ｃｅｌｌ，ＳＣｅｌｌ）に分類される。ＰＣｅｌｌは、１次周波数帯域で作動するセルであり、ＵＥは、セルにおいて初期接続確立プロセスを実行する、又は接続再確立プロセスを開始し、セルは、セルハンドオーバプロセス中に１次セルとして示される。ＳＣｅｌｌは、２次周波数帯域で作動するセルであり、無線リソース制御（Ｒａｄｉｏ  Ｒｅｓｏｕｒｃｅ  Ｃｏｎｔｒｏｌ，ＲＲＣ）接続が確立されると、２次セルは、ＵＥに余分の無線リソースを提供するように設定されることができる。ＣＡが設定されない場合には、ＲＲＣ接続状態のＵＥは、１つのサービングセル、すなわちＰＣｅｌｌしか有していないが、ＣＡが設定された場合には、サービングセルセットは、ＰＣｅｌｌ及びＳＣｅｌｌを含む。さらに、ＰＣｅｌｌ及びＳＣｅｌｌに対応するキャリアは、同じ基地局のキャリアであってもよいし、異なる基地局のキャリアであってもよい。例えば、ＰＣｅｌｌ及びＳＣｅｌｌに対応するキャリアは、マクロ基地局のキャリアであってもよいし、急速に高まるトラフィック要件を満たすように従来のマクロ基地局セルラネットワークに基づいてマクロセルのホットスポット領域内に密に展開されたスモールセル（Ｓｍａｌｌ  ｃｅｌｌ）基地局のキャリアであってもよい。ＰＣｅｌｌ及びＳＣｅｌｌに対応するキャリアが異なる基地局のキャリアであるときには、スモールセル基地局は、そのスモールセル基地局のキャリアのキャリア状況を、理想的なバックホール又は非理想的なバックホールによってマクロ基地局に対して示すことができる。
【手続補正３】
【補正対象書類名】明細書
【補正対象項目名】００５５
【補正方法】変更
【補正の内容】
【００５５】
第４の態様又は上記の可能な実施方法のいずれか１つに関連して、第５の可能な実施方法では、キャリアは、基地局及び／又は別の基地局のキャリア状況が変化する可能性がある全てのキャリアであり、
ユーザ機器が第１のキャリア情報に従ってキャリア上で通信を実行するステップの前に、当該方法は、
ユーザ機器が、基地局によってブロードキャストによりユーザ機器に対して示される、全てのキャリア中での各キャリアのキャリアシーケンス番号を取得するステップ、又は、
ユーザ機器が、基地局から送信された専用シグナリングを受信するステップであり、専用シグナリングが全てのキャリア中での各キャリアのキャリアシーケンス番号を搬送するステップをさらに含み、
キャリアシーケンス番号は、各キャリアに設定されたシーケンス番号であり、各キャリアは、異なるキャリアシーケンス番号を有し、キャリアシーケンス番号、及びキャリアシーケンス番号によって識別されるキャリアは、基地局によってサービスされる全てのユーザ機器で一様である。
【手続補正４】
【補正対象書類名】明細書
【補正対象項目名】０２１３
【補正方法】変更
【補正の内容】
【０２１３】
キャリアのキャリア状況がアクティブ状態から非アクティブ状態に切り替わった場合には、ユーザ機器がキャリアの状態情報に従ってキャリア上で通信を実行することは、下記のステップを含むことができる。すなわち、ユーザ機器は、当該キャリア上でのＳＲＳの伝送を停止し、及び／又は、ユーザ機器は、ＣＳＩが少なくともＣＱＩ、ＰＭＩ及びＲＩを含む、当該キャリア上でのＣＳＩ報告の生成を停止し、及び／又は、ユーザ機器は、当該キャリア上のダウンリンク物理制御チャネルの検出を停止し、及び／又は、ユーザ機器は、当該キャリア上のスケジューリング結果を示すダウンリンク物理制御チャネルの検出を停止し、及び／又は、ユーザ機器は、当該キャリア上でのランダムアクセスチャネル（Ｒａｎｄｏｍ  Ａｃｃｅｓｓ  Ｃｈａｎｎｅｌ，ＲＡＣＨ）信号の伝送を停止し、及び／又は、ユーザ機器は、当該キャリア上でのアップリンク共有チャネルの伝送を停止する。
【手続補正５】
【補正対象書類名】明細書
【補正対象項目名】０２５６
【補正方法】変更
【補正の内容】
【０２５６】
例えば、本実施形態では、第１のキャリア情報の具体的な内容は、下記のようなものであることがある。
Ｃｅｌｌ  Ａｃｔｉｖａｔｅｄ  Ｓｔａｔｅ１−１ｂｉｔｓ、キャリアアクティブ状態ＣｅｌｌＩｎｄｅｘ−１
Ｃｅｌｌ  Ａｃｔｉｖａｔｅｄ  Ｓｔａｔｅ２−１ｂｉｔｓ、キャリアアクティブ状態ＣｅｌｌＩｎｄｅｘ−２
・・・
Ｃｅｌｌ  Ａｃｔｉｖａｔｅｄ  ＳｔａｔｅＮ−１ｂｉｔｓ、キャリアアクティブ状態ＣｅｌｌＩｎｄｅｘ−Ｎ
【手続補正６】
【補正対象書類名】明細書
【補正対象項目名】０２５７
【補正方法】変更
【補正の内容】
【０２５７】
ＣｅｌｌＩｎｄｅｘ−１、ＣｅｌｌＩｎｄｅｘ−２、及びＣｅｌｌＩｎｄｅｘ−Ｎは、それぞれ、キャリア１のキャリアシーケンス番号、キャリア２のキャリアシーケンス番号、及びキャリアＮのキャリアシーケンス番号とすることができ、Ｃｅｌｌ  Ａｃｔｉｖａｔｅｄ  Ｓｔａｔｅ１は、キャリア１のキャリア状況であり、Ｃｅｌｌ  Ａｃｔｉｖａｔｅｄ  Ｓｔａｔｅ２は、キャリア２のキャリア状況であり、Ｃｅｌｌ  Ａｃｔｉｖａｔｅｄ  ＳｔａｔｅＮは、キャリアＮのキャリア状況である。
【手続補正７】
【補正対象書類名】明細書
【補正対象項目名】０２６１
【補正方法】変更
【補正の内容】
【０２６１】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。
【手続補正８】
【補正対象書類名】明細書
【補正対象項目名】０３０１
【補正方法】変更
【補正の内容】
【０３０１】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。
【手続補正９】
【補正対象書類名】明細書
【補正対象項目名】０３５４
【補正方法】変更
【補正の内容】
【０３５４】
ユーザ機器は、識別したダウンリンク物理制御チャネルを復調して、ダウンリンク物理制御チャネルによって搬送されるダウンリンク制御情報を取得し、ダウンリンク制御情報内のＴＰＣコマンドを取得することができる。ここで、ＴＰＣコマンドは、ユーザ機器のキャリアの第１のキャリア情報を示すために使用される。
【手続補正１０】
【補正対象書類名】明細書
【補正対象項目名】０３６９
【補正方法】変更
【補正の内容】
【０３６９】
本発明の本実施形態では、従来技術において、異なるユーザ機器では、同じキャリアについて予め設定されるキャリアシーケンス番号も異なる。例えば、キャリアが２つ、すなわちキャリアＡ及びキャリアＢである場合には、従来技術において、ユーザ機器１では、予め設定された第１のキャリアがキャリアＡであり、予め設定された第２のキャリアがキャリアＢであり、ユーザ機器２では、予め設定された第１のキャリアがキャリアＢである。したがって、本発明の本実施形態では、基地局は、全てのユーザ機器において同じキャリアについては同じキャリアシーケンス番号を設定することができる。キャリア状況指示方法は、Ｓ８０２をさらに含むことができる。
【手続補正１１】
【補正対象書類名】明細書
【補正対象項目名】０３９０
【補正方法】変更
【補正の内容】
【０３９０】
基地局によってユーザ機器に対して示される第１のキャリア情報に含まれるキャリアのキャリア状況は、基地局によってユーザ機器用に設定されたキャリアのキャリア状況を含むことができ、また、基地局によってユーザ機器用に設定されていないキャリアのキャリア状況を含むこともできることに留意されたい。すなわち、基地局によってユーザ機器に対して示されるキャリアのキャリア状況の数は、ユーザ機器がサポートできるキャリア（すなわち基地局によってユーザ機器用に設定されたキャリア）の数より大きくなることがある。
【手続補正１２】
【補正対象書類名】明細書
【補正対象項目名】０４５２
【補正方法】変更
【補正の内容】
【０４５２】
さらに、送信ユニットｂ２によって送信されるキャリアは、当該基地局及び／又は別の基地局のキャリア状況が変化する可能性がある全てのキャリアである。
【手続補正１３】
【補正対象書類名】明細書
【補正対象項目名】０５２９
【補正方法】変更
【補正の内容】
【０５２９】
さらに、取得ユニットｄ３が取得するキャリア状況は、アクティブ状態又は非アクティブ状態である。
【手続補正１４】
【補正対象書類名】明細書
【補正対象項目名】０５３１
【補正方法】変更
【補正の内容】
【０５３１】
さらに、通信ユニットｄ４は、キャリア状況が非アクティブ状態である場合には、キャリア上でのＳＲＳの伝送を停止し、及び／又は、ＣＳＩが少なくともＣＱＩ、ＰＭＩ及びＲＩを含む、キャリア上でのＣＳＩ報告の生成を停止し、及び／又は、キャリアのダウンリンク物理制御チャネルの検出を停止し、及び／又は、キャリア上のスケジューリング結果を示すダウンリンク物理制御チャネルの検出を停止し、及び／又は、キャリア上でのランダムアクセスチャネルＲＡＣＨ信号の伝送を停止し、及び／又は、キャリア上でのアップリンク共有チャネルの伝送を停止するように構成される。
【手続補正１５】
【補正対象書類名】明細書
【補正対象項目名】０５３７
【補正方法】変更
【補正の内容】
【０５３７】
さらに、送信機Ａ２は、ダウンリンク物理制御チャネルによって搬送されるダウンリンク制御情報を使用して第１のキャリア情報をユーザ機器に対して示すようにさらに構成される。
【国際調査報告】
2016526832.tif 000027
2016526832.tif 000028
2016526832.tif 000029
2016526832.tif 000030
2016526832.tif 000031
2016526832.tif 000032